(57)【特許請求の範囲】
【請求項１】
ワイヤレス通信のための、ユーザ機器（ＵＥ）における方法であって、
共有される免許不要スペクトラム中の複数の物理キャリアを、前記複数の物理キャリアのうちの少なくとも１つの物理キャリアを動的にスケジューリングするために使用される制御情報のために、監視することと、
前記複数の物理キャリアのうちの１つの物理キャリアを通じて、フレームのための制御フォーマットインジケータ値を受信することと、
前記制御フォーマットインジケータ値に基づいて、前記複数の物理キャリアのうちの前記少なくとも１つの物理キャリアを通じたダウンリンク送信のために基地局によって使用されるべき前記フレームのサブフレームの数を決定することと、
を備え、
前記制御フォーマットインジケータ値は、送信の終わり、送信のために使用されるべき前記フレームのサブフレームの数、および送信のための最後のサブフレーム、のうちの少なくとも１つを示す、方法。
【請求項２】
前記制御フォーマットインジケータ値に基づいて、前記ＵＥによる確認応答（ＡＣＫ）／否定確認応答（ＮＡＣＫ）送信をスケジューリングすることをさらに備える、請求項１に記載の方法。
【請求項３】
前記制御フォーマットインジケータ値は、前記フレームの最初のサブフレームの間に受信される、請求項１に記載の方法。
【請求項４】
前記制御フォーマットインジケータ値は、前記フレームの前記最初のサブフレームの最初のシンボルの間に受信される、請求項３に記載の方法。
【請求項５】
前記制御フォーマットインジケータ値は、前記フレームの最後のサブフレームの間に受信される、請求項１に記載の方法。
【請求項６】
前記制御フォーマットインジケータ値は、前記フレームの前記最後のサブフレームの最後のシンボルの間に受信される、請求項５に記載の方法。
【請求項７】
前記制御フォーマットインジケータ値のビット幅は、前記フレームの構造に基づく、請求項１に記載の方法。
【請求項８】
前記制御フォーマットインジケータ値は、さらに、データが前記フレームの間に送信されるべきかどうかを示す、請求項１に記載の方法。
【請求項９】
前記制御フォーマットインジケータ値は、チャネル使用パイロット信号（ＣＵＰＳ）、チャネル使用ビーコン信号（ＣＵＢＳ）、セル固有参照信号（ＣＲＳ）、増強ＣＲＳ（ｅＣＲＳ）、送信フォーマットインジケータチャネル（ＴＦＩＣＨ）、増強ＴＦＩＣＨ（ｅＴＦＩＣＨ）、物理制御フォーマットインジケータチャネル（ＰＣＦＩＣＨ）、および増強ＰＣＦＩＣＨ（ＥＰＣＦＩＣＨ）の少なくとも１つの一部として受信される、請求項１に記載の方法。
【請求項１０】
ワイヤレス通信のための装置であって、
プロセッサと、
前記プロセッサに結合されたメモリと、を備え、前記プロセッサは、
共有される免許不要スペクトラム中の複数の物理キャリアを、前記複数の物理キャリアのうちの少なくとも１つの物理キャリアを動的にスケジューリングするために使用される制御情報のために、監視し、
前記複数の物理キャリアのうちの１つの物理キャリアを通じて、フレームのための制御フォーマットインジケータ値を受信し、
前記制御フォーマットインジケータ値に基づいて、前記複数の物理キャリアのうちの前記少なくとも１つの物理キャリアを通じたダウンリンク送信のために基地局によって使用されるべき前記フレームのサブフレームの数を決定する
ように構成され、
前記制御フォーマットインジケータ値は、送信の終わり、送信のために使用されるべき前記フレームのサブフレームの数、および送信のための最後のサブフレーム、のうちの少なくとも１つを示す、装置。
【請求項１１】
前記プロセッサは、さらに、
前記制御フォーマットインジケータ値に基づいて、前記装置による確認応答（ＡＣＫ）／否定確認応答（ＮＡＣＫ）送信をスケジューリングするように構成される、請求項１０に記載の装置。
【請求項１２】
前記制御フォーマットインジケータ値は、前記フレームの最初のサブフレームの間に受信される、請求項１０に記載の装置。
【請求項１３】
前記制御フォーマットインジケータ値は、前記フレームの最後のサブフレームの間に受信される、請求項１０に記載の装置。
【請求項１４】
前記制御フォーマットインジケータ値は、前記フレームの前記最後のサブフレームの最後のシンボルの間に受信される、請求項１３に記載の装置。
【請求項１５】
コンピュータによって実行されたとき、請求項１乃至９のうちのいずれかに記載の方法を実行するための命令を備える、コンピュータプログラム。
【発明の詳細な説明】
【優先権の主張】
【０００１】
関連出願の相互参照
本特許出願は、各々が本出願の譲受人に譲渡された、２０１４年９月２４日に出願された「ＤＯＷＮＬＩＮＫ  ＣＯＮＴＲＯＬ  ＦＯＲＭＡＴ  ＩＮＤＩＣＡＴＯＲ」という表題のＣｈｅｎらによる米国特許出願第１４／４９４，９５６号、および２０１３年１０月１４日に出願された「ＤＯＷＮＬＩＮＫ  ＣＯＮＴＲＯＬ  ＭＡＮＡＧＥＭＥＮＴ  ＩＮ  ＬＴＥ（登録商標）−Ｕ」という表題のＣｈｅｎらによる米国仮特許出願第６１／８９０，５５４号の優先権を主張し、これらの各々が本出願の譲受人に譲渡される。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００３】
[0003]ワイヤレス通信ネットワークは、いくつかのアクセスポイントを含み得る。セルラーネットワークのアクセスポイントは、ＮｏｄｅＢ（ＮＢ）またはｅｖｏｌｖｅｄ  ＮｏｄｅＢ（ｅＮＢ）のようないくつかの基地局を含み得る。ワイヤレスローカルエリアネットワーク（ＷＬＡＮ）のアクセスポイントは、ＷｉＦｉ（登録商標）ノードのようないくつかのＷＬＡＮアクセスポイントを含み得る。各アクセスポイントは、いくつかのユーザ機器（ＵＥ）の通信をサポートすることができ、しばしば同時に複数のＵＥと通信することができる。同様に、各ＵＥは、いくつかのアクセスポイントと通信することができ、時々、複数のアクセスポイントおよび／または異なるアクセス技術を使用するアクセスポイントと通信することができる。アクセスポイントは、ダウンリンクおよびアップリンクを介してＵＥと通信することができる。ダウンリンク（または順方向リンク）とは、アクセスポイントからＵＥへの通信リンクを指し、アップリンク（または逆方向リンク）とは、ＵＥからアクセスポイントへの通信リンクを指す。
【０００４】
[0004]セルラーネットワークがより混雑するようになるにつれて、事業者は容量を増大させるための方法に注目し始めている。１つの手法は、セルラーネットワークのトラフィックおよび／またはシグナリングの一部をオフロードするためにＷＬＡＮを使用することを含み得る。免許（licensed）スペクトラムにおいて動作するセルラーネットワークとは異なり、ＷｉＦｉネットワークは、一般に、免許不要（unlicensed）スペクトラムにおいて動作するので、ＷＬＡＮ（またはＷｉＦｉネットワーク）は、魅力的である。
【０００５】
[0005]異なるプロトコル（たとえば、セルラープロトコルおよびＷＬＡＮプロトコル）を使用して通信するデバイスがスペクトラムを共有するとき、どのデバイスが共有スペクトラムの異なる送信期間において送信することが可能かを決定するために、コンテンションベースのプロトコルが使用され得る。
【発明の概要】
【０００６】
[0006]説明される特徴は全般に、ワイヤレス通信のための１つまたは複数の改善された方法、装置、システム、および／またはデバイスに関する。より具体的には、説明される特徴は、物理キャリアが共有スペクトラムにおいてクロススケジューリングすることが可能であるときに制御情報を送信するための改善された技法に関する。フレームなどのために、制御フォーマットインジケータ値が送信／受信され得る。送信の受信者は、ダウンリンク送信のために使用されるべきサブフレームの数を決定するために、制御フォーマットインジケータ値を使用し得る。このようにして、送信の受信者は、スケジューリングされた送信をどれだけ長く聴取する（listen）かを知ることができる。加えて、受信者は、制御フォーマットインジケータ値に基づいて、ユーザ機器のスリープスケジュールを決定し、または確認応答／否定確認送信をスケジューリングすることができる。
【０００７】
[0007]例示的な実施形態の第１のセットによれば、ワイヤレス通信のための方法が説明される。一構成では、フレームのための制御フォーマットインジケータ値が受信され得る。フレームのための制御フォーマットインジケータ値は、共有スペクトラム中の物理キャリアを通じて受信され得る。方法はさらに、物理キャリアを通じたダウンリンク送信のために基地局によって使用されるべきフレームのサブフレームの数を決定することを含み得る。いくつかの場合、サブフレームの数を決定することは、制御フォーマットインジケータ値に基づき得る。
【０００８】
[0008]いくつかの例では、フレームのためのユーザ機器（ＵＥ）のスリープスケジュールが決定され得る。スリープスケジュールは、制御フォーマットインジケータ値に基づいて決定され得る。
【０００９】
[0009]いくつかの例では、ユーザ機器（ＵＥ）による確認応答（ＡＣＫ）／否定確認応答（ＮＡＣＫ）送信がスケジューリングされ得る。ＡＣＫ／ＮＡＣＫ送信は、制御フォーマットインジケータ値に基づいてスケジューリングされ得る。加えて、または代替的に、制御フォーマットインジケータ値は、フレームの最初のサブフレームの間に受信される。いくつかの場合、制御フォーマットインジケータ値は、フレームの最初のサブフレームの最初のシンボルの間に受信される。
【００１０】
[0010]いくつかの例では、制御フォーマットインジケータ値は、前のフレームの最後のサブフレームの間に受信される。制御フォーマットインジケータ値は、フレームのサブフレームの最初のシンボルの間に受信され得る。いくつかの場合、制御フォーマットインジケータ値のビット幅は、フレームの構造に基づき得る。制御フォーマットインジケータ値は、送信の終わり、データがフレームの間に送信されるべきかどうか、送信のために使用されるべきフレームのサブフレームの数、および送信のための最後のサブフレームの、少なくとも１つを示し得る。いくつかの場合、制御フォーマットインジケータ値は、チャネル使用パイロット信号（ＣＵＰＳ：Channel Usage Pilot Signal）、チャネル使用ビーコン信号（ＣＵＢＳ:Channel Usage beacon Signal）、セル固有参照信号（ＣＲＳ:cell-specific reference signal）、増強ＣＲＳ（ｅＣＲＳ：enhanced CRS）、送信フォーマットインジケータチャネル（ＴＦＩＣＨ:transmission format indicator channel）、増強ＴＦＩＣＨ（ｅＴＦＩＣＨ：enhanced TFICH）、物理制御フォーマットインジケータチャネル（ＰＣＦＩＣＨ: physical control format indicator channel）、および増強ＰＣＦＩＣＨ（ＥＰＣＦＩＣＨ）の少なくとも１つの一部として受信され得る。
【００１１】
[0011]例示的な実施形態の第２のセットによれば、ワイヤレス通信のための装置は、プロセッサと、プロセッサに結合されたメモリとを含み得る。プロセッサは、共有スペクトラム中の物理キャリアを通じて、フレームのための制御フォーマットインジケータ値を受信し、制御フォーマットインジケータ値に基づいて、物理キャリアを通じたダウンリンク送信のために基地局によって使用されるべきフレームのサブフレームの数を決定するように構成され得る。プロセッサはさらに、例示的な実施形態の第１のセットの方法の１つまたは複数の態様を実行するように構成され得る。
【００１２】
[0012]例示的な実施形態の第３のセットによれば、ワイヤレス通信のための方法は、共有スペクトラム中の物理キャリアを通じたダウンリンク送信のために基地局によって使用されるべきフレームのサブフレームの数を決定することと、物理キャリアを通じて、フレームのサブフレームの決定された数に基づいて、フレームのための制御フォーマットインジケータ値を送信することとを含み得る。
【００１３】
[0013]いくつかの例では、確認応答（ＡＣＫ）／否定確認応答（ＮＡＣＫ）送信が、制御フォーマットインジケータ値に基づいてユーザ機器（ＵＥ）によって受信され得る。制御フォーマットインジケータ値は、フレームの最初のサブフレームの間に送信され得る。いくつかの場合、制御フォーマットインジケータ値は、フレームの最初のサブフレームの最初のシンボルの間に送信される。制御フォーマットインジケータ値は、前のフレームの最後のサブフレームの間に送信され得る。いくつかの例では、制御フォーマットインジケータ値は、フレームの１つのサブフレームの最初のシンボルの間に送信され得る。
【００１４】
[0014]いくつかの例では、制御フォーマットインジケータ値のビット幅は、フレームの構造に基づき得る。制御フォーマットインジケータ値は、送信の終わり、データがフレームの間に送信されるべきかどうか、送信のために使用されるべきフレームのサブフレームの数、および送信のための最後のサブフレームの、少なくとも１つを示し得る。いくつかの場合、制御フォーマットインジケータ値は、チャネル使用パイロット信号（ＣＵＰＳ）、チャネル使用ビーコン信号（ＣＵＢＳ）、セル固有参照信号（ＣＲＳ）、増強ＣＲＳ（ｅＣＲＳ）、送信フォーマットインジケータチャネル（ＴＦＩＣＨ）、増強ＴＦＩＣＨ（ｅＴＦＩＣＨ）、物理制御フォーマットインジケータチャネル（ＰＣＦＩＣＨ）、および増強ＰＣＦＩＣＨ（ＥＰＣＦＩＣＨ）の少なくとも１つの一部として送信され得る。
【００１５】
[0015]例示的な実施形態の第４のセットによれば、ワイヤレス通信のための装置は、プロセッサと、プロセッサに結合されたメモリとを含み得る。プロセッサは、共有スペクトラム中の物理キャリアを通じたダウンリンク送信のために基地局によって使用されるべきフレームのサブフレームの数を決定し、物理キャリアを通じて、フレームのサブフレームの決定された数に基づいて、フレームのための制御フォーマットインジケータ値を送信するように構成され得る。いくつかの例では、プロセッサはさらに、例示的な実施形態の第３のセットの方法の１つまたは複数の態様を実装するように構成され得る。
【００１６】
[0016]説明される方法および装置の適用可能性のさらなる範囲が、以下の発明を実施するための形態、特許請求の範囲、および図面から明らかになろう。発明を実施するための形態の趣旨および範囲内の様々な変更および改変が当業者には明らかになるので、発明を実施するための形態および特定の例は、例示として与えられるにすぎない。
【００１７】
[0017]以下の図面を参照することにより、本発明の性質および利点のさらなる理解が得られ得る。添付の図において、同様のコンポーネントまたは特徴は同じ参照ラベルを有し得る。さらに、同じタイプの様々なコンポーネントは、参照ラベルの後に、ダッシュと、それらの同様のコンポーネントを区別する第２のラベルとを続けることによって区別され得る。本明細書で第１の参照ラベルだけが使用される場合、説明は、第２の参照ラベルにかかわらず、同一の第１の参照ラベルを有する同様のコンポーネントのいずれにも適用可能である。
【図面の簡単な説明】
【００１８】
【図１】本開示の様々な態様による、ワイヤレス通信システムの図。
【図２Ａ】本開示の様々な態様による、免許不要スペクトラムにおいてｌｏｎｇ  ｔｅｒｍ  ｅｖｏｌｕｔｉｏｎ（ＬＴＥ）を使用するための展開シナリオの例を示す図。
【図２Ｂ】本開示の様々な態様による、免許不要スペクトラムまたは共有スペクトラムを通じたワイヤレス通信のためのスタンドアロンモードの例を示すワイヤレス通信システムを示す。
【図３】本開示の様々な態様による、免許不要スペクトラムにおけるセルラーダウンリンクのための免許不要フレーム／間隔の例を示す図。
【図４Ａ】本開示の様々な態様による、免許不要スペクトラムにおけるセルラーダウンリンクとセルラーアップリンクの両方によって使用可能な周期的なゲーティング間隔の例を示す図。
【図４Ｂ】本開示の様々な態様による、ＬＢのようなコンテンションベースのプロトコルがどのようにＳ’サブフレーム内で実装され得るかの例を示す図。
【図５】本開示の様々な態様による、共有スペクトラムの周期的なゲーティング間隔内でのクロスキャリアスケジューリングの例を示す図。
【図６Ａ】本開示の様々な態様による、第１の物理キャリアおよび第２の物理キャリアが第１の物理キャリアのためのダウンリンク制御送信について監視され得る第１の例を示す図。
【図６Ｂ】本開示の様々な態様による、第１の物理キャリアおよび第２の物理キャリアが第１の物理キャリアのためのダウンリンク制御送信について監視され得る第２の例を示す図。
【図７】本開示の様々な態様による、第１のグループおよび第２のグループにグループ化される物理キャリアの例を示す図。
【図８】本開示の様々な態様による、第１の物理キャリアおよび第２の物理キャリアが第１の物理キャリアのためのダウンリンク制御送信について監視され得る別の例を示す図。
【図９Ａ】本開示の様々な態様による、重複しない共通探索空間（ＣＳＳ：common search space）およびＵＥ固有探索空間（ＵＳＳ：UE-specific search space）の例を示す図。
【図９Ｂ】本開示の様々な態様による、完全に重複する共通探索空間（ＣＳＳ）およびＵＥ固有探索空間（ＵＳＳ）の例を示す図。
【図１０】本開示の様々な態様による、ＣＣＡ成功の指示の例示的なブロードキャストを示す図。
【図１１】本開示の様々な態様による、それぞれの周期的なゲーティング間隔の間の制御フォーマットインジケータ値の例示的な送信を示す図。
【図１２Ａ】本開示の様々な態様による、ワイヤレス通信において使用するための装置のブロック図。
【図１２Ｂ】本開示の様々な態様による、ワイヤレス通信において使用するための装置のブロック図。
【図１３Ａ】本開示の様々な態様による、ワイヤレス通信において使用するためのダウンリンク制御管理モジュールのブロック図。
【図１３Ｂ】本開示の様々な態様による、ワイヤレス通信において使用するためのＣＣＡ成功指示管理モジュールのブロック図。
【図１３Ｃ】本開示の様々な態様による、ワイヤレス通信において使用するための占有帯域幅管理モジュールのブロック図。
【図１３Ｄ】本開示の様々な態様による、ワイヤレス通信において使用するための制御フォーマットインジケータ値管理モジュールのブロック図。
【図１４】本開示の様々な態様による、ワイヤレス通信のために構成されるＵＥを示すブロック図。
【図１５】本開示の様々な態様による、ワイヤレス通信のために構成されるｅＮＢを示すブロック図。
【図１６】本開示の様々な態様による、ｅＮＢとＵＥとを含むように示される多入力多出力（ＭＩＭＯ）通信システムのブロック図。
【図１７】本開示の様々な態様による、ワイヤレス通信のための方法の例を示すフローチャート。
【図１８】本開示の様々な態様による、ワイヤレス通信のための方法の例を示すフローチャート。
【図１９】本開示の様々な態様による、ワイヤレス通信のための方法の例を示すフローチャート。
【図２０】本開示の様々な態様による、ワイヤレス通信のための方法の例を示すフローチャート。
【図２１】本開示の様々な態様による、ワイヤレス通信のための方法の例を示すフローチャート。
【図２２】本開示の様々な態様による、ワイヤレス通信のための方法の例を示すフローチャート。
【図２３】本開示の様々な態様による、ワイヤレス通信のための方法の例を示すフローチャート。
【図２４】本開示の様々な態様による、ワイヤレス通信のための方法の例を示すフローチャート。
【図２５】本開示の様々な態様による、ワイヤレス通信のための方法の例を示すフローチャート。
【図２６】本開示の様々な態様による、ワイヤレス通信のための方法の例を示すフローチャート。
【図２７】本開示の様々な態様による、ワイヤレス通信のための方法の例を示すフローチャート。
【図２８】本開示の様々な態様による、ワイヤレス通信のための方法の例を示すフローチャート。
【図２９】本開示の様々な態様による、ワイヤレス通信のための方法の例を示すフローチャート。
【図３０】本開示の様々な態様による、ワイヤレス通信のための方法の例を示すフローチャート。
【発明を実施するための形態】
【００１９】
[0055]共有スペクトラム中の複数の物理キャリアへのアクセス権をめぐって送信デバイスが争う、方法、装置、システム、およびデバイスが説明される。複数の物理キャリアのすべてへのアクセス権が保証されるとは限らないことがあるので、物理キャリアがクロススケジューリングされるときに問題が発生することがある。たとえば、第１の物理キャリアが第２の物理キャリアとクロススケジューリングされ、送信デバイスが第１の物理キャリアへのアクセス権を得ることは可能であるが第２の物理キャリアへのアクセス権を得ることが可能ではないとき、受信デバイスは、第１の物理キャリアを介した送信を利用するために必要な制御情報を受信することができない。したがって、第２の物理キャリアへのアクセス権を得ることなく第１の物理キャリアを予約することは、リソースを無駄にすることがあり、および／または送信を遅らせることがある。
【００２０】
[0056]いくつかの場合、本明細書で説明される方法、装置、システム、およびデバイスは、共有される免許不要スペクトラム（たとえば、通常はＷｉＦｉ通信のために使用されるＷＬＡＮ帯域）を使用するためのより多くの機会を、セルラーネットワークの事業者（オペレータ（たとえば、Ｌｏｎｇ  Ｔｅｒｍ  Ｅｖｏｌｕｔｉｏｎ（ＬＴＥ）またはＬＴＥ−Ａｄｖａｎｃｅｄ（ＬＴＥ−Ａ）通信ネットワークの事業者）に提供することができる。
【００２１】
[0057]本明細書で説明される技法は、ＬＴＥに限定されず、ＣＤＭＡ、ＴＤＭＡ、ＦＤＭＡ、ＯＦＤＭＡ、ＳＣ−ＦＤＭＡ、および他のシステムなどの様々なワイヤレス通信システムにも使用され得る。「システム」および「ネットワーク」という用語はしばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装することができる。ｃｄｍａ２０００は、ＩＳ−２０００規格、ＩＳ−９５規格、およびＩＳ−８５６規格をカバーする。ＩＳ−２０００  Ｒｅｌｅａｓｅ  ０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））とＣＤＭＡの他の変形形態とを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ（登録商標））などの無線技術を実装することができる。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。ＬＴＥおよびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ（登録商標））と称する団体の文書に記載されている。ＣＤＭＡ２０００およびＵＭＢは、「第３世代パートナーシッププロジェクト２」（３ＧＰＰ２）と称する団体の文書に記載されている。本明細書で説明される技法は、上で言及されたシステムおよび無線技術、ならびに他のシステムおよび無線技術に使用され得る。しかしながら、以下の説明は、例としてＬＴＥシステムを説明し、以下の説明の大部分においてＬＴＥ用語が使用されるが、本技法はＬＴＥ適用例以外に適用可能である。
【００２２】
[0058]以下の説明は、例を与えるものであり、特許請求の範囲に記載された範囲、適用可能性、または構成を限定するものではない。本開示の趣旨および範囲から逸脱することなく、説明される要素の機能および構成において変更が行われ得る。様々な実施形態は、必要に応じて様々な手順またはコンポーネントを省略し、置換し、または追加することができる。たとえば、説明される方法は、説明される順序とは異なる順序で実行されてよく、様々なステップが追加され、省略され、または組み合わせられてよい。また、いくつかの実施形態に関して説明される特徴が、他の実施形態において組み合わせられてもよい。
【００２３】
[0059]図１は、本開示の様々な態様による、ワイヤレス通信システム１００の図を示す。ワイヤレス通信システム１００は、複数のアクセスポイント（たとえば、基地局、ｅＮＢ、またはＷＬＡＮアクセスポイント）１０５と、ある数のユーザ機器（ＵＥ）１１５と、コアネットワーク１３０とを含む。アクセスポイント１０５のいくつかは、様々な実施形態ではコアネットワーク１３０またはいくつかのアクセスポイント１０５（たとえば、基地局またはｅＮＢ）の一部であり得る、基地局コントローラ（図示せず）の制御下でＵＥ１１５と通信することができる。アクセスポイント１０５のいくつかは、バックホール１３２を通じて、コアネットワーク１３０と制御情報および／またはユーザデータを通信することができる。いくつかの実施形態では、アクセスポイント１０５のいくつかは、有線またはワイヤレス通信リンクであり得るバックホールリンク１３４を通じて、互いに直接または間接的に通信することができる。ワイヤレス通信システム１００は、複数のキャリア（様々な周波数の波形信号）上での動作をサポートすることができる。マルチキャリア送信機は、変調された信号を複数のキャリア上で同時に送信することができる。たとえば、各通信リンク１２５は、様々な無線技術に従って変調されたマルチキャリア信号であり得る。各々の変調された信号は、異なるキャリア上で送られることがあり、制御情報（たとえば、参照信号、制御チャネルなど）、オーバーヘッド情報、データなどを搬送することができる。
【００２４】
[0060]アクセスポイント１０５は、１つまたは複数のアクセスポイントアンテナを介してＵＥ１１５とワイヤレスに通信することができる。アクセスポイント１０５の各々は、通信カバレッジをそれぞれのカバレッジエリア１１０に与え得る。いくつかの実施形態では、アクセスポイント１０５は、基地局、基地局装置（ＢＴＳ）、無線基地局、無線送受信機、基本サービスセット（ＢＳＳ）、拡張サービスセット（ＥＳＳ）、ＮｏｄｅＢ、ｅｖｏｌｖｅｄ  ＮｏｄｅＢ（ｅＮＢ）、ｈｏｍｅ  ＮｏｄｅＢ、ｈｏｍｅ  ｅＮｏｄｅＢ、ＷＬＡＮアクセスポイント、ＷｉＦｉノード、ノード、または何らかの他の好適な用語で呼ばれることがある。アクセスポイントのためのカバレッジエリア１１０は、カバレッジエリアの一部分のみを構成するセクタ（図示されず）に分割され得る。ワイヤレス通信システム１００は、異なるタイプのアクセスポイント１０５（たとえば、マクロ基地局、マイクロ基地局、および／またはピコ基地局）を含み得る。アクセスポイント１０５はまた、セルラーおよび／またはＷＬＡＮ無線アクセス技術のような、異なる無線技術を利用することができる。アクセスポイント１０５は、同じまたは異なるアクセスネットワークまたは事業者展開と関連付けられ得る。同じまたは異なるタイプのアクセスポイント１０５のカバレッジエリアを含み、同じまたは異なる無線技術を利用し、ならびに／または、同じもしくは異なるアクセスネットワークに属する、異なるアクセスポイント１０５のカバレッジエリアは重複することがある。
【００２５】
[0061]いくつかの実施形態では、ワイヤレス通信システム１００は、ＬＴＥ／ＬＴＥ−Ａ通信システム（またはネットワーク）を含んでよく、このＬＴＥ／ＬＴＥ−Ａ通信システムは、１つまたは複数の免許不要スペクトラムまたは共有スペクトラムの、動作モードまたは展開シナリオをサポートすることができる。他の実施形態では、ワイヤレス通信システム１００は、免許不要スペクトラムおよびＬＴＥ／ＬＴＥ−Ａと異なるアクセス技術、または免許スペクトラムおよびＬＴＥ／ＬＴＥ−Ａと異なるアクセス技術を使用するワイヤレス通信をサポートすることができる。ＬＴＥ／ＬＴＥ−Ａ通信システムでは、ｅｖｏｌｖｅｄ  ＮｏｄｅＢまたはｅＮＢという用語が一般に、オブアクセスポイント１０５を記述するために使用され得る。ワイヤレス通信システム１００は、異なるタイプのｅＮＢが様々な地理的領域にカバレッジを与える、異種ＬＴＥ／ＬＴＥ−Ａネットワークであり得る。たとえば、各ｅＮＢ１０５は、通信カバレッジを、マクロセル、ピコセル、フェムトセル、および／または他のタイプのセルに与え得る。ピコセル、フェムトセル、および／または他のタイプのセルなどのスモールセルは、低電力ノードまたはＬＰＮを含み得る。マクロセルは一般に、比較的大きい地理的エリア（たとえば、半径数キロメートル）をカバーし、サービスに加入しているＵＥによるネットワークプロバイダとの無制限アクセスを可能にし得る。ピコセルは一般に、比較的小さい地理的エリアをカバーし、ネットワークプロバイダのサービスに加入しているＵＥによる無制限アクセスを可能にし得る。またフェムトセルは、一般に、比較的小さい地理的エリア（たとえば、自宅）をカバーし、無制限アクセスに加えて、フェムトセルとの関連を有するＵＥ（たとえば、限定加入者グループ（ＣＳＧ）中のＵＥ、自宅内のユーザのためのＵＥなど）による制限されたアクセスも提供することができる。マクロセルのためのｅＮＢは、マクロｅＮＢと呼ばれ得る。ピコセルのためのｅＮＢは、ピコｅＮＢと呼ばれ得る。また、フェムトセルのためのｅＮＢは、フェムトｅＮＢまたはホームｅＮＢと呼ばれ得る。ｅＮＢは、１つまたは複数（たとえば、２つ、３つ、４つなど）のセルをサポートすることができる。
【００２６】
[0062]コアネットワーク１３０は、バックホール１３２（たとえば、Ｓ１アプリケーションプロトコルなど）を介してｅＮＢ１０５と通信することができる。ｅＮＢ１０５はまた、たとえば、バックホールリンク１３４（たとえば、Ｘ２アプリケーションプロトコルなど）を介して、および／またはバックホール１３２を介して（たとえば、コアネットワーク１３０を通じて）、直接または間接的に互いに通信することができる。ワイヤレス通信システム１００は、同期動作または非同期動作をサポートすることができる。同期動作の場合、ｅＮＢは同様のフレームタイミングおよび／またはゲーティングタイミングを有してよく、異なるｅＮＢからの送信は概ね時間的に揃えられてよい。非同期動作の場合、ｅＮＢは異なるフレームタイミングおよび／またはゲーティングタイミングを有してよく、異なるｅＮＢからの送信は時間的に揃えられないことがある。本明細書で説明される技法は、同期動作または非同期動作のいずれにも使用され得る。
【００２７】
[0063]ＵＥ１１５は、ワイヤレス通信システム１００全体にわたって分散されてよく、各ＵＥ１１５は固定式または移動式であり得る。ＵＥ１１５は、当業者によって、モバイルデバイス、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレス電話、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮアクセスネットワークのような、異なるアクセスネットワーク上で通信することが可能であり得る。
【００２８】
[0064]ワイヤレス通信システム１００において示された通信リンク１２５は、（たとえば、ＵＥ１１５からｅＮＢ１０５への）アップリンク（ＵＬ）送信を搬送するためのアップリンク、および／または（たとえば、ｅＮＢ１０５からＵＥ１１５への）ダウンリンク（ＤＬ）送信を搬送するためのダウンリンクを含み得る。ＵＬ送信は逆方向リンク送信と呼ばれることもあり、ＤＬ送信は順方向リンク送信と呼ばれることもある。ダウンリンク送信は、免許スペクトラム（たとえば、ＬＴＥ）、免許不要スペクトラム、または両方を使用して行われ得る。同様に、アップリンク送信は、免許スペクトラム（たとえば、ＬＴＥ）、免許不要スペクトラム、または両方を使用して行われ得る。
【００２９】
[0065]ワイヤレス通信システム１００のいくつかの実施形態では、免許スペクトラムにおけるＬＴＥダウンリンク容量が免許不要スペクトラムにオフロードされ得る補助ダウンリンクモードと、ＬＴＥのダウンリンク容量とアップリンク容量の両方が免許スペクトラムから免許不要スペクトラムにオフロードされ得るキャリアアグリゲーションモードと、基地局（たとえば、ｅＮＢ）とＵＥとの間のＬＴＥダウンリンク通信およびアップリンク通信が免許不要スペクトラムにおいて行われ得るスタンドアロンモードとを含む、免許不要スペクトラムまたは共有スペクトラムを通じたＬＴＥ／ＬＴＥ−Ａのための様々な展開シナリオがサポートされ得る。基地局またはｅＮＢ１０５、ならびにＵＥ１１５は、これらまたは同様の動作モードの１つまたは複数をサポートすることができる。ＯＦＤＭＡ通信信号は、免許不要スペクトラムおよび／または免許スペクトラムにおけるＬＴＥダウンリンク送信のために通信リンク１２５の中で使用され得るが、ＳＣ−ＦＤＭＡ通信信号は、免許不要スペクトラムおよび／または免許スペクトラムにおけるＬＴＥアップリンク送信のために通信リンク１２５の中で使用され得る。
【００３０】
[0066]いくつかの例では、免許不要スペクトラムのキャリア上でスケジューリングされる送信は、免許スペクトラムのキャリアを使用してスケジューリングされ得る。たとえば、免許スペクトラム中の第１のキャリアは、免許不要スペクトラム中の第２のキャリアを通じた受信デバイスへの送信をスケジューリングするように構成されるアンカーキャリアであり得る。しかしながら、送信デバイスは、第２のキャリアへのアクセス権がクリアチャネルアセスメント（ＣＣＡ）手順を使用して得られる場合にのみ、スケジューリングされた送信を第２のキャリアを通じて送信することが可能であり得る。したがって、いくつかの例では、第１のキャリアは、第２のキャリアのためのＣＣＡが成功したかどうかの指示を受信デバイスに送信することができる。この指示は、受信デバイスが、スケジューリングされた送信について第２のキャリアを聴取する(listen)かどうかを確かめることを可能にし得る。以下のさらなる詳細において説明されるように、受信デバイスはまた、第１のキャリアで受信される指示に基づいて、第２のキャリアのためのＡＣＫ／ＮＡＣＫとＣＳＩパラメータとを調整することができる。
【００３１】
[0067]図２Ａは、本開示の様々な態様による、免許不要スペクトラムにおいてＬＴＥを使用するための展開シナリオの例を示す図を示す。一実施形態では、図２Ａは、免許不要スペクトラムまたは共有スペクトラムを通じてＬＴＥ／ＬＴＥ−ＡをサポートするＬＴＥネットワークのための補助ダウンリンクモードおよびキャリアアグリゲーションモードの例を示す、ワイヤレス通信システム２００を示す。ワイヤレス通信システム２００は、図１のワイヤレス通信システム１００の部分の例であり得る。その上、基地局２０５は図１の基地局１０５の例であってよく、ＵＥ２１５、２１５−ａ、および２１５−ｂは図１のＵＥ１１５の例であってよい。
【００３２】
[0068]ワイヤレス通信システム２００における補助ダウンリンクモードの例では、基地局２０５は、ダウンリンク２２０を使用してＵＥ２１５にＯＦＤＭＡ通信信号を送信することができる。ダウンリンク２２０は、免許不要スペクトラム中の周波数Ｆ１と関連付けられ得る。基地局２０５は、双方向リンク２２５を使用してＯＦＤＭＡ通信信号を同じＵＥ２１５に送信することができ、双方向リンク２２５を使用してＳＣ−ＦＤＭＡ通信信号をそのＵＥ２１５から受信することができる。双方向リンク２２５は、免許スペクトラムにおける周波数Ｆ４と関連付けられ得る。免許不要スペクトラム中のダウンリンク２２０および免許スペクトラム中の双方向リンク２２５は、同時に動作することができる。ダウンリンク２２０は、ダウンリンク容量のオフロードを基地局２０５に提供することができる。いくつかの実施形態では、ダウンリンク２２０は、ユニキャストサービス（たとえば、１つのＵＥへ宛てられる）のサービスのために、またはマルチキャストサービス（たとえば、いくつかのＵＥへ宛てられる）のために使用され得る。このシナリオは、免許スペクトラムを使用し、トラフィックおよび／またはシグナリング輻輳の一部を軽減する必要がある、あらゆるサービス提供者（たとえば、従来のモバイルネットワーク事業者またはＭＮＯ）に対して発生し得る。
【００３３】
[0069]ワイヤレス通信システム２００におけるキャリアアグリゲーションモードの一例では、基地局２０５は、双方向リンク２３０を使用してＵＥ２１５−ａにＯＦＤＭＡ通信信号を送信することができ、双方向リンク２３０を使用して同じＵＥ２１５−ａからＳＣ−ＦＤＭＡ通信信号を受信することができる。双方向リンク２３０は、免許不要スペクトラムにおける周波数Ｆ１と関連付けられ得る。基地局２０５はまた、双方向リンク２３５を使用してＯＦＤＭＡ通信信号を同じＵＥ２１５−ａに送信することができ、双方向リンク２３５を使用してＳＣ−ＦＤＭＡ通信信号を同じＵＥ２１５−ａから受信することができる。双方向リンク２３５は、免許スペクトラムにおける周波数Ｆ２と関連付けられ得る。双方向リンク２３０は、ダウンリンク容量およびアップリンク容量のオフロードを基地局２０５に提供することができる。上で説明された補助ダウンリンクのように、このシナリオは、免許スペクトラムを使用し、トラフィックおよび／またはシグナリング輻輳の一部を軽減する必要がある、あらゆるサービス提供者（たとえば、ＭＮＯ）に対して発生し得る。
【００３４】
[0070]ワイヤレス通信システム２００におけるキャリアアグリゲーションモードの別の例では、基地局２０５は、双方向リンク２４０を使用してＵＥ２１５−ｂにＯＦＤＭＡ通信信号を送信することができ、双方向リンク２４０を使用して同じＵＥ２１５−ｂからＳＣ−ＦＤＭＡ通信信号を受信することができる。双方向リンク２４０は、免許不要スペクトラムにおける周波数Ｆ３と関連付けられ得る。基地局２０５はまた、双方向リンク２４５を使用してＯＦＤＭＡ通信信号を同じＵＥ２１５−ｂに送信することができ、双方向リンク２４５を使用してＳＣ−ＦＤＭＡ通信信号を同じＵＥ２１５−ｂから受信することができる。双方向リンク２４５は、免許スペクトラムにおける周波数Ｆ２と関連付けられ得る。双方向リンク２４０は、ダウンリンク容量およびアップリンク容量のオフロードを基地局２０５に提供することができる。この例および上で与えられた例は、説明のために提示され、容量のオフロードのために免許スペクトラムを通じたＬＴＥと免許不要スペクトラムまたは共有スペクトラムを通じたＬＴＥを組み合わせる、他の同様の動作モードまたは展開シナリオが存在し得る。
【００３５】
[0071]上で説明されたように、免許不要スペクトラム中でＬＴＥを使用することによって提供される容量オフロードから恩恵を受け得る典型的なサービス提供者は、ＬＴＥ帯域を用いる従来のＭＮＯである。これらのサービス提供者にとって、運用上の構成は、免許スペクトラム上のＬＴＥ一次コンポーネントキャリア（ＰＣＣ）と免許不要スペクトラム上の二次コンポーネントキャリア（ＳＣＣ）とを使用するブートストラップモード（たとえば、補助ダウンリンク、キャリアアグリゲーション）を含み得る。
【００３６】
[0072]キャリアアグリゲーションモードでは、データおよび制御は一般に、ＬＴＥ（たとえば、双方向リンク２２５、２３５、および２４５）で通信され得るが、データは一般に、免許不要スペクトラムまたは共有スペクトラム（たとえば、双方向リンク２３０および２４０）を通じてＬＴＥ／ＬＴＥ−Ａで通信され得る。免許不要スペクトラムまたは共有スペクトラムを使用するときにサポートされるキャリアアグリゲーション機構は、ハイブリッド周波数分割複信−時分割複信（ＦＤＤ−ＴＤＤ）キャリアアグリゲーション、または複数のコンポーネントキャリアにわたって異なる対称性を伴うＴＤＤ−ＴＤＤキャリアアグリゲーションに属し得る。
【００３７】
[0073]図２Ｂは、本開示の様々な態様による、免許不要スペクトラムまたは共有スペクトラムのためのスタンドアロンモードの例を示すワイヤレス通信システム２５０を示す。ワイヤレス通信システム２５０は、図１のワイヤレス通信システム１００および／または図２Ａの２００の部分の例であり得る。その上、基地局２０５は、図１および／または図２Ａを参照して説明された基地局１０５および／または２０５の一例であり得るが、ＵＥ２１５−ｃは、図１および／または図２ＡのＵＥ１１５および／または２１５の一例であり得る。
【００３８】
[0074]ワイヤレス通信システム２５０におけるスタンドアロンモードの例では、基地局２０５は、双方向リンク２５５を使用してＵＥ２１５−ｃにＯＦＤＭＡ通信信号を送信することができ、双方向リンク２５５を使用してＵＥ２１５−ｃからＳＣ−ＦＤＭＡ通信信号を受信することができる。双方向リンク２５５は、図２Ａを参照して上で説明された免許不要スペクトラムにおける周波数Ｆ３と関連付けられ得る。スタンドアロンモードは、スタジアム内アクセス（たとえば、ユニキャスト、マルチキャスト）などの非従来型のワイヤレスアクセスシナリオにおいて使用され得る。この動作モードの典型的なサービス提供者は、免許スペクトラムを有しないスタジアム所有者、ケーブル会社、イベント主催者、ホテル、企業または大規模会社であり得る。
【００３９】
[0075]いくつかの実施形態では、図１、図２Ａ、および／もしくは図２Ｂを参照して説明されたｅＮＢ１０５および／もしくは基地局２０５、または、図１、図２Ａ、および／もしくは図２Ｂを参照して説明されたＵＥ１１５および／もしくは２１５などの送信デバイスは、共有スペクトラムのチャネルへの（たとえば、免許スペクトラムまたは免許不要スペクトラムの物理チャネルへの）アクセス権を得るためにゲーティング間隔を使用することができる。ゲーティング間隔は、ＥＴＳＩ（ＥＮ３０１  ８９３）において指定されているＬＢＴプロトコルに基づくリスンビフォートーク（ＬＢＴ：Listen Before Talk）プロトコルのような、コンテンションベースプロトコルの適用を定義し得る。ＬＢＴプロトコルの適用を定義するゲーティング間隔を使用するとき、ゲーティング間隔は、送信装置がクリアチャネルアセスメント（ＣＣＡ）を実行する必要があるときを示し得る。ＣＣＡの結果は、共有された免許不要スペクトラムのチャネルが利用可能であるか、または使用中であるかを送信装置に示し得る。チャネルが利用可能である（たとえば、使用のために「クリア」である）ことをＣＣＡが示すとき、ゲーティング間隔は、通常はあらかじめ定義された送信間隔の間、送信装置がチャネルを使用することを可能にし得る。いくつかの場合、チャネルが利用可能であることをＣＣＡが示す場合、チャネルのためのチャネル状態情報（ＣＳＩ）は、ＣＣＡがクリアされるフレーム中の参照信号などに基づいて、測定され報告され得る。いくつかの例では、ＣＳＩは、瞬時的な、すなわち短期のＣＳＩであってよく、および／または、統計的な、すなわち長期のＣＳＩであってよい。チャネルが利用可能ではない（たとえば、使用中または予約済みである）ことをＣＣＡが示すとき、ゲーティング間隔は、送信装置が送信間隔の間にチャネルを使用するのを妨げ得る。いくつかの場合、チャネルが利用可能ではないことをＣＣＡが示す場合、ＣＳＩは前のフレームに基づいて測定されてよく、および／またはそのフレームに対しては省略されてよい。いくつかの例では、ＣＣＡは拡張ＣＣＡ（ＥＣＣＡ）であってよく、ＥＣＣＡでは、免許不要の無線周波数スペクトラムバンドに対するコンテンションの成功は複数のＮ個のＣＣＡの実行に依存し、ここでＮはあらかじめ定義された正の整数である。
【００４０】
[0076]いくつかの場合、送信装置が、周期的にゲーティング間隔を生成し、周期的なフレーム構造の少なくとも１つの境界とゲーティング間隔の少なくとも１つの境界を同期させることが有用であり得る。たとえば、共有スペクトラムにおいてセルラーダウンリンクのための周期的なゲーティング間隔を生成し、セルラーダウンリンクと関連付けられる周期的なフレーム構造（たとえば、ＬＴＥ／ＬＴＥ−Ａ無線フレーム）の少なくとも１つの境界と周期的なゲーティング間隔の少なくとも１つの境界を同期させることが有用であり得る。そのような同期の例が図３に示される。
【００４１】
[0077]図３は、本開示の様々な態様による、免許不要スペクトラムにおけるセルラーダウンリンクのための免許不要フレーム／間隔３０５、３１５、および／または３２５の例３００を示す。免許不要フレーム／間隔３０５、３１５、および／または３２５は、免許不要スペクトラムを通じた送信をサポートするｅＮＢによって周期的なゲーティング間隔として使用され得る。そのようなｅＮＢの例は、図１、図２Ａ、および／または図２Ｂを参照して説明されたアクセスポイント１０５および／または基地局２０５であり得る。免許不要フレーム／間隔３０５、３１５、および／または３２５は、図１、図２Ａ、および／または図２Ｂを参照して説明されたワイヤレス通信システム１００、２００、および／または２５０とともに使用され得る。
【００４２】
[0078]例として、免許不要フレーム／間隔３０５の持続時間が、セルラーダウンリンクと関連付けられる周期的なフレーム構造のＬＴＥ／ＬＴＥ−Ａ無線フレーム３１０の持続時間に等しい（またはそれにほぼ等しい）ものとして示されている。いくつかの実施形態では、「ほぼ等しい」は、免許不要フレーム／間隔３０５の持続時間が周期的なフレーム構造の持続時間のサイクリックプレフィックス（ＣＰ）持続時間内であることを意味する。
【００４３】
[0079]免許不要フレーム／間隔３０５の少なくとも１つの境界は、ＬＴＥ／ＬＴＥ−Ａ無線フレームＮ−１〜Ｎ＋１を含む周期的なフレーム構造の少なくとも１つの境界と同期され得る。いくつかの場合、免許不要フレーム／間隔３０５は、周期的なフレーム構造のフレーム境界と揃えられた境界を有し得る。他の場合には、免許不要フレーム／間隔３０５は、周期的なフレーム構造のフレーム境界と同期されているがそれからオフセットされている境界を有し得る。たとえば、免許不要フレーム／間隔３０５の境界は、周期的なフレーム構造のサブフレーム境界と揃えられてよく、または周期的なフレーム構造のサブフレーム中間点境界（たとえば、特定のサブフレームの中間点）と揃えられてよい。
【００４４】
[0080]いくつかの場合、周期的なフレーム構造は、ＬＴＥ／ＬＴＥ−Ａ無線フレームＮ−１〜Ｎ＋１を含み得る。各ＬＴＥ／ＬＴＥ−Ａ無線フレーム３１０は、たとえば、１０ミリ秒の持続時間を有してよく、免許不要フレーム／間隔３０５も、１０ミリ秒の持続時間を有してよい。これらの場合、免許不要フレーム／間隔３０５の境界は、ＬＴＥ／ＬＴＥ−Ａ無線フレームの１つ（たとえば、ＬＴＥ／ＬＴＥ−Ａ無線フレーム（Ｎ））の境界（たとえば、フレーム境界、サブフレーム境界、またはサブフレーム中間点境界）と同期され得る。
【００４５】
[0081]例として、免許不要フレーム／間隔３１５および３２５の持続時間が、セルラーダウンリンクと関連付けられる周期的なフレーム構造の持続時間の約数（またはそのほぼ約数）であるものとして示されている。いくつかの例では、「〜のほぼ約数」は、免許不要フレーム／間隔３１５、３２５の持続時間が周期的なフレーム構造の約数（たとえば、１／２または１／１０）の持続時間のサイクリックプレフィックス（ＣＰ）持続時間内であることを意味する。たとえば、免許不要フレーム／間隔３１５は、５ミリ秒の持続時間を有してよく、免許不要フレーム／間隔３２５は、１または２ミリ秒の持続時間を有してよい。
【００４６】
[0082]図４Ａは、免許不要スペクトラムにおけるセルラーダウンリンクとセルラーアップリンクの両方によって使用可能な周期的なゲーティング間隔４０５の例４００を示す。周期的なゲーティング間隔４０５は、免許不要スペクトラムまたは共有スペクトラムにおけるＬＴＥ／ＬＴＥ−Ａ通信をサポートするｅＮＢおよびＵＥによって使用され得る。そのようなｅＮＢの例は、図１、図２Ａ、および／または図２Ｂを参照して説明されたｅＮＢ１０５および２０５であり得る。そのようなＵＥの例は、図１、図２Ａ、および／または図２Ｂを参照して説明されたＵＥ１１５および２１５であり得る。
【００４７】
[0083]例として、周期的なゲーティング間隔４０５の持続時間は、セルラーダウンリンクと関連付けられる周期的なフレーム構造４４０の持続時間に等しい（またはほぼ等しい）ものとして示されている。周期的なゲーティング間隔４０５の境界は、周期的なフレーム構造４４０の境界と同期され得る（たとえば、揃えられ得る）。
【００４８】
[0084]周期的なフレーム構造４４０は、１０個のサブフレーム（たとえば、ＳＦ０、ＳＦ１、…、ＳＦ９）を有するＬＴＥ／ＬＴＥ−Ａ無線フレームを含み得る。サブフレームＳＦ０〜ＳＦ４はダウンリンク（Ｄ）サブフレーム４１０であってよく、サブフレームＳＦ５は特別（Ｓ’）サブフレーム４１５であってよく、サブフレームＳＦ６〜ＳＦ８はアップリンク（Ｕ）サブフレーム４２０であってよく、サブフレームＳＦ９は特別（Ｓ’）サブフレーム４２５であってよい。Ｓ’サブフレームＳＦ９は、サブフレームＳＦ０〜ＳＦ４におけるダウンリンク送信のためにＣＣＡ（たとえば、ダウンリンクＣＣＡまたはＤＣＣＡ４３０）を実行するためにｅＮＢによって使用され得る。Ｓ’サブフレームＳＦ５は、サブフレームＳＦ６〜ＳＦ９の一部におけるアップリンク送信のためにＣＣＡ（たとえば、アップリンクＣＣＡまたはＵＬＣＣＡ４３５）を実行するためにＵＥによって使用され得る。いくつかの場合、Ｓ’サブフレームは、ＥＣＣＡを実行するためにｅＮＢによって使用され得る。
【００４９】
[0085]Ｓ’サブフレーム４１５および４２５は、１ミリ秒の持続時間を有するので、免許不要スペクトラムの特定の物理チャネルをめぐって争う送信デバイスがＣＣＡを実行し得る、１つまたは複数のＣＣＡスロットまたはウィンドウを含み得る。物理チャネルが利用可能であるが、Ｓ’サブフレーム４１５または４２５の終了の前にデバイスのＣＣＡが完了したことを送信デバイスのＣＣＡが示すとき、デバイスは、Ｓ’サブフレーム４１５または４２５の終了までチャネルを予約するために１つまたは複数の信号を送信することができる。いくつかの場合、１つまたは複数の信号は、チャネル使用パイロット信号（ＣＵＰＳ）、チャネル使用ビーコン信号（ＣＵＢＳ）、および／またはセル固有参照信号（ＣＲＳ）を含み得る。ＣＵＰＳ、ＣＵＢＳ、および／またはＣＲＳは、チャネル同期とチャネル予約の両方のために使用され得る。すなわち、別のデバイスがチャネル上でＣＵＰＳ、ＣＵＢＳ、またはＣＲＳを送信し始めた後にチャネルのためのＣＣＡを実行するデバイスは、ＣＵＰＳ、ＣＵＢＳ、またはＣＲＳのエネルギーを検出し、チャネルが現在利用不可能であると決定することができる。
【００５０】
[0086]いくつかの場合、ｅＮＢのような送信デバイスは、Ｄサブフレーム４１０のような許可されたサブフレームのすべての間に送信すべきデータを有するとは限らない。たとえば、送信デバイスはデータを有しないことがあるが、他の情報（たとえば、一次同期信号（ＰＳＳ）、二次同期信号（ＳＳＳ）、セル固有参照信号（ＣＲＳ）、増強ＣＲＳ（ｅＣＲＳ）など）を送信することがある。１つのペイロードの組合せのようなＣＵＢＳの一部分が、送信デバイスがデータを送信していないこと、および／または同期信号だけを送信していることを示すために、使用および／または予約され得る。いくつかの例では、増強送信フォーマットインジケータチャネル（ｅＴＦＩＣＨ：enhanced transmission format indicator channel）または増強物理フォーマットインジケータチャネル（ｅＰＦＩＣＨ：enhanced physical format indicator channel）の一部分（たとえば、１つのペイロードの組合せ）が、送信デバイスがデータを送信していないこと、および／または同期信号だけを送信していることを示すために、使用および／または予約され得る。
【００５１】
[0087]いくつかの例では、ｅＮＢのような送信デバイスは、Ｄサブフレーム４１０のような許可されたサブフレームのすべてが終了する前に、送信を止めることができる。送信デバイスが送信のために使用することを意図するサブフレームの数を示すために、ＣＵＢＳなどに追加のビットが追加され得るが、これはＣＵＢＳの想定される数を増やすことがある。いくつかの場合、送信の終わりを示すために、次のサブフレームのシンボル０のような送信の終わりにおいて、ＣＵＢＳと同様のもののような信号が使用され得る。いくつかの例では、物理制御フォーマットインジケータチャネル（ＰＣＦＩＣＨ）または同様の信号などの信号が、サブフレームの最初のシンボルなどにおいて、アクティブなサブフレームの数を搬送することができる。いくつかの場合、ＰＣＦＩＣＨまたは同様の信号が、現在のサブフレームが送信に使用されるべきサブフレームの最後のものであるかどうかを示すために、少なくとも１つのビットを搬送することができる。
【００５２】
[0088]送信デバイスが、物理チャネルのためのＣＣＡの完了、および／または、物理チャネルを通じたＣＵＰＳ、ＣＵＢＳ、もしくはＣＲＳの送信に成功した後、送信デバイスは、波形（たとえば、ＬＴＥベースの波形）を送信するために、所定の時間の期間（たとえば、ＬＴＥ／ＬＴＥ−Ａ無線フレームの一部分）までの間、物理チャネルを使用することができる。
【００５３】
[0089]図４Ｂは、図４Ａを参照して説明されたＳ’サブフレーム４１５または４２５のような、ＬＢＴのようなコンテンションベースのプロトコルがどのようにＳ’サブフレーム４５０内で実装され得るかの例を示す。コンテンションベースのプロトコルは、たとえば、図１、図２Ａ、および／もしくは図２Ｂを参照して説明された、ワイヤレス通信システム１００、２００、および／もしくは３００、アクセスポイントもしくはｅＮＢ１０５および／もしくは２０５、ならびに／または、ＵＥ１１５および／または２１５とともに使用され得る。
【００５４】
[0090]Ｓ’サブフレーム４１５として使用されるとき、Ｓ’サブフレーム４５０は、ガード期間（またはサイレント期間）４５５とＣＣＡ期間４６０とを有し得る。例として、ガード期間４５５およびＣＣＡ期間４６０の各々は、０．５ミリ秒という持続時間を有してよく、７個のＯＦＤＭシンボル位置４６１５（図４Ｂではスロット１〜７としてラべリングされている）を含んでよい。Ｓ’サブフレーム４２５として使用されるとき、Ｓ’サブフレーム４５０は、ガード期間４５５の代わりにアップリンク送信期間を有し得る。
【００５５】
[0091]いくつかの場合、ｅＮＢは、免許不要スペクトラムの送信期間が送信期間の間の送信に利用可能かどうかを決定するために、免許不要スペクトラムの後続の送信期間のためのＣＣＡ４７０を実行するためにＯＦＤＭシンボル位置４６５の１つまたは複数を選択することができる。いくつかの場合、ＣＣＡ４７０はＥＣＣＡ手順の一部である。いくつかの例では、チャネルが利用可能であることをＣＣＡが示す場合、チャネルまたはキャリアのためのＣＳＩフィードバックのようなＣＳＩは、ＣＣＡ４７０を実行するために使用されるＯＦＤＭシンボル位置４６５を含むフレームのような、あるフレーム中の参照信号に基づいて、測定および／または報告され得る。いくつかの例では、チャネルが利用可能ではないことをＣＣＡが示す場合、チャネルまたはキャリアのためのＣＳＩフィードバックのようなＣＳＩは前のフレームに基づいて測定されてよく、またはそのフレームに対しては省略されてよい。いくつかの場合、ＯＦＤＭシンボル位置４６５の異なる１つが、Ｓ’サブフレーム４５０の異なる発生において（すなわち、免許不要スペクトラムの異なる送信期間にＣＣＡ４７０を実行するために使用される異なるＳ’サブフレームにおいて）ｅＮＢによって擬似ランダムに特定または選択され得る。ＯＦＤＭシンボル位置の擬似ランダムな特定または選択は、ホッピングシーケンスを使用して制御され得る。他の場合、同じＯＦＤＭシンボル位置４６５が、Ｓ’サブフレームの異なる発生においてｅＮＢによって選択され得る。
【００５６】
[0092]ワイヤレス通信システムのｅＮＢは、同じまたは異なる事業者によって運用され得る。いくつかの実施形態において、異なる事業者によって運用されるｅＮＢは、特定のＳ’サブフレーム４５０中のＯＦＤＭシンボル位置４６５の異なる１つを選択し、これによって、異なる事業者間のＣＣＡの競合を防ぐことができる。異なる事業者の擬似ランダムな選択機構が協調する場合、ＯＦＤＭシンボル位置４６５は、異なる事業者のｅＮＢがいくつかの送信期間のための最早のＯＦＤＭシンボル位置（すなわち、スロット１）においてＣＣＡ４７０を実行するための等しい機会を各々有するように、複数の異なる事業者によって擬似ランダムに選択され得る。したがって、経時的に、異なる事業者のｅＮＢは各々、他の事業者のｅＮＢの必要性とは無関係に、まずＣＣＡ４７０を実行し免許不要スペクトラムの送信期間へのアクセス権を得るための機会を有し得る。ＣＣＡ４７０の成功の後で、ｅＮＢは、他のデバイスおよび／または事業者が免許不要スペクトラムの送信間隔の１つまたは複数の物理チャネルを使用するのを防ぐために、ＣＵＰＳ、ＣＵＢＳ、またはＣＲＳを送信することができる。
【００５７】
[0093]図５は、共有スペクトラムの周期的なゲーティング間隔５０５内のクロスキャリアスケジューリングの例５００を示す。周期的なゲーティング間隔５０５は、図４に示される周期的なゲーティング間隔４０５の１つまたは複数の態様の例であってよく、ある数のサブフレーム（たとえば、ＳＦ０、ＳＦ１、…、ＳＦ９と標識される１０個のサブフレーム）を含み得る。示される例では、サブフレームＳＦ０〜ＳＦ４は、ダウンリンク（Ｄ）サブフレーム５１０であり、サブフレームＳＦ５は、アップリンクＣＣＡ（ＵＣＣＡ）を実行するために異なる事業者の装置（たとえば、ＵＥ）に対してある数のＣＣＡスロットが提供され得る特別（Ｓ’）サブフレーム５１５であり、サブフレームＳＦ６〜ＳＦ８は、アップリンク（Ｕ）サブフレーム５２０であり、サブフレームＳＦ９は、ダウンリンクＣＣＡ（ＤＣＣＡ）を実行するために異なる事業者の装置（たとえば、ｅＮＢ）に対してある数のＣＣＡスロットが提供され得る特別（Ｓ’）サブフレーム５２５である。
【００５８】
[0094]図５は、サブフレームの２つのシーケンスを示す。サブフレームの最初のシーケンス５３０は第１の物理キャリア（たとえば、第１のコンポーネントキャリア（ＣＣ１））のためのものとして示されており、サブフレームの２番目のシーケンス５３５は第２の物理キャリア（たとえば、第２のコンポーネントキャリア（ＣＣ２））のためのものとして示されている。いくつかの場合、サブフレームのシーケンス５３０、５３５の１つまたは両方が、免許不要スペクトラムまたは共有スペクトラム中のサブフレームのシーケンスであり得る。いくつかの場合、サブフレーム５３０、５３５のシーケンスの１つまたは両方が、免許スペクトラムおよび／またはＬＴＥ／ＬＴＥ−Ａ帯域中のサブフレームのシーケンスであり得る。ＣＣ２のダウンリンクサブフレーム５１０は、ＣＣ１のダウンリンクサブフレーム５１０を介してクロスキャリアスケジューリングされ得る。ＣＣ２のアップリンクサブフレーム５２０はまた、ＣＣ１のダウンリンクサブフレーム５１０を介してクロスキャリアスケジューリングされ得る。
【００５９】
[0095]共有スペクトラムにおけるデータ送信のために複数の物理キャリア（たとえば、ＣＣ１およびＣＣ２）に依存するときに生じる問題は、各物理キャリア上の送信がＣＣＡを受けることがあり、ＣＣＡが各物理キャリアに対して別々に（たとえば、ＣＣ１とＣＣ２に対して別々に）パス（pass）または失敗（fail）することがある、ということである。したがって、ＣＣＡは、第１の物理キャリア上ではアップリンク送信期間またはダウンリンク送信期間に対してパスし得るが、第２の物理キャリア上ではＣＣＡがアップリンク送信期間またはダウンリンク送信期間に対して失敗し、この第２の物理キャリアは第１の物理キャリアを動的にスケジューリングするので、第１の物理キャリア上のアップリンク送信期間またはダウンリンク送信期間が無駄にされ得る。たとえば、ＤＣＣＡ５４０がＣＣ２に対してパスする場合、ダウンリンク送信期間５４５は、ＣＣ２を介したダウンリンク送信のために予約され得る。しかしながら、ＤＣＣＡ５４０がＣＣ１に対して失敗する場合、ダウンリンク送信期間５４５はＣＣ１のために予約されなくてよい。ＣＣ２のダウンリンク送信期間５４５のダウンリンクサブフレーム５１０が、ＣＣ１のダウンリンク送信期間５４５のダウンリンクサブフレーム５１０を介して（たとえば、ＤＬ５５０のためのクロスキャリアスケジューリングを介して）クロスキャリアスケジューリングされたとすると、ＣＣ１のダウンリンク送信期間５４５のダウンリンクサブフレーム５１０を介して搬送されることになっていたダウンリンク制御情報は入手不可能になり、ＣＣ２のダウンリンク送信期間５４５のダウンリンクサブフレーム５１０を実質的に無駄にし、また、ＣＣ２のアップリンク送信期間５６０にＵＣＣＡ５５５を実行するために特別サブフレーム５１５を使用するのを不可能にする。さらに、ＣＣ２のアップリンク送信期間５６０のアップリンクサブフレーム５２０がＣＣ１のダウンリンク送信期間５４５のダウンリンクサブフレーム５１０を介して（たとえば、ＵＬ５６５のためのクロスキャリアスケジューリングを介して）クロスキャリアスケジューリングされたとすると、ＣＣ１のダウンリンク送信期間５４５のダウンリンクサブフレーム５１０を介して搬送されることになっていたアップリンク制御情報が入手不可能になり得る。またさらに、ＣＣ１のアップリンク送信期間５６０のアップリンクサブフレーム５２０が、ＣＣ１のダウンリンク送信期間５４５のダウンリンクサブフレーム５１０を介してスケジューリングされたとすると、ＣＣ１のダウンリンク送信期間５４５のダウンリンクサブフレーム５１０を介して搬送されることになっていたアップリンク制御情報は入手不可能になり、ＣＣ１のアップリンク送信期間５６０ためのＵＣＣＡ５５５がパスした場合でも、ＣＣ１のアップリンク送信期間５６０のアップリンクサブフレーム５２０は使用可能ではないことがある。
【００６０】
[0096]クロスキャリアスケジューリングされることが可能な１つまたは複数の物理キャリア（たとえば、１つまたは複数のＣＣ）の動的スケジューリングを可能にするために、別の物理キャリア上でのＣＣＡの失敗にもかかわらず（たとえば、図５を参照して説明されたＣＣＡの失敗のようなＣＣＡの失敗にもかかわらず）、１つまたは複数の物理キャリアがクロススケジューリングされることが可能である物理キャリアに対してＣＣＡがパスするか失敗するかに応じて、１つまたは複数の物理キャリアの各々がクロスキャリアスケジューリングまたは同一キャリアスケジューリングされ得るように、１つまたは複数の物理キャリアの各々は、クロスキャリアスケジューリングに加えて同一キャリアスケジューリングをサポートするように構成され得る。ＵＥは次いで、１つまたは複数の物理キャリアを動的にスケジューリングするために使用される制御情報について複数の物理キャリア（たとえば、第１の物理キャリアと第２の物理キャリアとを含む２つ以上の物理キャリア）を監視するように構成され得る。したがって、たとえば、第１の物理キャリアおよび第２の物理キャリアは、第１の物理キャリアのためのダウンリンク制御送信について監視され得る。
【００６１】
[0097]１つまたは複数の物理キャリアを動的にスケジューリングするために使用される制御情報について複数の物理キャリアを監視することは、アップリンクスケジューリングとダウンリンクスケジューリングの両方の状況で、また、準持続的スケジューリング（ＳＰＳ：semi-persistent acheduling）の状況で使用されてよい。
【００６２】
[0098]図６Ａは、第１の物理キャリア（たとえば、ＣＣ１）および第２の物理キャリア（たとえば、ＣＣ２）が第１の物理キャリアのためのダウンリンク制御送信について監視され得る、第１の例６００を示す。具体的には、ＣＣ１のＥＰＤＣＣＨリソース６１０（たとえば、制御チャネル）は、所与のサブフレーム６０５におけるＣＣ１上での送信（たとえば、ＰＤＳＣＨ送信）のためのダウンリンク制御送信を搬送することができ、または、ＣＣ２のＥＰＤＣＣＨリソース６１５は、所与のサブフレーム６０５におけるＣＣ１上での送信（たとえば、ＰＤＳＣＨ送信）のためのダウンリンク制御送信を搬送することができる。したがって、ＵＥは、ＣＣ１のためのダウンリンク制御送信について、第１の物理キャリアと第２の物理キャリアの両方を監視することができる。所与のサブフレーム６０５において、ＵＥは、ＣＣ１上でのＰＤＳＣＨ送信のためのダウンリンク制御送信がＣＣ１のＥＰＤＣＣＨリソース６１０またはＣＣ２のＥＰＤＣＣＨリソース６１５を使用してスケジューリングされたことを知り得る。別のサブフレームにおいて、ＵＥは、ＣＣ１のためのダウンリンク制御送信が前のサブフレームと同じまたは異なるＥＰＤＣＣＨリソース（たとえば、ＣＣ１のＥＰＤＣＣＨリソース６１０またはＣＣ２のＥＰＤＣＣＨリソース６１５）を使用してスケジューリングされたことを知り得る。いくつかの場合、ダウンリンク制御送信が搬送されるＥＰＤＣＣＨリソース６１０または６１５の識別情報は、ＣＣＡがＣＣ１および／もしくはＣＣ２に対して成功したかどうか、ならびに／または、ＣＣ１および／もしくはＣＣ２と関連付けられる干渉のレベルに依存し得る。
【００６３】
[0099]いくつかの場合、第１の物理キャリアおよび／または第２の物理キャリアはまた、第２の物理キャリアのためのダウンリンク制御送信について監視され得る。たとえば、ＣＣ１のＥＰＤＣＣＨリソース６１０はさらにまたは代替的に、所与のサブフレーム６０５におけるＣＣ２上での送信（たとえば、ＰＤＳＣＨ送信）のためのダウンリンク制御送信を搬送することができ、および／または、ＣＣ２のＥＰＤＣＣＨリソース６１５はさらにまたは代替的に、所与のサブフレーム６０５におけるＣＣ２上での送信（たとえば、ＰＤＳＣＨ送信）のためのダウンリンク制御送信を搬送することができる。したがって、ＵＥは、ＣＣ２のためのダウンリンク制御送信について、第１の物理キャリアと第２の物理キャリアの両方を監視することができる。
【００６４】
[0100]例として、図６Ａは、第１の物理キャリア（たとえば、ＣＣ１）または第２の物理キャリア（たとえば、ＣＣ２）の少なくとも１つが複数の異なる物理キャリア（たとえば、ＣＣ１およびＣＣ２のためのＥＰＤＣＣＨ）のための制御チャネルを含み得る例６００を示す。しかしながら、いくつかの場合、図６Ｂを参照して説明されるように、別々の制御チャネルが各物理キャリアに対して提供され得る。
【００６５】
[0101]図６Ｂは、第１の物理キャリア（たとえば、ＣＣ１）および第２の物理キャリア（たとえば、ＣＣ２）が第１の物理キャリアのためのダウンリンク制御送信について監視され得る、第２の例６５０を示す。具体的には、ＣＣ１のＥＰＤＣＣＨリソース６６０は、所与のサブフレーム６５５におけるＣＣ１上での送信（たとえば、ＰＤＳＣＨ送信）のためのダウンリンク制御送信を搬送することができ、または、ＣＣ２のＥＰＤＣＣＨリソース６６５は、所与のサブフレーム６５５におけるＣＣ１上での送信（たとえば、ＰＤＳＣＨ送信）のためのダウンリンク制御送信を搬送することができる。したがって、ＵＥは、ＣＣ１のためのダウンリンク制御送信について、第１の物理キャリアと第２の物理キャリアの両方を監視することができる。所与のサブフレーム６５５において、ＵＥは、ＣＣ１上でのＰＤＳＣＨ送信のためのダウンリンク制御送信がＣＣ１のＥＰＤＣＣＨリソース６６０またはＣＣ２のＥＰＤＣＣＨリソース６６５を使用してスケジューリングされたことを知り得る。別のサブフレームにおいて、ＵＥは、ＣＣ１のためのダウンリンク制御送信が前のサブフレームと同じまたは異なるＥＰＤＣＣＨリソース（たとえば、ＣＣ１のＥＰＤＣＣＨリソース６６０またはＣＣ２のＥＰＤＣＣＨリソース６６５）を使用してスケジューリングされたことを知り得る。いくつかの場合、ダウンリンク制御送信が搬送されるＥＰＤＣＣＨリソース６６０または６６５の識別情報は、ＣＣＡがＣＣ１および／もしくはＣＣ２に対して成功したかどうか、ならびに／または、ＣＣ１および／もしくはＣＣ２と関連付けられる干渉のレベルに依存し得る。
【００６６】
[0102]いくつかの場合、第１の物理キャリアおよび／または第２の物理キャリアはまた、第２の物理キャリアのためのダウンリンク制御送信について監視され得る。たとえば、ＣＣ１の第２のＥＰＤＣＣＨリソース６７０は、所与のサブフレーム６５５におけるＣＣ２上での送信（たとえば、ＰＤＳＣＨ送信）のためのダウンリンク制御送信を搬送することができ、または、ＣＣ２の第２のＥＰＤＣＣＨリソース６７５は、所与のサブフレーム６５５におけるＣＣ２上での送信（たとえば、ＰＤＳＣＨ送信）のためのダウンリンク制御送信を搬送することができる。したがって、ＵＥは、ＣＣ２のためのダウンリンク制御送信について、第１の物理キャリアと第２の物理キャリアの両方を監視することができる。
【００６７】
[0103]いくつかの場合、ＥＰＤＣＣＨリソース６６０、６６５、６７０、および／または６７５はＰＤＣＣＨリソースであり得る。
【００６８】
[0104]図６Ａおよび／または図６Ｂを参照して説明される技法は、送信デバイスがアクセス権をめぐって争う共有スペクトラム（たとえば、免許不要スペクトラムまたは共有スペクトラム）中の物理キャリアとともに物理キャリアがクロスキャリアスケジューリングされるときには、特に有用であり得る。送信デバイスが保証されたアクセス権を有する帯域中の（たとえば、免許スペクトラムおよび／またはＬＴＥ／ＬＴＥ−Ａ帯域中の）物理キャリアとともに物理キャリアがクロスキャリアスケジューリングされるとき、図６Ａおよび／または図６Ｂを参照して説明される技法は望ましくないことがある。
【００６９】
[0105]ＵＥが第１の物理キャリアのためのダウンリンク制御送信について第１の物理キャリアと第２の物理キャリアの両方を監視するように構成されるとき、ＵＥがダウンリンク制御送信のために単一の物理キャリアだけを監視するように構成されるときに実行されるであろうものと同一または同様の、ブラインド復号の最大の数を維持するのが望ましいことがある。ブラインド復号の適切な最大の数を維持しながら、第１の物理キャリアまたは第２の物理キャリアを通じたスケジューリングの柔軟性も提供するために、様々な技法が利用され得る。第１の技法は、第１の物理キャリアおよび第２の物理キャリアを、可能なダウンリンク制御情報（ＤＣＩ）フォーマットの共通のセット（および場合によっては適切な数の可能なＤＣＩフォーマット）および／または可能なＤＣＩサイズの共通のセット（および場合によっては適切な数の可能なＤＣＩサイズ）と関連付けることを含み得る。第１の物理キャリアのためのダウンリンク制御送信は次いで、可能なＤＣＩフォーマットの共通のセットおよび／または可能なＤＣＩサイズの共通のセットに基づいてブラインド復号され得る。第２の技法は、異なる物理キャリアの制御チャネルの間で物理チャネルの制御リソースの同じセットを共有することを含み得る。第３の技法は、第１の物理キャリアと第２の物理キャリアとの間のクロスキャリアスケジューリングに基づいて、第１の物理キャリアまたは第２の物理キャリアの少なくとも１つの上でのダウンリンク制御送信のために実行されるブラインド復号の数を制約することを含み得る。第４の技法は、ダウンリンク制御送信が異なる物理キャリア上での送信をスケジューリングするために使用されるとき、第１の物理キャリアまたは第２の物理キャリアの少なくとも１つと関連付けられる可能なＤＣＩフォーマットのセットおよび／または可能なＤＣＩサイズのセットを制約することを含み得る。可能なＤＣＩフォーマットの制約されたセットおよび／または可能なＤＣＩサイズのセットは次いで、ブラインド復号の数を制約し得る（たとえば、多入力多出力（ＭＩＭＯ）システムにおける３つのＤＣＩサイズへの制約は、ブラインド復号の数を約６０に制約することがあり、一方、非ＭＩＭＯシステムにおける２つのＤＣＩサイズへの制約は、ブラインド復号の数を約４４に制約することがある）。
【００７０】
[0106]適切な数のブラインド復号を維持するための第１の技法（すなわち、第１の物理キャリアおよび第２の物理キャリアを、可能なＤＣＩフォーマットの共通のセットおよび／または可能なＤＣＩサイズの共通のセットと関連付けること）が、以下でさらに詳しく説明される。
【００７１】
[0107]ワイヤレス通信システム中の複数のＵＥの各々は、各物理キャリアのためのダウンリンク送信モード（ＴＭ）によって別々に構成されてよく、各ダウンリンクＴＭは、ＤＣＩフォーマットのセットと関連付けられてよい。たとえば、ダウンリンク送信モード１０（ＴＭ１０）は、ＤＣＩフォーマット１ＡおよびＤＣＩフォーマット２Ｄと関連付けられ得る。特定のＵＥおよび特定の物理チャネルのためのＤＣＩフォーマットのＤＣＩサイズは、ＤＣＩフォーマット自体および／または様々な他の要因に依存し得る。他の要因は、システム帯域幅、ＤＣＩフォーマットが別のＤＣＩフォーマットとサイズが一致しているかどうか、および／または、特定のＵＥおよび特定の物理チャネルのためのＤＣＩフォーマットに対して有効にされる機能のセットを含み得る。有効にされる機能のセットは、たとえば、非周期的なサウンディング参照信号（ＳＲＳ）のトリガ、クロスキャリアスケジューリング、１つまたは複数のチャネル状態情報（ＣＳＩ）プロセス）を含む多地点協調（ＣｏＭＰ）、ＵＥ固有探索空間（ＵＳＳ）、共通探索空間（ＣＳＳ）、アンテナポートの数などを含み得る。したがって、同じ帯域幅およびダウンリンクＴＭのもとでも、２つの異なる物理キャリアによって使用されるＤＣＩフォーマットに対するＤＣＩサイズは異なり得る。
【００７２】
[0108]ＤＣＩフォーマットに対するＤＣＩサイズの数がより多いことは、実行され得るブラインド復号の最大の数を増やし、ＵＥが物理キャリアのためのダウンリンク制御送信のために２つ以上の物理キャリアを監視するように構成されるときに、探索空間の共有を防ぎ得る。しかしながら、可能なＤＣＩフォーマットとＤＣＩサイズの共通のセット（および場合によっては適切な数の可能なＤＣＩフォーマットとＤＣＩサイズ）の使用が特定のＵＥによる使用のために構成されるすべての物理キャリアに対して強制される場合、特定のＵＥによって実行されるブラインド復号の最大の数は減らされ得る。
【００７３】
[0109]いくつかの場合、すべての物理キャリアにわたる可能なＤＣＩフォーマットおよびＤＣＩサイズの共通のセットの使用は、制約が多すぎることがある（たとえば、２つ以上の物理キャリアが異なるシステム帯域幅を有するとき）。これらの場合、ＤＣＩサイズのマッチングがグループ中の２つ以上の物理キャリアにわたって実行されてよく、クロスキャリア送信が物理キャリアのそのグループについて許可され得る。この点で、図７は、複数の物理キャリア（たとえば、ＣＣ１、ＣＣ２、…、ＣＣ５）の例７００を示す。物理キャリアＣＣ１およびＣＣ２は、クロスキャリアスケジューリングの目的で第１のグループ（たとえば、グループ１）へとグループ化されてよく、グループ１内でＤＣＩサイズのマッチングが行われ得る。物理キャリアＣＣ３、ＣＣ４、およびＣＣ５は、クロスキャリアスケジューリングの目的で第２のグループ（たとえば、グループ２）へとグループ化されてよく、グループ２内でＤＣＩサイズのマッチングが行われ得る。いくつかの場合、より多数または少数のグループが形成され得る。いくつかの場合、１つまたは複数の物理キャリアはグループ化されないことがある。例として、物理キャリアＣＣ１〜ＣＣ５の各々は、そのグループ中の物理キャリアの各々によって共有される制御チャネルを有するものとして示されている。他の実施形態では、物理キャリアの各々は、そのグループ中の物理キャリアの各々に対して別々の制御チャネルを有し得る。例として、制御チャネルは、ＥＰＤＣＣＨ制御チャネルであるものとして示されている。代替的な実施形態では、制御チャネルは、ＰＤＣＣＨまたは他のタイプの制御チャネルの形態をとり得る。
【００７４】
[0110]適切な数のブラインド復号を維持する（すなわち、異なる物理キャリアの制御チャネルの間で物理チャネルの制御リソースの同じセットを共有する）ための第２の技法の例が図６Ａおよび／または図７に示されており、共有される制御リソースのセットはＥＰＤＣＣＨリソースの共有されるセットを含む。
【００７５】
[0111]適切な数のブラインド復号を維持するための（すなわち、第１の物理キャリアと第２の物理キャリアとの間のクロスキャリアスケジューリングに基づいて、第１の物理キャリアまたは第２の物理キャリアの少なくとも１つの上でのダウンリンク制御送信のために実行されるブラインド復号の数を制約する）ための第３の技法が、以下でさらに詳しく説明される。第３の技法は、異なるＤＣＩサイズのもとでのブラインド復号の数を減らす際に、および／または誤った警告の確率（たとえば、特定の物理キャリアのためのダウンリンク制御送信として送信を誤って特定する確率）を下げるために有用であり得る。
【００７６】
[0112]いくつかの場合、ダウンリンク制御送信のために実行されるブラインド復号の数は、第１の物理キャリアと第２の物理キャリアの少なくとも１つの上でのダウンリンク制御送信について、制約された数の復号候補を監視することによって、制約され得る。制約された数の復号候補は、第１の物理キャリアと第２の物理キャリアとの間のクロスキャリアスケジューリングに基づき得る。第１の物理キャリアまたは第２の物理キャリアの少なくとも１つの上でのダウンリンク制御送信のために実行されるブラインド復号の数は、さらに、または代替的に、第１の物理キャリアと第２の物理キャリアとの間のクロスキャリアスケジューリングに基づいてダウンリンク制御送信について制約された数のリソースセットを監視することによって、制約され得る。第１の物理キャリアまたは第２の物理キャリアの少なくとも１つの上でのダウンリンク制御送信のために実行されるブラインド復号の数は、さらに、または代替的に、第１の物理キャリアと第２の物理キャリアとの間のクロスキャリアスケジューリングに基づいて制約されたサイズを有する少なくとも１つのリソースセットを監視することによって、制約され得る。
【００７７】
[0113]図８は、第１の物理キャリア（たとえば、ＣＣ１）および第２の物理キャリア（たとえば、ＣＣ２）が第１の物理キャリアのためのダウンリンク制御送信について監視され得る、例８００を示す。具体的には、ＣＣ１の第１のＥＰＤＣＣＨリソース８１０（たとえば、第１のリソースセット）または第２のＥＰＤＣＣＨリソース８１５（たとえば、第２のリソースセット）のいずれかが、所与のサブフレーム８０５におけるＣＣ１上での送信（たとえば、ＰＤＳＣＨ送信）のためのダウンリンク制御送信を搬送することができる。代替的に、ＣＣ２のＥＰＤＣＣＨリソース８２５（たとえば、第２のＥＰＤＣＣＨリソース８２５またはＣＣ２のリソースセット）が、所与のサブフレーム８０５におけるＣＣ１上での送信（たとえば、ＰＤＳＣＨ送信）のためのダウンリンク制御送信を搬送することができる。したがって、ＵＥは、ＣＣ１の第１のＥＰＤＣＣＨリソース８１０と第２のＥＰＤＣＣＨリソース８１５の両方を監視することがあるが、ＣＣ１のためのダウンリンク制御送信についてはＣＣ２の第２のＥＰＤＣＣＨリソース８２５しか監視しないことがある。所与のサブフレーム８０５において、ＵＥは、ＣＣ１上でのＰＤＳＣＨ送信のためのダウンリンク制御送信がＣＣ１の第１のＥＰＤＣＣＨリソース８１０、ＣＣ１の第２のＥＰＤＣＣＨリソース８１５、またはＣＣ２の第２のＥＰＤＣＣＨリソース８２５を使用してスケジューリングされたことを知り得る。別のサブフレームにおいて、ＵＥは、ＣＣ１のためのダウンリンク制御送信が前のサブフレームと同じまたは異なるＥＰＤＣＣＨリソースを使用してスケジューリングされたことを知り得る。いくつかの場合、ダウンリンク制御送信が搬送されるＥＰＤＣＣＨリソース８１０、８１５、または８１０の識別情報は、ＣＣＡがＣＣ１および／もしくはＣＣ２に対して成功したかどうか、ならびに／または、ＣＣ１および／もしくはＣＣ２と関連付けられる干渉のレベルに依存し得る。
【００７８】
[0114]いくつかの場合、第１の物理キャリアおよび／または第２の物理キャリアはまた、第２の物理キャリアのためのダウンリンク制御送信について監視され得る。たとえば、ＣＣ１の第２のＥＰＤＣＣＨリソース８１５が、所与のサブフレーム８０５におけるＣＣ２上での送信（たとえば、ＰＤＳＣＨ送信）のためのダウンリンク制御送信を搬送することができる。代替的に、ＣＣ２の第１のＥＰＤＣＣＨリソース８２０または第２のＥＰＤＣＣＨリソース８２５が、所与のサブフレーム８０５におけるＣＣ２上での送信（たとえば、ＰＤＳＣＨ送信）のためのダウンリンク制御送信を搬送することができる。したがって、ＵＥは、ＣＣ２のためのダウンリンク制御送信について、第１の物理キャリアと第２の物理キャリアの両方を監視することができる。
【００７９】
[0115]いくつかの場合、ＥＰＤＣＣＨリソース６６０、６６５、６７０、および／または６７５はＰＤＣＣＨリソースであり得る。
【００８０】
[0116]適切な数のブラインド復号を維持する（すなわち、ダウンリンク制御送信が異なる物理キャリア上での送信をスケジューリングするために使用されるとき、第１の物理キャリアまたは第２の物理キャリアの少なくとも１つと関連付けられる可能なＤＣＩフォーマットのセットおよび／または可能なＤＣＩサイズのセットを制約する）ための第４の技法の例も、図８を参照して説明され得る。たとえば、ＵＥは、ダウンリンクグラントとアップリンクグラントの両方と関連付けられるＤＣＩ（たとえば、ＤＣＩフォーマット１Ａ、２Ｄ、０、および４）についてはＣＣ１を監視し得るが、アップリンクグラントと関連付けられるＤＣＩ（たとえば、ＤＣＩフォーマット０および４）についてはＣＣ２しか監視しないことがあり、ＤＣＩフォーマット１Ａおよび２Ｄと関連付けられるＤＣＩについてはＣＣ２を監視するのを控え得る。別の例では、ＵＥは、ＭＩＭＯと関連付けられる（または関連付けられない）ＤＣＩフォーマットを伴うＣＣ１および／またはＣＣ２だけを監視し得る。このようにして、ブラインド復号の数は、別個のＤＣＩサイズがあっても制約され得る。同じＤＣＩサイズが存在しても、この制約は誤った警告の確率を下げるのを助け得る。ブラインド復号の数はさらに、たとえばＵＥがＳＰＳによって構成されないときにＤＣＩフォーマット１Ａと関連付けられるＤＣＩについてＣＣ１だけを監視することによって、ＵＥがＳＰＳによって構成されないとき、制約され得る。
【００８１】
[0117]ＬＴＥ／ＬＴＥ−Ａシステムのようなワイヤレス通信システムでは、ＵＥは、場合によっては、システム情報ブロードキャストについて一次コンポーネントキャリア（ＰＣＣ）を監視し、および／またはシステム情報を搬送する専用のシグナリングを受信することがある。いくつかの場合、ＵＥは、少なくとも１つの二次コンポーネントキャリア（ＳＣＣ）を通じて送信または受信する前に、ＰＣＣおよび／または専用のシグナリングを介してシステム情報を受信することが必要であり得る。しかしながら、ＰＣＣの使用がＣＣＡを条件とする場合、システム情報の配信は遅延を受けることがある（しかし、ＳＣＣシステム情報はそれでも、専用のシグナリングを使用してＳＣＣ  ＰＤＳＣＨによって配信され得る）。
【００８２】
[0118]別の物理キャリア上でのＣＣＡの失敗にもかかわらず（たとえば、図５を参照して説明されたＣＣＡの失敗のようなＣＣＡの失敗にもかかわらず）１つまたは複数の物理キャリア（たとえば、１つまたは複数のＣＣ）のためのシステム情報の受信を可能にするために、物理キャリアのためのシステム情報が専用のシグナリングを介して送受信されてよく、および／または、クロスキャリアシステム情報ブロードキャストが有効にされてよい。
【００８３】
[0119]いくつかの場合、専用のシグナリングを介したシステム情報の送受信は、物理キャリアの共有データチャネル（たとえば、ＰＤＳＣＨ）を通じた専用のシグナリングを介して物理キャリア（たとえば、ＰＣＣまたはＳＣＣ）のためのシステム情報を送信することによって、提供され得る。ＵＥは次いで、物理キャリアの共有データチャネルを監視し、物理キャリアの共有データチャネルを通じた専用のシグナリングを介して物理キャリアのためのシステム情報を受信することができる。
【００８４】
[0120]いくつかの場合、ＵＥは、専用のシグナリングのためにどの物理キャリアを使用するかを決定するために、過去のＣＣＡの成績またはシステム情報の配信の履歴を監視することができる。たとえば、物理キャリア（たとえば、ＰＣＣまたはＳＣＣ）のＣＣＡの成績が１つまたは複数のＣＣＡの失敗（たとえば、最近のＣＣＡの失敗）と関連付けられるとき、別の物理キャリア（たとえば、ＰＣＣまたはＳＣＣの他方）の共有データチャネルがシステム情報の専用のシグナリングのために使用されてよく、他の物理キャリアの共有データチャネルが、第２の物理キャリアのためのシステム情報について監視されてよい。
【００８５】
[0121]クロスキャリアシステム情報ブロードキャストは、キャリアグループ中の他の物理キャリアの各々を通じた、キャリアグループ中のある数の物理キャリアの各々のためのシステム情報のブロードキャストである。したがって、第１の物理キャリアのためのシステム情報ブロードキャストは、第１の物理キャリアと第２の物理キャリアの両方を通じて、場合によってはキャリアグループ中の他の物理キャリアを通じてブロードキャストされてよい。
【００８６】
[0122]クロスキャリアシステム情報ブロードキャストは、すべての物理キャリアに対して、または特定のキャリアグループ中の物理キャリアのすべてに対して（たとえば、図７を参照して説明されたキャリアグループの一方または両方に対してなど、グループごとに）有効にされ得る。いくつかの場合、キャリアグループ内の物理キャリアは、少なくとも１つのＰＣＣと少なくとも１つのＳＣＣとを含み得る。いくつかの場合、システム情報ブロードキャストは、物理ブロードキャストチャネル（たとえば、ＰＢＣＨ）を通じて送信され得る。
【００８７】
[0123]たとえば図６Ａおよび／または図６Ｂを参照して説明されたように、１つまたは２つのリソースセットがダウンリンク制御送信またはＤＣＩのための共通探索空間（ＣＳＳ）として使用されるとき、１つまたは２つのリソースセットのサイズの組合せは限られていることがある。たとえば、１つまたは２つのリソースセットのサイズは、一方のリソースセットが４個の物理リソースブロック（ＰＲＢ）ペアを含み他方のリソースセットが８つのＰＲＢペアを含む組合せのような、１つの固定された組合せに限られていることがある。いくつかの場合、ＣＳＳのリソースセットまたはＰＲＢペアの位置（たとえば、周波数位置）は、少なくとも１つのリソースセットを使用して情報を送信するセルのセル識別子（ＩＤ）に基づき得る。たとえば、２０メガヘルツ（ＭＨｚ）システムの周波数インターリーブされた構造では、４個のＰＲＢペアがＰＲＢインデックス０、３０、６０、および９０に配置されてよく、８つのＰＲＢペアが第１のセルＩＤに対してＰＲＢインデックス１、１３、２５、３７、５５、６７、７９、および９１に（中間の６個のＰＲＢは避けられる）、第２のセルＩＤに対してＰＲＢインデックス２、１４、２６、３８、５６、６８、８０、および９２に配置されてよい。周波数ダイバーシティを利用し、ＬＴＥの８０％の占有帯域幅の閾値を満たすために、ＰＲＢペアの周波数位置は、所与の帯域幅の少なくとも端を占有し得る。
【００８８】
[0124]いくつかの場合、ＣＳＳとして使用されるリソースセットのサイズおよび位置はＵＥに示され得る。たとえば、サイズおよび位置は、ＥＰＢＣＨを介してＵＥにブロードキャストされ得る。代替的に、ＵＥは、リソースセットのサイズと位置とを決定するために、ある数のブラインド復号を実行することができる。
【００８９】
[0125]いくつかの場合、ＥＰＤＣＣＨ（またはＰＤＣＣＨ）の容量を扱うためのＣＳＳおよびＵＳＳリソースセットと、ＣＳＳおよびＵＳＳの中のＵＥによって監視されるリソースセットの総数との間には、相互作用があり得る。たとえば、３つ以上のＥＰＤＣＣＨリソースセットがＵＥごとにサポートされてよく、リソースセットごとに最大で８つのＰＲＢペアがある。この例では、第１のリソースセットはＣＳＳの一部であってよく、第２および第３のリソースセットはＵＳＳの一部であってよい。第１のリソースセットは、ユニキャストトラフィックとともに他のトラフィックを搬送することができる。第２の例では、２つのＥＰＤＣＣＨリソースセットがＵＥごとにサポートされてよく、少なくとも１つのリソースセットは８つよりも多くのＰＲＢペアを有する。この例では、第１のリソースセットはＣＳＳの一部であってよく、第２のリソースセットはＵＳＳの一部であってよい。第１のリソースセットは最大で８つのＰＲＢペア（たとえば、２個、４個、または８つのＰＲＢペア）を含んでよく、第２のリソースセットは最大で１６個のＰＲＢペア（たとえば、２個、４個、８つ、または１６個のＰＲＢペア）を含んでよい。代替的に、およびさらなる例として、第１のリソースセットおよび第２のリソースセットは各々、最大で１６個のＰＲＢペアまたは最大で１２個のＰＲＢペアを含み得る。第３の例では、ＥＰＤＣＣＨリソースセットの数はシステム帯域幅に依存し得る。この例では、最大で８つのＰＲＢペアを各々有する２つのリソースセットが、１０ＭＨｚ以下のシステム帯域幅に対して維持されてよく、１０ＭＨｚを超えるシステム帯域幅に対しては、この段落の最初の２つの例を参照して説明されたように構成される２つまたは３つのリソースセットが維持されてよい。
【００９０】
[0126]ＵＥの観点からは、先行する段落において説明されたリソースセットの数を仮定すると、ＵＥは、１つのＣＳＳ  ＥＰＤＣＣＨリソースセットと最大で２つのＵＳＳ  ＥＰＤＣＣＨリソースセットとを監視することができ、または、最大で２つのＣＳＳ  ＥＰＤＣＣＨリソースセットと最大で２つのＵＳＳ  ＥＰＤＣＣＨリソースセットとを監視することができる。ＵＥのためのＣＳＳリソースセットおよびＵＳＳリソースセットは、別々であってよく、または一緒であってよい。後者の場合、先行する段落において説明されたリソースセットの数を仮定すると、ＵＥは、１つのＣＳＳ＋ＵＳＳ  ＥＰＤＣＣＨリソースセットと最大で１つのＵＳＳ  ＥＰＤＣＣＨリソースセットとを監視することができる。代替的に、ＵＥは、２つのＣＳＳ＋ＵＳＳ  ＥＰＤＣＣＨリソースセットを監視することができる。ＣＳＳ  ＥＰＤＣＣＨリソースセットおよびＵＳＳ  ＥＰＤＣＣＨリソースセットは、部分的に重複することがあり、または完全に重複することがある。
【００９１】
[0127]図９Ａは、重複しないＣＳＳリソースセットとＵＳＳリソースセットの例９００を示す。具体的には、ＣＳＳリソースセットはある周波数帯域のバンド９１０と、９２０と、９３０と、９４０とを占有し、第１のＵＳＳリソースセットはその周波数帯域のバンド９１５と９３５とを占有し、第２のＵＳＳリソースセットはその周波数帯域のバンド９０５と９２５とを占有する。対照的に、図９Ｂは、完全に重複したＣＳＳリソースセットとＵＳＳリソースセットの例９５０を示す。具体的には、ＣＳＳリソースセットおよび第１のＵＳＳリソースセットはある周波数帯域のバンド９５５と、９６５と、９７０と、９８０とを占有し、第２のＵＳＳリソースセットはその周波数帯域のバンド９６０と９７５とを占有する。例９００および９５０では、すべてのＵＥがＣＳＳリソースセットを監視し得るが、異なるＵＥは異なるＵＥリソースセットを監視し得る。
【００９２】
[0128]ＬＴＥ／ＬＴＥ−Ａシステムでは、アップリンクグラントの中のダウンロード割当てインデックス（ＤＡＩ）は、所与の関連付けセット内でスケジューリングされるダウンリンクサブフレームの総数を示し得る。関連付けセットは、所与のアップリンクサブフレームからの確認応答（ＡＣＫ）／否定確認応答（ＮＡＣＫ）フィードバックを要求するダウンリンクサブフレームのセットである。ＤＡＩは、関連付け（association）セットのための１つまたは複数のダウンリンクグラントをＵＥが逃したかどうかを検出する際に、ＵＥを助け得る。物理キャリアがクロススケジューリングされ、送信デバイスが共有スペクトラム中の物理キャリアへのアクセス権をめぐって争う、システム（たとえば、免許不要スペクトラムおよび／または共有スペクトラムのＬＴＥ／ＬＴＥ−Ａシステム）では、所与の物理キャリアのために基地局によって実行される、ＣＣＡ、またはＥＣＣＡ動作の一部としてのＣＣＡが成功したかどうかをＵＥに示すことが有用であり得る。したがって、いくつかの場合、基地局は、共有スペクトラムの第１の物理キャリアを通じて、共有スペクトラムの第２の物理キャリアのために基地局によって実行されたＣＣＡが成功したかどうかの指示をＵＥに送信することができる。
【００９３】
[0129]物理キャリアのために基地局によって実行されたＣＣＡが成功したかどうかの基地局の指示は、明示的または暗黙的であり得る。たとえば、特定の物理キャリアのために基地局によって実行されたＣＣＡが成功したかどうかの明示的な指示は、別の物理キャリアと関連付けられるアップリンクグラント、ブロードキャスト信号、またはＵＥ固有信号の１ビットによって与えられる指示を含み得る。特定の物理キャリアのために基地局によって実行されたＣＣＡが成功したかどうかの暗黙的な指示は、たとえば、別の物理キャリアを使用して送信されるアップリンクグラントと関連付けられるＤＡＩを含み得る（たとえば、ＣＣＡが失敗するとき、２ビットのＤＡＩは、ＣＣＡが失敗した物理キャリアの関連付けセットのためにダウンリンクサブフレームがスケジューリングされないことを示すために、バイナリ１１に設定され得る）。いくつかの例では、チャネルが利用可能であることをＣＣＡが示す場合、ＣＣＡを含むフレーム中の参照信号に基づいて、ＣＳＩが測定および／または報告され得る。いくつかの場合、チャネルが利用可能ではないことをＣＣＡが示す場合、ＣＳＩは前のフレームに基づいて測定および／もしくは報告されてよく、またはＣＣＡを含むそのフレームに対しては省略されてよい。
【００９４】
[0130]ＵＥは、２つ以上の物理キャリアのためのＡＣＫ／ＮＡＣＫ情報を搬送するように構成されるアップリンクサブフレームの中の全体のＡＣＫ／ＮＡＣＫペイロードサイズを決定するために、物理キャリアのために実行されたＣＣＡが成功したかどうかの指示を使用することができる。たとえば、ＵＥが５つの物理キャリアを使用するように構成されるが、基地局によって実行されたＣＣＡがそれらの物理キャリアのうちの３つだけに対して成功する場合、５つの物理キャリアのための情報に確認応答／否定確認応答するように構成されるアップリンクサブフレーム中のＡＣＫ／ＮＡＣＫペイロードサイズは、ＣＣＡが成功した３つの物理キャリアのためのＡＣＫ／ＮＡＣＫ情報に基づいて決定され得る。
【００９５】
[0131]図１０は、物理キャリアＣＣ１〜ＣＣ５のためのＣＣＡ成功の指示の例１０００ブロードキャストを示す。具体的には、各物理キャリアはＮ−１個のビットのセットを搬送することができ、ＮはＣＣＡ成功の指示が送信されている物理キャリアのグループ中の物理キャリアの数である。例１０００では、Ｎ＝５であるので、各物理キャリアは、グループ中の他の物理キャリアのために実行されるＣＣＡの成功または失敗を示すための４ビットを含み得る。各ビットは、物理キャリアのそれぞれ１つに対してＣＣＡが成功したときに論理「１」をとることができ、物理キャリアのそれぞれ１つに対してＣＡが失敗したときに論理「０」をとることができる。４ビットのセットが搬送される物理キャリアのためにビットが含まれる必要はなく、それは、４ビットのセットを搬送する物理キャリアのためのＣＣＡの成功は暗黙的に知られているからである。図１０に示される例１０００では、ＣＣＡは、物理キャリアＣＣ１、ＣＣ２、およびＣＣ４に対して成功するので、関連するＣＣＡの成功と失敗とを示すＮ−１ビットのセット１００５、１０１０、または１０１５は、物理キャリアＣＣ１、ＣＣ２、およびＣＣ４の各々を通じて送信される。Ｎ−１ビットのそれぞれのセットは、ＣＣＡが実行される各サブフレームに対して提供され得る。
【００９６】
[0132]免許不要スペクトラムにおいて、チャネルに対する規定された占有帯域幅の閾値があり得る。占有帯域幅の閾値は、規制当局（たとえば、連邦通信委員会）によって課され得る。占有帯域幅は、０．５％のエネルギーから９９．５％のエネルギーまでの周波数スイープ（sweep）として定義される。占有帯域幅の閾値は、たとえば、占有帯域幅がノミナルの帯域幅の８０％以上である必要があることを示し得る。限られた数のＵＥだけがダウンリンク送信のためにスケジューリングされ、それらの対応するダウンリンク送信が占有帯域幅の閾値に従ってダウンリンクシステム帯域幅を埋めないとき、占有帯域幅の閾値を満たすために、フレーム中の少なくとも１つの免許不要リソースを通じてフィラー信号が送信され得る。いくつかの場合、フィラー信号は、チャネル使用ビーコン信号（ＣＵＢＳ）のような所定のシーケンスを含み得る。
【００９７】
[0133]他の実施形態では、占有帯域幅の閾値を満たせないことは、フレームのための占有帯域幅の閾値を満たすようにフレームを通じて送信される少なくとも１つのチャネルの帯域幅を増やすことによって、解消され得る。たとえば、トランスポートブロックサイズが多数のリソースを占有するように増やされ得るように、変調次数（modulation order）またはコードレートが下げられ得る。
【００９８】
[0134]他の実施形態では、占有帯域幅の閾値を満たせないことは、少なくとも１つのＵＥに探索空間リソース（たとえば、追加の探索空間リソース）を割り振ることによって解消され得る。
【００９９】
[0135]いくつかの場合、拡張／増強物理制御フォーマットインジケータチャネル（ＥＰＣＦＩＣＨ）が、物理キャリアのブラインド復号の一部としてブラインド復号され得る。ＥＰＣＦＩＣＨの一部分が、制御フォーマットインジケータ値を搬送するために使用され得る。制御フォーマットインジケータ値は、物理キャリアを通じたダウンリンク送信のために基地局によって使用されるであろうフレームのサブフレームの数を決定するために使用され得る。いくつかの場合、追加のビットなどを通じて、ＣＵＢＳは、送信のために使用されるべきサブフレームの数を示すために使用され得る。いくつかの場合、物理キャリアを通じたダウンリンク送信のために基地局によって使用されるであろうフレームのサブフレームの数は、１）ＵＥのスリープスケジュールを決定するために、または２）ＡＣＫ／ＮＡＣＫ送信をスケジューリングするために、ＵＥによって使用され得る。
【０１００】
[0136]例として、ＥＰＣＦＩＣＨは、フレームの最初のサブフレームの間に送受信されてよく、いくつかの場合、フレームの最初のサブフレームの最初のシンボルにおいて送受信されてよい。代替的に、ＥＰＣＦＩＣＨは、フレームの最後のサブフレームの最後のシンボルの間に送受信され得る。後者は、どれだけのダウンリンクサブフレームを基地局が送信するかを基地局が先験的に知らないとき、送信の終わりまたは送信されるべき最後のサブフレームを示すのに有用であり得る。さらに、ＣＵＢＳ信号は、送信の終わりを示すために、送信の終わりにおいて、または次のサブフレームの最初のシンボルのような次のサブフレームにおいて送信され得る。
【０１０１】
[0137]制御フォーマットインジケータ値のビット幅は、フレームの構造に基づき得る。たとえば、フレームがＮ個のダウンリンクサブフレームを有する場合、ｌｏｇ2（Ｎ）個のビットは、フレーム中の任意のあり得る数のスケジューリングされたダウンリンクサブフレームを基地局がＵＥに通知することを可能にする。
【０１０２】
[0138]図１１は、それぞれの周期的なゲーティング間隔（またはフレーム）ｎ、ｎ＋１、およびｎ＋２の間の、制御フォーマットインジケータ値１１０５、１１１０、および１１１５の例示的な送信１１００を示す。００１という制御フォーマットインジケータ値は、基地局がフレームの最初のサブフレームにダウンリンクサブフレームをスケジューリングしたことを示すことができ、０１０という制御フォーマットインジケータ値は、基地局がフレームの最初のサブフレームおよび２番目のサブフレームにダウンリンクサブフレームをスケジューリングしたことを示すことができ、以下同様である。
【０１０３】
[0139]図１２Ａは、本開示の様々な態様による、ワイヤレス通信において使用するための装置１２１５のブロック図１２００を示す。いくつかの実施形態では、装置１２１５は、図１、図２Ａ、および／または図２Ｂを参照して説明されたＵＥ１１５および／または２１５の１つまたは複数の１つまたは複数の態様の例であり得る。装置１２１５はまた、プロセッサであってよい。装置１２１５は、受信機モジュール１２１０、通信管理モジュール１２２０、および／または送信機モジュール１２３０を含み得る。これらのコンポーネントの各々は互いに通信していることがある。
【０１０４】
[0140]デバイス１２１５のコンポーネントは、ハードウェアにおいて適用可能な機能の一部またはすべてを実行するように適応された１つまたは複数の特定用途向け集積回路（ＡＳＩＣ）を使用して、個々にまたは集合的に実装され得る。代替的には、それらの機能は、１つまたは複数の他の処理ユニット（またはコア）によって、１つまたは複数の集積回路上で実行され得る。他の実施形態では、当技術分野において知られている任意の方式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリ内に具現化される命令によって実装され得る。
【０１０５】
[0141]いくつかの実施形態では、受信機モジュール１２１０は、第１の無線周波数スペクトラムバンドおよび／または第２の無線周波数スペクトラムバンドの中で送信を受信するように動作可能な高周波（ＲＦ）受信機などのＲＦ受信機であるか、またはそれを含み得る。いくつかの場合、第１の無線周波数スペクトラムバンドは免許無線周波数スペクトラムバンド（たとえば、ＬＴＥ／ＬＴＥ−Ａ無線周波数スペクトラムバンド）であってよく、および／または、第２の無線周波数スペクトラムバンドは免許不要無線周波数スペクトラムバンドであってよい。受信機モジュール１２１０は、図１、図２Ａ、および／または図２Ｂを参照して説明されたワイヤレス通信システム１００、２００、および／または２５０の１つまたは複数の通信リンクのような、第１の無線周波数スペクトラムバンドおよび／または第２の無線周波数スペクトラムバンドを含むワイヤレス通信システムの１つまたは複数の通信リンク（たとえば、物理チャネル）を通じて様々なタイプのデータおよび／または制御信号（すなわち、送信）を受信するために使用され得る。
【０１０６】
[0142]いくつかの実施形態では、送信機モジュール１２３０は、第１の無線周波数スペクトラムバンドおよび／または第２の無線周波数スペクトラムバンドにおいて送信するように動作可能なＲＦ送信機のようなＲＦ送信機であるか、またはそれを含み得る。送信機モジュール１２３０は、図１、図２Ａ、および／または図２Ｂを参照して説明されたワイヤレス通信システム１００、２００、および／または２５０の１つまたは複数の通信リンクのような、ワイヤレス通信システムの１つまたは複数の通信リンク（たとえば、物理チャネル）を通じて様々なタイプのデータおよび／または制御信号（すなわち、送信）を送信するために使用され得る。
【０１０７】
[0143]いくつかの実施形態では、通信管理モジュール１２２０は、第１の無線周波数スペクトラムバンドおよび／または第２の無線周波数スペクトラムバンドを通じたワイヤレス通信を管理するために使用され得る。たとえば、通信管理モジュール１２２０は、第１の無線周波数スペクトラムバンドと第２の無線周波数スペクトラムバンドとを使用する補助ダウンリンクモードおよび／もしくはキャリアアグリゲーションモードで、ならびに／または、第２の無線周波数スペクトラムバンドを使用するスタンドアロン動作モードで、ワイヤレス通信を管理するために使用され得る。いくつかの場合、通信管理モジュール１２２０は、装置１２１５がダウンリンク制御送信を受信できるある数の物理キャリアのためのダウンリンク制御情報を管理することができる。ダウンリンク制御情報は、たとえば、ある数の物理キャリアのための同一キャリアまたはクロスキャリアスケジューリング情報、システム情報、ＣＣＡが特定の物理キャリアに対して成功したかどうかのインジケータ、および／または制御状態インジケータ値を含み得る。
【０１０８】
[0144]図１２Ｂは、本開示の様々な態様による、ワイヤレス通信において使用するための装置１２５５のブロック図１２５０を示す。いくつかの実施形態では、装置１２５５は、図１２Ａを参照して説明された装置１２１５、ならびに／または、図１、図２Ａ、および／もしくは図２Ｂを参照して説明されたＵＥ１１５および／もしくは２１５の１つまたは複数の１つまたは複数の態様の例であり得る。装置１２５５はまた、プロセッサであってよい。装置１２５５は、受信機モジュール１２６０、通信管理モジュール１２６５、および／または送信機モジュール１２７０を含み得る。これらのコンポーネントの各々は互いに通信していることがある。
【０１０９】
[0145]装置１２５５のコンポーネントは、個別にまたは集合的に、ハードウェア中の適用可能な機能の一部またはすべてを実行するように適応された１つまたは複数のＡＳＩＣを使用して実装され得る。代替的には、それらの機能は、１つまたは複数の他の処理ユニット（またはコア）によって、１つまたは複数の集積回路上で実行され得る。他の実施形態では、当技術分野で知られている任意の方式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリ内に具現化される命令によって実装され得る。
【０１１０】
[0146]いくつかの実施形態では、受信機モジュール１２６０は、第１の無線周波数スペクトラムバンドおよび／または第２の無線周波数スペクトラムバンドの中で送信を受信するように動作可能なＲＦ受信機などのＲＦ受信機であるか、またはそれを含み得る。いくつかの場合、第１の無線周波数スペクトラムバンドは免許無線周波数スペクトラムバンド（たとえば、ＬＴＥ／ＬＴＥ−Ａ無線周波数スペクトラムバンド）であってよく、および／または、第２の無線周波数スペクトラムバンドは免許不要無線周波数スペクトラムバンドであってよい。ＲＦ受信機は、第１の無線周波数スペクトラムバンドおよび第２の無線周波数スペクトラムバンドのための別々の受信機を含み得る。いくつかの場合、別々の受信機は、第１の無線周波数スペクトラムバンドを通じて通信するための第１の免許スペクトラムモジュール１２６２、および第２の無線周波数スペクトラムバンドを通じて通信するための第１の免許不要スペクトラムモジュール１２６４という形態をとり得る。第１の免許スペクトラムモジュール１２６２および／または第１の免許不要スペクトラムモジュール１２６４を含む受信機モジュール１２６０は、図１、図２Ａ、および／または図２Ｂを参照して説明されたワイヤレス通信システム１００、２００、および／または２５０の１つまたは複数の通信リンクのような、ワイヤレス通信システムの１つまたは複数の通信リンク（たとえば、物理チャネル）を通じて、様々なタイプのデータおよび／または制御信号（すなわち、送信）を受信するために使用され得る。
【０１１１】
[0147]いくつかの実施形態では、送信機モジュール１２７０は、第１の無線周波数スペクトラムバンドおよび／または第２の無線周波数スペクトラムバンドにおいて送信するように動作可能なＲＦ送信機のようなＲＦ送信機であるか、またはそれを含み得る。ＲＦ送信機は、第１の無線周波数スペクトラムバンドおよび第２の無線周波数スペクトラムバンドのための別々の送信機を含み得る。いくつかの場合、別々の送信機は、第１の無線周波数スペクトラムバンドを通じて通信するための第２の免許スペクトラムモジュール１２７２、および第２の無線周波数スペクトラムバンドを通じて通信するための第２の免許不要スペクトラムモジュール１２７４という形態をとり得る。第２の免許スペクトラムモジュール１２７２および／または第２の免許不要スペクトラムモジュール１２７４を含む送信機モジュール１２７０は、図１、図２Ａ、および／または図２Ｂを参照して説明されたワイヤレス通信システム１００、２００、および／または２５０の１つまたは複数の通信リンクのような、ワイヤレス通信システムの１つまたは複数の通信リンク（たとえば、物理チャネル）を通じて、様々なタイプのデータおよび／または制御信号（すなわち、送信）を送信するために使用され得る。
【０１１２】
[0148]いくつかの実施形態では、通信管理モジュール１２６５は、図１２Ａを参照して説明された通信管理モジュール１２２０の１つまたは複数の態様の例であってよく、ダウンリンク制御管理モジュール１２７５、ＣＣＡ成功指示管理モジュール１２８０、占有帯域幅管理モジュール１２８５、および／または制御フォーマットインジケータ値管理モジュール１２９０を含んでよい。
【０１１３】
[0149]いくつかの実施形態では、ダウンリンク制御管理モジュール１２７５は、たとえば図６Ａおよび／または図６Ｂを参照して説明されたように、共有スペクトラムにおいて事業者によって使用される少なくとも第１の物理キャリアと第２の物理キャリアとを特定するために、ならびに、第１の物理キャリアのためのダウンリンク制御送信について第１の物理キャリアと第２の物理キャリアの両方を監視するために、使用され得る。いくつかの場合、ダウンリンク制御管理モジュール１２７５は、チャネルが利用可能かどうかの指示を、ＣＣＡ成功指示管理モジュール１２８０から受信することができる。いくつかの例では、チャネルが利用可能であるという指示が受信される場合、ダウンリンク制御管理モジュール１２７５は、ＣＣＡを含むフレーム中の参照信号などに基づいて、アップリンクサブフレーム中の第２の物理レイヤのためのＣＳＩフィードバックのようなＣＳＩを測定および／または報告することができる。いくつかの例では、チャネルが利用可能ではないという指示が受信される場合、ダウンリンク制御管理モジュール１２７５は、前のフレームに基づいてＣＳＩを測定および／または報告することができ、またはそのフレームのためのＣＳＩを省略することができる。
【０１１４】
[0150]いくつかの実施形態では、ＣＣＡ成功指示管理モジュール１２８０は、免許不要スペクトラムまたは共有スペクトラムのような共有スペクトラムの第１の物理キャリアを通じて、基地局によって実行されたＣＣＡ、またはＥＣＣＡ動作の一部としてのＣＣＡが共有スペクトラムの第２の物理キャリアに対して成功したかどうかの指示を受信するために、使用され得る。
【０１１５】
[0151]いくつかの実施形態では、占有帯域幅管理モジュール１２８５は、フレームのためにスケジューリングされる送信の全体のセットがそのフレームのための占有帯域幅の閾値を満たすかどうかを決定するために使用され得る。満たさない場合、占有帯域幅管理モジュール１２８５は、その決定に基づいて、フレーム中の少なくとも１つのスケジューリングされていないリソースを通じてフィラー信号を送信することができる。
【０１１６】
[0152]いくつかの実施形態では、制御フォーマットインジケータ値管理モジュール１２９０は、共有スペクトラム中の物理キャリアを通じて、フレームのための制御フォーマットインジケータ値を受信することができる。制御フォーマットインジケータ値に基づいて、制御フォーマットインジケータ値管理モジュール１２９０は、物理キャリアを通じたダウンリンク送信のために基地局によって使用されるべきフレームのサブフレームの数を決定することができる。
【０１１７】
[0153]図１３Ａは、本開示の様々な態様による、ワイヤレス通信において使用するためのダウンリンク制御管理モジュール１３０５のブロック図１３００を示す。ダウンリンク制御管理モジュール１３０５は、図１２Ｂを参照して説明されたダウンリンク制御管理モジュール１２７５の１つまたは複数の態様の例であり得る。ダウンリンク制御管理モジュール１３０５は、キャリア特定モジュール１３１０、キャリア監視モジュール１３１５、復号制約モジュール１３２０、復号モジュール１３２５、および／またはシステム情報処理モジュール１３３０を含み得る。
【０１１８】
[0154]ダウンリンク制御管理モジュール１３０５のコンポーネントは、個別にまたは集合的に、ハードウェア中の適用可能な機能の一部またはすべてを実行するように適応された１つまたは複数のＡＳＩＣを使用して実装され得る。代替的には、それらの機能は、１つまたは複数の他の処理ユニット（またはコア）によって、１つまたは複数の集積回路上で実行され得る。他の実施形態では、当技術分野で知られている任意の方式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリ内に具現化される命令によって実装され得る。
【０１１９】
[0155]いくつかの実施形態では、キャリア特定モジュール１３１０は、共有スペクトラムまたは免許不要スペクトラムにおいて事業者によって使用される少なくとも第１の物理キャリアと第２の物理キャリアとを特定するために使用され得る。
【０１２０】
[0156]いくつかの実施形態では、第１の物理キャリアまたは第２の物理キャリアの少なくとも１つは、たとえば図６Ａおよび／または図６Ｂを参照して説明されたように、異なる物理キャリアのための制御チャネルを含み得る。他の実施形態では、第１の物理キャリアまたは第２の物理キャリアの少なくとも１つは、たとえば図６Ａを参照して説明されたように、複数の異なる物理キャリアのための制御チャネルを含み得る。
【０１２１】
[0157]いくつかの実施形態では、少なくとも第１の物理キャリアおよび第２の物理キャリアは、可能なＤＣＩフォーマットの共通のセットおよび／または可能なＤＣＩサイズの共通のセットと関連付けられ得る。
【０１２２】
[0158]いくつかの場合、第１の物理キャリアまたは第２の物理キャリアの少なくとも１つは一次コンポーネントキャリアを含んでよく、第１の物理キャリアまたは第２の物理キャリアの他方は二次コンポーネントキャリアを含んでよい。
【０１２３】
[0159]いくつかの実施形態では、キャリア監視モジュール１３１５は、第１の物理キャリアのためのダウンリンク制御送信について、キャリア特定モジュール１３１０によって特定される第１の物理キャリアと第２の物理キャリアの両方を監視するために使用され得る。いくつかの場合、キャリア監視モジュール１３１５はまた、第２の物理キャリアのためのダウンリンク制御送信について、第１の物理キャリアと第２の物理キャリアとを監視することができる。
【０１２４】
[0160]いくつかの実施形態では、ダウンリンク制御送信について第１の物理キャリアと第２の物理キャリアとを監視することは、少なくとも第１のＤＣＩフォーマットについて第１の物理キャリアを、少なくとも第２のＤＣＩフォーマットについて第２の物理キャリアを監視することを含み得る。第１のＤＣＩフォーマットは第２のＤＣＩフォーマットとは異なり得る。
【０１２５】
[0161]いくつかの実施形態では、ダウンリンク制御送信について第１の物理キャリアと第２の物理キャリアとを監視することは、少なくとも第１のＤＣＩサイズについて第１の物理キャリアを、少なくとも第２のＤＣＩサイズについて第２の物理キャリアを監視することを含み得る。第１のＤＣＩサイズは第２のＤＣＩサイズとは異なり得る。
【０１２６】
[0162]いくつかの実施形態では、ダウンリンク制御送信について第１の物理キャリアと第２の物理キャリアとを監視することは、第２の物理キャリアの監視を第１の物理キャリアのためのアップリンクグラントと関連付けられるＤＣＩに制約することを含み得る。いくつかの場合、ダウンリンク制御送信について第１の物理キャリアと第２の物理キャリアとを監視することはさらに、１）第１の物理キャリアのためのダウンリンクグラントと関連付けられる少なくとも第１のＤＣＩフォーマットについて第１の物理キャリアを監視し、第１の物理キャリアのためのアップリンクグラントと関連付けられる少なくとも第２のＤＣＩフォーマットを監視することと、２）第１の物理キャリアのためのアップリンクグラントと関連付けられる少なくとも第２のＤＣＩフォーマットについて第２の物理キャリアを監視することとを含み得る。いくつかの場合、方法１７００は、第１の物理キャリアのためのダウンリンクグラントと関連付けられる少なくとも第１のＤＣＩフォーマットについて第２の物理キャリアを監視するのを控えることを含み得る。第１の物理キャリアのためのダウンリンクグラントと関連付けられる第１のＤＣＩフォーマットは、第１の物理キャリアのためのアップリンクグラントと関連付けられる第２のＤＣＩフォーマットとは異なり得る。この段落において説明される動作の例が、図８を参照して説明される。
【０１２７】
[0163]いくつかの実施形態では、ダウンリンク制御送信について第１の物理キャリアと第２の物理キャリアとを監視することは、クロスキャリアスケジューリングに基づいて、第１の物理キャリアまたは第２の物理キャリアの少なくとも１つの上でのダウンリンク制御送信について、制約された数の復号候補を監視することを含み得る。
【０１２８】
[0164]いくつかの実施形態では、ダウンリンク制御送信について第１の物理キャリアと第２の物理キャリアとを監視することは、クロスキャリアスケジューリングに基づいて、ダウンリンク制御送信について制約された数のリソースセットを監視することを含み得る。
【０１２９】
[0165]いくつかの実施形態では、ダウンリンク制御送信について第１の物理キャリアと第２の物理キャリアとを監視することは、クロスキャリアスケジューリングに基づいて、制約されたサイズを含む少なくとも１つのリソースセットを監視することを含み得る。
【０１３０】
[0166]いくつかの実施形態では、監視することは、たとえば図９Ａおよび／または図９Ｂを参照して説明されたように、少なくとも１つのリソースセットを含むＣＳＳを監視することを含み得る。いくつかの実施形態では、ＣＳＳの少なくとも１つのリソースセットは、たとえば図９Ａを参照して説明されたように、ＵＳＳとは別であり得る。他の実施形態では、ＣＳＳの少なくとも１つのリソースセットは、少なくとも部分的にＵＳＳと重複し得る。いくつかの場合、その少なくとも部分的な重複は、たとえば図９Ｂを参照して説明されたように、完全な重複であってよい。
【０１３１】
[0167]いくつかの実施形態では、ＣＳＳおよびＵＳＳのためにＵＥによって監視されるリソースセットの総数が制約され得る。
【０１３２】
[0168]いくつかの実施形態では、少なくとも１つのリソースセットのリソースの１つまたは複数の位置は、少なくとも１つのリソースセットを使用して情報を送信するセルのセルＩＤに基づき得る。
【０１３３】
[0169]いくつかの実施形態では、キャリア監視モジュール１３１５は、第１の物理キャリアのためのシステム情報について第１の物理キャリアの共有データチャネル（たとえば、ＰＤＳＣＨ）を監視することができる。いくつかの実施形態では、第１の物理キャリアの共有データチャネルは、第２の物理キャリアと関連付けられるＣＣＡの失敗に応答して、第１の物理キャリアのためのシステム情報について監視され得る。
【０１３４】
[0170]いくつかの実施形態では、復号制約モジュール１３２０が、第１の物理キャリアと第２の物理キャリアとの間のクロスキャリアスケジューリングに基づいて、第１の物理キャリアまたは第２の物理キャリアの少なくとも１つの上でのダウンリンク制御送信のために実行されるブラインド復号の数を制約するために使用され得る。
【０１３５】
[0171]いくつかの実施形態では、復号モジュール１３２５が、第１の物理キャリアまたは第２の物理キャリアの少なくとも１つの上でのダウンリンク制御送信のためにある数のブラインド復号を実行するために使用され得る。いくつかの場合、復号モジュール１３２５によって実行されるブラインド復号の数は、ある数の要因に基づいて制約され得る。いくつかの場合、ダウンリンク制御送信は、可能なＤＣＩフォーマットの共通のセットおよび／またはＤＣＩサイズの共通のセットに基づいて、第１の物理キャリアまたは第２の物理キャリアについてブラインド復号され得る。
【０１３６】
[0172]いくつかの実施形態では、システム情報処理モジュール１３３０は、ある数の物理キャリアのためのシステム情報を受信するために使用され得る。いくつかの場合、例として、システム情報処理モジュール１３３０は、第１の物理キャリアの共有データチャネルを通じた専用のシグナリングを介して、第１の物理キャリアのためのシステム情報を受信することができる。いくつかの場合、さらなる例として、システム情報ブロードキャストは、第１の物理キャリアと第２の物理キャリアの各々の物理ブロードキャストチャネルを通じて、第１の物理キャリアのために受信され得る。
【０１３７】
[0173]図１３Ｂは、本開示の様々な態様による、ワイヤレス通信において使用するためのＣＣＡ成功指示管理モジュール１３４０のブロック図１３３５を示す。ＣＣＡ成功指示管理モジュール１３４０は、図１２Ｂを参照して説明されたＣＣＡ成功指示管理モジュール１２８０の１つまたは複数の態様の例であり得る。ＣＣＡ成功指示管理モジュール１３４０は、ＣＣＡ成功指示受信モジュール１３４５および／またはＡＣＫ／ＮＡＣＫペイロードサイズ決定モジュール１３５０を含み得る。
【０１３８】
[0174]ＣＣＡ成功指示管理モジュール１３４０のコンポーネントは、個別にまたは集合的に、ハードウェア中の適用可能な機能の一部またはすべてを実行するように適応された１つまたは複数のＡＳＩＣを使用して実装され得る。代替的には、それらの機能は、１つまたは複数の他の処理ユニット（またはコア）によって、１つまたは複数の集積回路上で実行され得る。他の実施形態では、当技術分野で知られている任意の方式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリ内に具現化される命令によって実装され得る。
【０１３９】
[0175]いくつかの実施形態では、ＣＣＡ成功指示受信モジュール１３４５は、共有スペクトラムの第１の物理キャリアを通じて、基地局によって実行されたＣＣＡ、またはＥＣＣＡ動作の一部としてのＣＣＡが共有スペクトラムの第２の物理キャリアに対して成功したかどうかの指示を受信するために、使用され得る。
【０１４０】
[0176]いくつかの実施形態では、第２の物理キャリアのためのアップリンクグラントは第１の物理キャリアを通じて受信されてよく、基地局によって実行されたＣＣＡが成功したかどうかの指示は、アップリンクグラントの一部としてＣＣＡ成功指示受信モジュール１３４５によって受信され得る。他の実施形態では、基地局によって実行されたＣＣＡが成功したかどうかの指示を含む信号は、第１の物理キャリアを通じて送信されるブロードキャスト信号またはＵＥ固有信号の少なくとも１つを介して受信され得る。さらに他の実施形態では、ダウンリンク割当てインデックスが、第１の物理キャリアを通じてＣＣＡ成功指示受信モジュール１３４５によって受信されてよく、第２の物理キャリアのためのＣＣＡが成功したかどうかの指示は、ダウンリンク割当てインデックスにおいて暗黙的であってよい。
【０１４１】
[0177]いくつかの実施形態では、ＡＣＫ／ＮＡＣＫペイロードサイズ決定モジュール１３５０が、物理キャリアのためのＣＣＡが成功したかどうかの指示に基づいて、アップリンクサブフレーム中の全体のＡＣＫ／ＮＡＣＫペイロードサイズを決定するために使用され得る。
【０１４２】
[0178]図１３Ｃは、本開示の様々な態様による、ワイヤレス通信において使用するための占有帯域幅管理モジュール１３６０のブロック図１３５５を示す。占有帯域幅管理モジュール１３６０は、図１２Ｂを参照して説明された占有帯域幅管理モジュール１２８５の１つまたは複数の態様の例であり得る。占有帯域幅管理モジュール１３６０は、占有帯域幅決定モジュール１３６５、フィラー信号送信モジュール１３７０、占有帯域幅拡張モジュール１３７５、および／またはリソース割振りモジュール１３８０を含み得る。
【０１４３】
[0179]占有帯域幅管理モジュール１３６０のコンポーネントは、個別にまたは集合的に、ハードウェア中の適用可能な機能の一部またはすべてを実行するように適応された１つまたは複数のＡＳＩＣを使用して実装され得る。代替的には、それらの機能は、１つまたは複数の他の処理ユニット（またはコア）によって、１つまたは複数の集積回路上で実行され得る。他の実施形態では、当技術分野で知られている任意の方式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリ内に具現化される命令によって実装され得る。
【０１４４】
[0180]いくつかの実施形態では、占有帯域幅決定モジュール１３６５が、フレームのためにスケジューリングされる送信の全体のセットがそのフレームのための占有帯域幅の閾値を満たすかどうかを決定するために使用され得る。
【０１４５】
[0181]いくつかの実施形態では、フィラー信号送信モジュール１３７０が、占有帯域幅決定モジュール１３６５によって行われる決定（たとえば、占有帯域幅がフレームの占有帯域幅の閾値を満たさないという決定）に基づいて、フレーム中の少なくとも１つのスケジューリングされていないリソースを通じてフィラー信号を送信するために使用され得る。いくつかの場合、フィラー信号は、チャネル使用ビーコン信号（ＣＵＢＳ：channel usage beacon signal）のような所定のシーケンスを含み得る。
【０１４６】
[0182]いくつかの実施形態では、占有帯域幅拡張モジュール１３７５は、フレームを通じて送信される少なくとも１つのチャネルの帯域幅を、当該フレームのための占有帯域幅の閾値を満たすように増やすために、使用され得る。占有帯域幅拡張モジュール１３７５は、占有帯域幅がそのフレームの占有帯域幅の閾値を満たさないという占有帯域幅決定モジュール１３６５によって行われた決定に基づいて、アクティブ化され得る。いくつかの場合、フレームを通じて送信される少なくとも１つのチャネルの帯域幅を増やすことは、フレームを通じて送信される少なくとも１つのチャネルの変調次数またはコードレートを下げることを含み得る。
【０１４７】
[0183]いくつかの実施形態では、リソース割振りモジュール１３８０が、占有帯域幅決定モジュール１３６５によって行われた決定に基づいて、探索空間リソースを少なくとも１つのＵＥに割り振るために使用され得る。
【０１４８】
[0184]図１３Ｄは、本開示の様々な態様による、ワイヤレス通信において使用するための制御フォーマットインジケータ値管理モジュール１３９０のブロック図１３８５を示す。制御フォーマットインジケータ値管理モジュール１３９０は、図１２Ｂを参照して説明された制御フォーマットインジケータ値管理モジュール１２９０の１つまたは複数の態様の例であり得る。制御フォーマットインジケータ値管理モジュール１３９０は、制御フォーマットインジケータ値受信モジュール１３９２、サブフレーム使用決定モジュール１３９４、スリープスケジュール決定モジュール１３９６、および／またはＡＣＫ／ＮＡＣＫスケジューリングモジュール１３９８を含み得る。
【０１４９】
[0185]制御フォーマットインジケータ値管理モジュール１３９０のコンポーネントは、個別にまたは集合的に、ハードウェア中の適用可能な機能の一部またはすべてを実行するように適応された１つまたは複数のＡＳＩＣを使用して実装され得る。代替的には、それらの機能は、１つまたは複数の他の処理ユニット（またはコア）によって、１つまたは複数の集積回路上で実行され得る。他の実施形態では、当技術分野で知られている任意の方式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリ内に具現化される命令によって実装され得る。
【０１５０】
[0186]いくつかの実施形態では、制御フォーマットインジケータ値受信モジュール１３９２が、共有スペクトラム中の物理キャリアを通じてフレームのための制御フォーマットインジケータ値を受信するために使用され得る。いくつかの実施形態では、制御フォーマットインジケータ値は、フレームの最初のサブフレームの間に受信されてよく、いくつかの場合、最初のサブフレームの最初のシンボルの間に受信されてよい。他の実施形態では、制御フォーマットインジケータ値は、フレームの最後のサブフレームの最後のシンボルの間に受信されてよい。制御フォーマットインジケータ値のビット幅は、フレームの構造に基づき得る。
【０１５１】
[0187]いくつかの実施形態では、サブフレーム使用決定モジュール１３９４が、制御フォーマットインジケータ値受信モジュール１３９２によって受信される制御フォーマットインジケータ値に基づいて、物理キャリアを通じたダウンリンク送信のために基地局によって使用されるべきフレームのサブフレームの数を決定するために使用され得る。
【０１５２】
[0188]いくつかの実施形態では、スリープスケジュール決定モジュール１３９６が、制御フォーマットインジケータ値受信モジュール１３９２によって受信される制御フォーマットインジケータ値に基づいて、フレームのためのＵＥのスリープスケジュールを決定するために使用され得る。
【０１５３】
[0189]いくつかの実施形態では、ＡＣＫ／ＮＡＣＫスケジューリングモジュール１３９８が、制御フォーマットインジケータ値受信モジュール１３９２によって受信される制御フォーマットインジケータ値に基づいて、ＡＣＫ／ＮＡＣＫ送信をスケジューリングするために使用され得る。
【０１５４】
[0190]図１４は、本開示の様々な態様による、ワイヤレス通信のために構成されるＵＥ１４１５のブロック図１４００を示す。ＵＥ１４１５は様々な構成を有してよく、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネット機器、ゲームコンソール、電子リーダーなどに含まれてよく、またはその一部であってよい。いくつかの場合、ＵＥ１４１５は、モバイル動作を容易にするために、小型バッテリーなどの内部電源（図示されず）を有し得る。いくつかの実施形態では、ＵＥ１４１５は、図１２Ａおよび／もしくは図１２Ｂを参照して説明された装置１２１５および／もしくは１２５５の１つ、ならびに／または、図１、図２Ａ、および／もしくは図２Ｂを参照して説明されたＵＥ１１５および／もしくは２１５の１つの、１つまたは複数の態様の例であり得る。ＵＥ１４１５は、図１、図２Ａ、図２Ｂ、図３、図４Ａ、図４Ｂ、図５、図６Ａ、図６Ｂ、図７、図８、図９Ａ、図９Ｂ、図１０、図１１、図１２Ａ、図１２Ｂ、図１３Ａ、図１３Ｂ、図１３Ｃ、および／または図１３Ｄを参照して説明された特徴および機能の少なくともいくつかを実装するように構成され得る。ＵＥ１４１５は、図１、図２Ａ、および／または図２Ｂを参照して説明されたｅＮＢまたは装置１０５および／２０５の１つまたは複数と通信するように構成され得る。
【０１５５】
[0191]ＵＥ１４１５は、プロセッサモジュール１４１０、メモリモジュール１４２０、少なくとも１つの送受信機モジュール（送受信機モジュール１４７０によって表される）、少なくとも１つのアンテナ（アンテナ１４８０によって表される）、および／またはＵＥ共有ＲＦスペクトラムバンドモジュール１４４０を含み得る。これらのコンポーネントの各々は、１つまたは複数のバス１４３５上で、直接または間接的に互いに通信していることがある。
【０１５６】
[0192]メモリモジュール１４２０は、ランダムアクセスメモリ（ＲＡＭ）および／または読取り専用メモリ（ＲＯＭ）を含み得る。メモリモジュール１４２０は、実行されると、プロセッサモジュール１４１０に、第１の無線周波数スペクトラムバンド（たとえば、ＬＴＥ／ＬＴＥ−Ａおよび／または免許無線周波数スペクトラムバンド）および／または第２の無線周波数スペクトラムバンドを通じて通信するための本明細書で説明される様々な機能を実行させるように構成される命令を含む、コンピュータ可読の、コンピュータ実行可能ソフトウェア（ＳＷ）コード１４２５を記憶し得る。代替的に、ソフトウェアコード１４２５は、プロセッサモジュール１４１０によって直接実行可能でないことがあるが、（たとえば、コンパイルされ実行されたとき）ＵＥ１４１５に本明細書で説明される様々な機能を実行させるように構成され得る。
【０１５７】
[0193]プロセッサモジュール１４１０は、インテリジェントハードウェアデバイス、たとえば、ＣＰＵ、マイクロコントローラ、ＡＳＩＣなどを含み得る。プロセッサモジュール１４１０は、送受信機モジュール１４７０を通じて受信された情報、および／またはアンテナ１４８０を通じた送信のために送受信機モジュール１４７０に送られるべき情報を処理することができる。プロセッサモジュール１４１０は、単独で、またはＵＥ共有ＲＦスペクトラムバンドモジュール１４４０とともに、第１の無線周波数スペクトラムバンドおよび／または第２の無線周波数スペクトラムバンドを通じて通信する様々な態様を扱うことができる。
【０１５８】
[0194]送受信機モジュール１４７０は、パケットを変調し、変調されたパケットを送信のためにアンテナ１４８０に与え、アンテナ１４８０から受信されたパケットを復調するように構成されるモデムを含み得る。いくつかの場合、（１つまたは複数の）送受信機モジュール１４７０は、１つまたは複数の送信機モジュールおよび１つまたは複数の別個の受信機モジュールとして実装され得る。送受信機モジュール１４７０は、第１の無線周波数スペクトラムバンドおよび／または第２の無線周波数スペクトラムバンドにおける通信をサポートし得る。（１つまたは複数の）送受信機モジュール１４７０は、図１、図２Ａ、および／もしくは図２Ｂを参照して説明されたｅＮＢまたは装置１０５および／もしくは２０５の１つまたは複数と、（１つまたは複数の）アンテナ１４８０を介して双方向に通信するように構成され得る。ＵＥ１４１５は単一のアンテナを含み得るが、ＵＥ１４１５が複数のアンテナ１４８０を含み得る実施形態があり得る。
【０１５９】
[0195]ＵＥ共有ＲＦスペクトラムバンドモジュール１４４０は、第１の無線周波数スペクトラムバンドおよび／または第２の無線周波数スペクトラムバンドのような共有無線周波数スペクトラムバンドでのワイヤレス通信に関する、図１、図２Ａ、図２Ｂ、図３、図４Ａ、図４Ｂ、図５、図６Ａ、図６Ｂ、図７、図８、図９Ａ、図９Ｂ、図１０、図１１、図１２Ａ、図１２Ｂ、図１３Ａ、図１３Ｂ、図１３Ｃ、および／または図１３Ｄを参照して説明された特徴および／または機能の一部またはすべてを実行および／または制御するように構成され得る。たとえば、ＵＥ共有ＲＦスペクトラムバンドモジュール１４４０は、第２の無線周波数スペクトラムバンドにおいて補足ダウンリンクモード、キャリアアグリゲーションモード、および／またはスタンドアロン動作モードをサポートするように構成され得る。ＵＥ共有ＲＦスペクトラムバンドモジュール１４４０は、ＬＴＥ通信を処理するように構成されるＬＴＥモジュール１４４５、免許不要スペクトラムもしくは共有スペクトラムを通じてＬＴＥ／ＬＴＥ−Ａ通信を処理するように構成されるＬＴＥ免許不要モジュール１４５０、および／または、免許不要スペクトラムにおいてＬＴＥ／ＬＴＥ−Ａ通信以外の通信を処理するように構成される免許不要モジュール１４５５を含み得る。ＵＥ共有ＲＦスペクトラムバンドモジュール１４４０はまた、ＵＥ  ＬＴＥ免許不要通信管理モジュール１４６０を含み得る。ＵＥ  ＬＴＥ免許不要通信管理モジュール１４６０は、図１２Ａおよび／または図１２Ｂを参照して説明された通信管理モジュール１２２０および／または１２６５の１つまたは複数の態様の例であり得る。ＵＥ共有ＲＦスペクトラムバンドモジュール１４４０またはその部分は、プロセッサを含んでよく、ならびに／または、ＵＥ共有ＲＦスペクトラムバンドモジュール１４４０の機能の一部またはすべては、プロセッサモジュール１４１０によって、および／もしくはプロセッサモジュール１４１０に関連して実行され得る。
【０１６０】
[0196]図１５は、本開示の様々な態様による、ワイヤレス通信のために構成されるノード１５０５のブロック図１５００を示す。ノード１５０５は様々な構成を有してよく、アクセスポイント、基地局、基地局装置（ＢＴＳ）、無線基地局、無線送受信機、基本サービスセット（ＢＳＳ）、拡張サービスセット（ＥＳＳ）、ＮｏｄｅＢ、ｅｖｏｌｖｅｄ  ＮｏｄｅＢ（ｅＮＢ）、Ｈｏｍｅ  ＮｏｄｅＢ、Ｈｏｍｅ  ｅＮｏｄｅＢ、ＷＬＡＮアクセスポイント、ＷｉＦｉノード、および／またはＵＥを有してよく、それらに含まれてよく、またはそれらの一部であってよい。いくつかの実施形態では、ノード１５０５は、図１、図２Ａ、および／または図２Ｂを参照して説明されたアクセスポイント１０５および／または２０５の１つの１つまたは複数の態様の例であり得る。ノード１５０５は、図１、図２Ａ、図２Ｂ、図３、図４Ａ、図４Ｂ、図５、図６Ａ、図６Ｂ、図７、図８、図９Ａ、図９Ｂ、図１０、図１１、図１２Ａ、図１２Ｂ、図１３Ａ、図１３Ｂ、図１３Ｃ、および／または図１３Ｄを参照して説明された特徴および機能の少なくともいくつかを実装または支援するように構成され得る。ノード１５０５は、プロセッサモジュール１５１０、メモリモジュール１５２０、少なくとも１つの送受信機モジュール（送受信機モジュール１５５５によって表される）、少なくとも１つのアンテナ（アンテナ１５６０によって表される）、および／またはｅＮＢ共有ＲＦスペクトラムバンドモジュール１５７０を含み得る。ノード１５０５はまた、基地局通信モジュール１５３０と、ネットワーク通信モジュール１５４０と、システム通信管理モジュール１５５０の１つまたは複数を含み得る。これらのコンポーネントの各々は、１つまたは複数のバス１５３５上で、直接または間接的に互いに通信していることがある。
【０１６１】
[0197]メモリモジュール１５２０は、ＲＡＭおよび／またはＲＯＭを含み得る。メモリモジュール１５２０は、実行されると、プロセッサモジュール１５１０に、第１の無線周波数スペクトラムバンド（たとえば、ＬＴＥ／ＬＴＥ−Ａおよび／または免許無線周波数スペクトラムバンド）および／または第２の無線周波数スペクトラムバンドを通じて通信するための本明細書で説明される様々な機能を実行させるように構成される命令を含む、コンピュータ可読の、コンピュータ実行可能ソフトウェア（ＳＷ）コード１５２５を記憶し得る。代替的に、ソフトウェアコード１５２５は、プロセッサモジュール１５１０によって直接実行可能でないことがあるが、（たとえば、コンパイルされ実行されると）ノード１５０５に本明細書で説明される様々な機能を実行させるように構成され得る。
【０１６２】
[0198]プロセッサモジュール１５１０は、インテリジェントハードウェアデバイス、たとえば、中央処理ユニット（ＣＰＵ）、マイクロコントローラ、ＡＳＩＣなどを含み得る。プロセッサモジュール１５１０は、（１つまたは複数の）送受信機モジュール１５５５、基地局通信モジュール１５３０、および／またはネットワーク通信モジュール１５４０を通じて受信された情報を処理することができる。プロセッサモジュール１５１０はまた、アンテナ１５６０を通じた送信のために送受信機モジュール１５５５へ、１つまたは複数の他のノードまたはｅＮＢ１５０５−ａおよび１５０５−ｂへの送信のために基地局通信モジュール１５３０へ、ならびに／または、図１を参照して説明されたコアネットワーク１３０の態様の例であり得るコアネットワーク１５４５への送信のためにネットワーク通信モジュール１５４０へ送られるべき情報を処理することができる。プロセッサモジュール１５１０は、単独で、またはｅＮＢ共有ＲＦスペクトラムバンドモジュール１５７０とともに、第１の無線周波数スペクトラムバンドおよび／または第２の無線周波数スペクトラムバンドを通じて通信する様々な態様を処理することができる。
【０１６３】
[0199]送受信機モジュール１５５５は、パケットを変調し、変調されたパケットを送信のためにアンテナ１５６０に与え、アンテナ１５６０から受信されたパケットを復調するように構成されるモデムを含み得る。いくつかの場合、（１つまたは複数の）送受信機モジュール１５５５は、１つまたは複数の送信機モジュールおよび１つまたは複数の別個の受信機モジュールとして実装され得る。送受信機モジュール１５５５は、第１の無線周波数スペクトラムバンドおよび／または第２の無線周波数スペクトラムバンドにおける通信をサポートし得る。送受信機モジュール１５５５は、たとえば、図１、図２Ａ、図２Ｂ、図１２Ａ、図１２Ｂ、および／または図１４を参照して説明されたＵＥまたは装置１１５、２１５、１２１５、１２５５、および／または１４１５の１つまたは複数と、アンテナ１５６０を介して双方向に通信するように構成され得る。ノード１５０５は一般に、複数のアンテナ１５６０（たとえば、アンテナアレイ）を含み得る。ノード１５０５は、ネットワーク通信モジュール１５４０を通じてコアネットワーク１５４５と通信することができる。ノード１５０５はまた、基地局通信モジュール１５３０を使用して、ｅＮＢ１５０５−ａおよび１５０５−ｂのような他のノードまたはｅＮＢと通信することができる。
【０１６４】
[0200]図１５のアーキテクチャによれば、システム通信管理モジュール１５５０は、他のノード、基地局、ｅＮＢ、および／または装置との通信を管理することができる。いくつかの場合、システム通信管理モジュール１５５０の機能は、（１つまたは複数の）送受信機モジュール１５５５のコンポーネントとして、コンピュータプログラム製品として、および／またはプロセッサモジュール１５１０の１つまたは複数のコントローラ要素として実装され得る。
【０１６５】
[0201]ｅＮＢ共有ＲＦスペクトラムバンドモジュール１５７０は、第１の無線周波数スペクトラムバンドおよび／または第２の無線周波数スペクトラムバンドのような共有無線周波数スペクトラムバンドでのワイヤレス通信に関する、図１、図２Ａ、図２Ｂ、図３、図４Ａ、図４Ｂ、図５、図６Ａ、図６Ｂ、図７、図８、図９Ａ、図９Ｂ、図１０、図１１、図１２Ａ、図１２Ｂ、図１３Ａ、図１３Ｂ、図１３Ｃ、および／または図１３Ｄを参照して説明された特徴および／または機能の一部またはすべてを実行し、制御し、および／または支援するように構成され得る。いくつかの場合、ｅＮＢ共有ＲＦスペクトラムバンドモジュール１５７０は、第２の無線周波数スペクトラムバンドにおいて補足ダウンリンクモード、キャリアアグリゲーションモード、および／またはスタンドアロン動作モードをサポートするように構成され得る。ｅＮＢ共有ＲＦスペクトラムバンドモジュール１５７０は、ＬＴＥ通信を処理するように構成されるＬＴＥモジュール１５７５、免許不要スペクトラムもしくは共有スペクトラムにおいてＬＴＥ／ＬＴＥ−Ａ通信を処理するように構成されるＬＴＥ免許不要モジュール１５８０、および／または、免許不要スペクトラムもしくは共有スペクトラムにおいてＬＴＥ／ＬＴＥ−Ａ通信以外の通信を処理するように構成される免許不要モジュール１５８５を含み得る。ｅＮＢ共有ＲＦスペクトラムバンドモジュール１５７０はまた、ｅＮＢ  ＬＴＥ免許不要通信管理モジュール１５９０を含み得る。ｅＮＢ  ＬＴＥ免許不要通信管理モジュール１５９０は、図１、図２Ａ、図２Ｂ、図１２Ａ、図１２Ｂ、および／もしくは図１４を参照して説明された、装置ならびに／またはＵＥ１１５、２１５、１２１５、１２５５、および／もしくは１４１５によって受信される、データおよび／または制御情報の一部またはすべてを生成して送信することができる。いくつかの場合、例として、ｅＮＢ  ＬＴＥ免許不要通信管理モジュール１５９０は、準静的な方式で（たとえば、無線リソース制御（ＲＲＣ）構成／再構成メッセージを使用して）、ある数のＵＥの各々に、所与の物理キャリア上で監視されるべきＤＣＩフォーマットのセット／サブセットのような制御情報を示し得る。ｅＮＢ共有ＲＦスペクトラムバンドモジュール１５７０またはその部分は、プロセッサを含んでよく、ならびに／または、ｅＮＢ共有ＲＦスペクトラムバンドモジュール１５７０の機能の一部またはすべては、プロセッサモジュール１５１０によって、および／もしくはプロセッサモジュール１５１０に関連して実行され得る。
【０１６６】
[0202]図１６は、本開示の様々な態様による、ｅＮＢ１６０５とＵＥ１６１５とを含むように示される多入力多出力（ＭＩＭＯ）通信システム１６００のブロック図を示す。ｅＮＢ１６０５およびＵＥ１６１５は、第１の無線周波数スペクトラムバンド（たとえば、ＬＴＥ／ＬＴＥ−Ａおよび／または免許無線周波数スペクトラムバンド）および／または第２の無線周波数スペクトラムバンドを通じたワイヤレス通信をサポートし得る。ｅＮＢ１６０５は、図１、図２Ａ、図２Ｂ、および／または図１５を参照して説明されたｅＮＢ１０５、２０５、および／または１５０５の１つの１つまたは複数の態様の例であり得る。ＵＥ１６１５は、図１２Ａおよび／もしくは図１２Ｂを参照して説明された装置１２０５および／もしくは１２５５の１つ、ならびに／または、図１、図２Ａ、図２Ｂ、および／もしくは図１４を参照して説明されたＵＥ１１５、２１５、および／もしくは１４１５の１つの、１つまたは複数の態様の例であり得る。ＭＩＭＯ通信システム１６００は、図１、図２Ａ、および／または図２Ｂを参照して説明されたワイヤレス通信システム１００、２００、および／または２５０の態様を示し得る。
【０１６７】
[0203]ｅＮＢ１６０５はアンテナ１６３４−ａ〜１６３４−ｘを備えてよく、ＵＥ１６１５はアンテナ１６５２−ａ〜１６５２−ｎを備えてよい。ＭＩＭＯ通信システム１６００では、ｅＮＢ１６０５は複数の通信リンクを通じて同時にデータを送ることが可能であり得る。各通信リンクは「レイヤ」と呼ばれることがあり、通信リンクの「ランク」は、通信に使用されるレイヤの数を示し得る。たとえば、ｅＮＢ１６０５が２つの「レイヤ」を送信する２×２ＭＩＭＯシステムでは、ｅＮＢ１６０５とＵＥ１６１５との間の通信リンクのランクは２であり得る。
【０１６８】
[0204]ｅＮＢ１６０５において、送信メモリ１６４２と通信可能に結合される送信（Ｔｘ）プロセッサ１６２０が、データソースからデータを受信することができる。送信プロセッサ１６２０は、データを処理することができる。送信プロセッサ１６２０はまた、ある数の参照シンボルおよび／またはセル固有参照信号のための参照シーケンスを生成することができる。送信（Ｔｘ）ＭＩＭＯプロセッサ１６３０は、可能な場合、データシンボル、制御シンボル、および／または参照シンボルに対して空間処理（たとえば、プリコーディング）を実行することができ、出力シンボルストリームを送信（Ｔｘ）変調器１６３２−ａ〜１６３２−ｘに与えることができる。各変調器１６３２は、出力サンプルストリームを取得するために、（たとえば、ＯＦＤＭなどのための）それぞれの出力シンボルストリームを処理することができる。各変調器１６３２はさらに、ダウンリンク（ＤＬ）信号を取得するために、出力サンプルストリームを処理する（たとえば、アナログに変換し、増幅し、フィルタリングし、アップコンバートする）ことができる。１つの例では、変調器１６３２−ａ〜１６３２−ｘからのＤＬ信号は、それぞれアンテナ１６３４−ａ〜１６３４−ｘを介して送信され得る。
【０１６９】
[0205]ＵＥ１６１５において、アンテナ１６５２−ａ〜１６５２−ｎは、ｅＮＢ１６０５からＤＬ信号を受信することができ、受信された信号をそれぞれ受信（Ｒｘ）復調器１６５４−ａ〜１６５４−ｎに与えることができる。各復調器１６５４は、入力サンプルを取得するために、それぞれの受信された信号を調整する（たとえば、フィルタリングし、増幅し、ダウンコンバートし、デジタル化する）ことができる。各復調器１６５４はさらに、受信されたシンボルを取得するために、（たとえば、ＯＦＤＭなどのために）入力サンプルを処理することができる。ＭＩＭＯ検出器１６５６は、すべての復調器１６５４−ａ〜１６５４−ｎから受信されたシンボルを取得し、可能な場合は受信されたシンボルに対してＭＩＭＯ検出を実行し、検出されたシンボルを与えることができる。受信（Ｒｘ）プロセッサ１６５８は、検出されたシンボルを処理し（たとえば、復調し、デインターリーブし、および復号し）、ＵＥ  １６１５のための復号されたデータをデータ出力に与え、復号された制御情報をプロセッサ１６８０またはメモリ１６８２に与えることができる。
【０１７０】
[0206]アップリンク（ＵＬ）上で、ＵＥ１６１５において、送信（Ｔｘ）プロセッサ１６６４は、データソースからデータを受信し、処理することができる。送信プロセッサ１６６４はまた、ある数の参照シンボルおよび／または参照信号のための参照シーケンスを生成することができる。送信プロセッサ１６６４からのシンボルは、可能な場合、送信（Ｔｘ）ＭＩＭＯプロセッサ１６６６によってプリコーディングされ、送信（Ｔｘ）復調器１６５４−ａ〜１６５４−ｎによって（たとえば、ＳＣ−ＦＤＭＡなどのために）さらに処理され、ｅＮＢ１６０５から受信された送信パラメータに従ってｅＮＢ１６０５に送信され得る。ｅＮＢ１６０５において、ＵＥ１６１５からのＵＬ信号がアンテナ１６３４によって受信され、受信機（Ｒｘ）復調器１６３２によって処理され、可能な場合はＭＩＭＯ検出器１６３６によって検出され、受信（Ｒｘ）プロセッサ１６３８によってさらに処理され得る。受信プロセッサ１６３８は、復号されたデータをデータ出力およびプロセッサ１６４０に与えることができる。
【０１７１】
[0207]プロセッサ１６４０および１６８０は、第１の無線周波数スペクトラムバンドおよび／または第２の無線周波数スペクトラムバンドにおけるワイヤレス通信を管理するために、それぞれのモジュールまたは機能１６４１と１６８１とを含み得る。いくつかの実施形態では、モジュールまたは機能１６４１は、図１５を参照して説明されたｅＮＢ  ＬＴＥ免許不要通信管理モジュール１５９０の１つまたは複数の態様の例であってよく、ならびに／または、モジュールまたは機能１６８１は、図１２Ａ、図１２Ｂ、および／もしくは図１４を参照して説明された、通信管理モジュール１２２０、１２６５、および／もしくは１４６０の１つまたは複数の態様の例であってよい。ｅＮＢ１６０５は、ＵＥ１６１５および／または他のＵＥもしくは装置と通信するためにモジュールまたは機能１６４１を使用することができるが、ＵＥ１６１５は、ｅＮＢ１６０５および／または他のｅＮＢもしくは装置と通信するためにモジュールまたは機能１６８１を使用することができる。いくつかの場合、ｅＮＢ１６０５およびＵＥ１６１５は、ＣＣＡの実行に成功した後で、第２の無線周波数スペクトラムバンドだけを通じて１つまたは複数のチャネルを送信することができる。
【０１７２】
[0208]ｅＮＢ１６０５のコンポーネントは、個別にまたは集合的に、ハードウェア中の適用可能な機能の一部またはすべてを実行するように適合された１つまたは複数のＡＳＩＣを使用して実装され得る。述べられたモジュールの各々は、ＭＩＭＯ通信システム１６００の動作に関する１つまたは複数の機能を実行するための手段であり得る。同様に、ＵＥ１６１５のコンポーネントは、個別にまたは集合的に、適用可能な機能の一部またはすべてをハードウェアで実行するように適合された１つまたは複数のＡＳＩＣを使用して実装され得る。述べられたコンポーネントの各々は、ＭＩＭＯ通信システム１６００の動作に関する１つまたは複数の機能を実行するための手段であり得る。
【０１７３】
[0209]図１７は、本開示の様々な態様による、ワイヤレス通信のための方法１７００の例を示すフローチャートである。明快にするために、方法１７００は、図１２Ａおよび／もしくは図１２Ｂを参照して説明された装置１２１５および／もしくは１２５５の１つまたは複数、ならびに／または、図１、図２Ａ、図２Ｂ、図１４、および／もしくは図１６を参照して説明されたＵＥ１１５、２１５、１４１５、および／もしくは１６１５の１つまたは複数の態様を参照して以下で説明される。いくつかの実施形態では、装置１２１５もしくは１２５５の１つ、またはＵＥ１１５、２１５、１４１５、もしくは１６１５の１つのような、装置またはＵＥは、以下で説明される機能を実行するように装置またはＵＥの機能要素を制御するために、コードの１つまたは複数のセットを実行することができる。
【０１７４】
[0210]ブロック１７０５において、免許不要スペクトラムまたは共有スペクトラムにおいて事業者（オペレータ）によって使用される少なくとも第１の物理キャリアおよび第２の物理キャリアが特定され得る。いくつかの場合、ブロック１７０５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明されたキャリア特定モジュール１３１０を使用して実行され得る。
【０１７５】
[0211]いくつかの実施形態では、第１の物理キャリアまたは第２の物理キャリアの少なくとも１つは、たとえば図６Ａおよび／または図６Ｂを参照して説明されたように、異なる物理キャリアのための制御チャネルを含み得る。他の実施形態では、第１の物理キャリアまたは第２の物理キャリアの少なくとも１つは、たとえば図６Ａを参照して説明されたように、複数の異なる物理キャリアのための制御チャネルを含み得る。
【０１７６】
[0212]いくつかの場合、第１の物理キャリアまたは第２の物理キャリアの少なくとも１つは一次コンポーネントキャリアを含んでよく、第１の物理キャリアまたは第２の物理キャリアの他方は二次コンポーネントキャリアを含んでよい。
【０１７７】
[0213]ブロック１７１０において、第１の物理キャリアと第２の物理キャリアの両方が、第１の物理キャリアのためのダウンリンク制御送信について監視され得る。いくつかの場合、第１の物理キャリアおよび第２の物理キャリアはまた、第２の物理キャリアのためのダウンリンク制御送信について監視され得る。いくつかの場合、ブロック１７１０における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明されたキャリア監視モジュール１３１５を使用して実行され得る。
【０１７８】
[0214]いくつかの実施形態では、ダウンリンク制御送信について第１の物理キャリアと第２の物理キャリアとを監視することは、少なくとも第１のＤＣＩフォーマットについて第１の物理キャリアを、少なくとも第２のＤＣＩフォーマットについて第２の物理キャリアを監視することを含み得る。第１のＤＣＩフォーマットは第２のＤＣＩフォーマットとは異なり得る。
【０１７９】
[0215]いくつかの実施形態では、ダウンリンク制御送信について第１の物理キャリアと第２の物理キャリアとを監視することは、少なくとも第１のＤＣＩサイズについて第１の物理キャリアを、少なくとも第２のＤＣＩサイズについて第２の物理キャリアを監視することを含み得る。第１のＤＣＩサイズは第２のＤＣＩサイズとは異なり得る。
【０１８０】
[0216]いくつかの実施形態では、ダウンリンク制御送信について第１の物理キャリアと第２の物理キャリアとを監視することは、第２の物理キャリアの監視を第１の物理キャリアのためのアップリンクグラントと関連付けられるＤＣＩに制約することを含み得る。いくつかの場合、ダウンリンク制御送信について第１の物理キャリアと第２の物理キャリアとを監視することはさらに、１）第１の物理キャリアのためのダウンリンクグラントと関連付けられる少なくとも第１のＤＣＩフォーマットについて第１の物理キャリアを監視し、第１の物理キャリアのためのアップリンクグラントと関連付けられる少なくとも第２のＤＣＩフォーマットを監視することと、２）第１の物理キャリアのためのアップリンクグラントと関連付けられる少なくとも第２のＤＣＩフォーマットについて第２の物理キャリアを監視することと、を含み得る。いくつかの場合、方法１７００は、第１の物理キャリアのためのダウンリンクグラントと関連付けられる少なくとも第１のＤＣＩフォーマットについて第２の物理キャリアを監視するのをやめることを含み得る。第１の物理キャリアのためのダウンリンクグラントと関連付けられる第１のＤＣＩフォーマットは、第１の物理キャリアのためのアップリンクグラントと関連付けられる第２のＤＣＩフォーマットとは異なり得る。この段落において説明される動作の例が、図８を参照して説明される。
【０１８１】
[0217]方法１７００は、第２の無線周波数スペクトラムバンドにおいて、補助ダウンリンクモード、キャリアアグリゲーションモード、またはスタンドアロン動作モードなどの様々な状況で実行され得る。
【０１８２】
[0218]したがって、方法１７００はワイヤレス通信を提供し得る。方法１７００は一実装形態にすぎず、方法１７００の動作は、他の実装形態が可能であるように再構成され、または別の方法で修正され得ることに留意されたい。
【０１８３】
[0219]図１８は、本開示の様々な態様による、ワイヤレス通信のための方法１８００の例を示すフローチャートである。明快にするために、方法１８００は、図１２Ａおよび／もしくは図１２Ｂを参照して説明された装置１２１５および／もしくは１２５５の１つまたは複数、ならびに／または、図１、図２Ａ、図２Ｂ、図１４、および／もしくは図１６を参照して説明されたＵＥ１１５、２１５、１４１５、および／もしくは１６１５の１つまたは複数の態様を参照して以下で説明される。いくつかの実施態様では、装置１２１５もしくは１２５５の１つ、またはＵＥ１１５、２１５、１４１５、もしくは１６１５の１つのような、装置またはＵＥは、以下で説明される機能を実行するように装置またはＵＥの機能要素を制御するために、コードの１つまたは複数のセットを実行することができる。
【０１８４】
[0220]ブロック１８０５において、免許不要スペクトラムまたは共有スペクトラムにおいて事業者によって使用される少なくとも第１の物理キャリアおよび第２の物理キャリアが特定され得る。第１の物理キャリアおよび第２の物理キャリアは、可能なＤＣＩフォーマットの共通のセットおよび／または可能なＤＣＩサイズの共通のセットと関連付けられ得る。いくつかの場合、ブロック１８０５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明されたキャリア特定モジュール１３１０を使用して実行され得る。
【０１８５】
[0221]いくつかの場合、第１の物理キャリアまたは第２の物理キャリアの少なくとも１つは一次コンポーネントキャリアを含んでよく、第１の物理キャリアまたは第２の物理キャリアの他方は二次コンポーネントキャリアを含んでよい。
【０１８６】
[0222]ブロック１８１０において、第１の物理キャリアと第２の物理キャリアの両方が、第１の物理キャリアのためのダウンリンク制御送信について監視され得る。いくつかの場合、第１の物理キャリアおよび第２の物理キャリアはまた、第２の物理キャリアのためのダウンリンク制御送信について監視され得る。いくつかの場合、ブロック１８１０における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明されたキャリア監視モジュール１３１５を使用して実行され得る。
【０１８７】
[0223]ブロック１８１５において、第１の物理キャリアのためのダウンリンク制御送信は、可能なＤＣＩフォーマットの共通のセットおよび／またはＤＣＩサイズの共通のセットに基づいてブラインド復号され得る。いくつかの場合、ブロック１８１５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明された復号モジュール１３２５を使用して実行され得る。
【０１８８】
[0224]方法１８００は、第２の無線周波数スペクトラムバンドにおいて、補助ダウンリンクモード、キャリアアグリゲーションモード、またはスタンドアロン動作モードなどの様々な状況で実行され得る。
【０１８９】
[0225]したがって、方法１８００はワイヤレス通信を提供し得る。方法１８００は一実装形態にすぎず、方法１８００の動作は、他の実装形態が可能であるように再構成され、または別の方法で修正され得ることに留意されたい。
【０１９０】
[0226]図１９は、本開示の様々な態様による、ワイヤレス通信のための方法１９００の例を示すフローチャートである。明快にするために、方法１９００は、図１２Ａおよび／もしくは図１２Ｂを参照して説明された装置１２１５および／もしくは１２５５の１つまたは複数、ならびに／または、図１、図２Ａ、図２Ｂ、図１４、および／もしくは図１６を参照して説明されたＵＥ１１５、２１５、１４１５、および／もしくは１６１５の１つまたは複数の態様を参照して以下で説明される。いくつかの実施態様では、装置１２１５もしくは１２５５の１つ、またはＵＥ１１５、２１５、１４１５、もしくは１６１５の１つのような、デバイスまたはＵＥは、以下で説明される機能を実行するようにデバイスまたはＵＥの機能要素を制御するために、コードの１つまたは複数のセットを実行することができる。
【０１９１】
[0227]ブロック１９０５において、免許不要スペクトラムまたは共有スペクトラムにおいて事業者によって使用される少なくとも第１の物理キャリアおよび第２の物理キャリアが特定され得る。いくつかの場合、ブロック１９０５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明されたキャリア特定モジュール１３１０を使用して実行され得る。
【０１９２】
[0228]いくつかの場合、第１の物理キャリアまたは第２の物理キャリアの少なくとも１つは一次コンポーネントキャリアを含んでよく、第１の物理キャリアまたは第２の物理キャリアの他方は二次コンポーネントキャリアを含んでよい。
【０１９３】
[0229]ブロック１９１０において、第１の物理キャリアと第２の物理キャリアとの間のクロスキャリアスケジューリングに基づいて、第１の物理キャリアまたは第２の物理キャリアの少なくとも１つの上でのダウンリンク制御送信のために実行されるブラインド復号の数が制約され得る。いくつかの場合、ブロック１９１０における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明された復号制約モジュール１３２０を使用して実行され得る。
【０１９４】
[0230]ブロック１９１５において、第１の物理キャリアと第２の物理キャリアの両方が、第１の物理キャリアのためのダウンリンク制御送信について監視され得る。いくつかの場合、第１の物理キャリアおよび第２の物理キャリアはまた、第２の物理キャリアのためのダウンリンク制御送信について監視され得る。いくつかの場合、ブロック１９１５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明されたキャリア監視モジュール１３１５を使用して実行され得る。
【０１９５】
[0231]いくつかの実施形態では、ダウンリンク制御送信について第１の物理キャリアと第２の物理キャリアとを監視することは、クロスキャリアスケジューリングに基づいて、第１の物理キャリアまたは第２の物理キャリアの少なくとも１つの上でのダウンリンク制御送信について、制約された数の復号候補を監視することを含み得る。
【０１９６】
[0232]いくつかの実施形態では、ダウンリンク制御送信について第１の物理キャリアと第２の物理キャリアとを監視することは、クロスキャリアスケジューリングに基づいて、ダウンリンク制御送信について制約された数のリソースセットを監視することを含み得る。
【０１９７】
[0233]いくつかの実施形態では、ダウンリンク制御送信について第１の物理キャリアと第２の物理キャリアとを監視することは、クロスキャリアスケジューリングに基づいて、制約されたサイズを含む少なくとも１つのリソースセットを監視することを含み得る。
【０１９８】
[0234]ブロック１９２０において、ある数のブラインド復号が、第１の物理キャリアまたは第２の物理キャリアの少なくとも１つの上でのダウンリンク制御送信のために実行され得る。いくつかの場合、ブロック１９２０における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明された復号モジュール１３２５を使用して実行され得る。
【０１９９】
[0235]方法１９００は、第２の無線周波数スペクトラムバンドにおいて、補助ダウンリンクモード、キャリアアグリゲーションモード、またはスタンドアロン動作モードなどの様々な状況で実行され得る。
【０２００】
[0236]したがって、方法１９００はワイヤレス通信を提供し得る。方法１９００は一実装形態にすぎず、方法１９００の動作は、他の実装形態が可能であるように再構成され、または別の方法で修正され得ることに留意されたい。
【０２０１】
[0237]図２０は、本開示の様々な態様による、ワイヤレス通信のための方法２０００の例を示すフローチャートである。明快にするために、方法２０００は、図１２Ａおよび／もしくは図１２Ｂを参照して説明された装置１２１５および／もしくは１２５５の１つまたは複数、ならびに／または、図１、図２Ａ、図２Ｂ、図１４、および／もしくは図１６を参照して説明されたＵＥ１１５、２１５、１４１５、および／もしくは１６１５の１つまたは複数の態様を参照して以下で説明される。いくつかの実施態様では、装置１２１５もしくは１２５５の１つ、またはＵＥ１１５、２１５、１４１５、もしくは１６１５の１つのような、デバイスまたはＵＥは、以下で説明される機能を実行するようにデバイスまたはＵＥの機能要素を制御するために、コードの１つまたは複数のセットを実行することができる。
【０２０２】
[0238]ブロック２００５において、免許不要スペクトラムまたは共有スペクトラムにおいて事業者によって使用される少なくとも第１の物理キャリアおよび第２の物理キャリアが特定され得る。いくつかの場合、ブロック２００５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明されたキャリア特定モジュール１３１０を使用して実行され得る。
【０２０３】
[0239]いくつかの場合、第１の物理キャリアまたは第２の物理キャリアの少なくとも１つは一次コンポーネントキャリアを含んでよく、第１の物理キャリアまたは第２の物理キャリアの他方は二次コンポーネントキャリアを含んでよい。
【０２０４】
[0240]ブロック２０１０において、第１の物理キャリアと第２の物理キャリアの両方が、第１の物理キャリアのためのダウンリンク制御送信について監視され得る。いくつかの場合、第１の物理キャリアおよび第２の物理キャリアはまた、第２の物理キャリアのためのダウンリンク制御送信について監視され得る。いくつかの場合、ブロック２０１０における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明されたキャリア監視モジュール１３１５を使用して実行され得る。
【０２０５】
[0241]ブロック２０１５において、第１の物理キャリアのためのシステム情報について、第１の物理キャリアの共有データチャネル（たとえば、ＰＤＳＣＨ）が監視され得る。いくつかの場合、ブロック２０１５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明されたキャリア監視モジュール１３１５を使用して実行され得る。
【０２０６】
[0242]いくつかの実施形態では、第１の物理キャリアの共有データチャネルは、第２の物理キャリアと関連付けられるＣＣＡの失敗に応答して、第１の物理キャリアのためのシステム情報について監視され得る。
【０２０７】
[0243]ブロック２０２０において、第１の物理キャリアのためのシステム情報は、第１の物理キャリアの共有データチャネルを通じた専用のシグナリングを介して受信され得る。いくつかの場合、ブロック２０２０における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明されたシステム情報処理モジュール１３３０を使用して実行され得る。
【０２０８】
[0244]方法２０００は、第２の無線周波数スペクトラムバンドにおいて、補助ダウンリンクモード、キャリアアグリゲーションモード、またはスタンドアロン動作モードなどの様々な状況で実行され得る。
【０２０９】
[0245]したがって、方法２０００はワイヤレス通信を提供し得る。方法２０００は一実装形態にすぎず、方法２０００の動作は、他の実装形態が可能であるように再構成され、または別の方法で修正され得ることに留意されたい。
【０２１０】
[0246]図２１は、本開示の様々な態様による、ワイヤレス通信のための方法２１００の例を示すフローチャートである。明快にするために、方法２１００は、図１２Ａおよび／もしくは図１２Ｂを参照して説明された装置１２１５および／もしくは１２５５の１つまたは複数、ならびに／または、図１、図２Ａ、図２Ｂ、図１４、および／もしくは図１６を参照して説明されたＵＥ１１５、２１５、１４１５、および／もしくは１６１５の１つまたは複数の態様を参照して以下で説明される。いくつかの実施態様では、装置１２１５もしくは１２５５の１つ、またはＵＥ１１５、２１５、１４１５、もしくは１６１５の１つのような、デバイスまたはＵＥは、以下で説明される機能を実行するようにデバイスまたはＵＥの機能要素を制御するために、コードの１つまたは複数のセットを実行することができる。
【０２１１】
[0247]ブロック２１０５において、免許不要スペクトラムまたは共有スペクトラムにおいて事業者によって使用される少なくとも第１の物理キャリアおよび第２の物理キャリアが特定され得る。いくつかの場合、ブロック２１０５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明されたキャリア特定モジュール１３１０を使用して実行され得る。
【０２１２】
[0248]いくつかの場合、第１の物理キャリアまたは第２の物理キャリアの少なくとも１つは一次コンポーネントキャリアを含んでよく、第１の物理キャリアまたは第２の物理キャリアの他方は二次コンポーネントキャリアを含んでよい。
【０２１３】
[0249]ブロック２１１０において、第１の物理キャリアと第２の物理キャリアの両方が、第１の物理キャリアのためのダウンリンク制御送信について監視され得る。いくつかの場合、第１の物理キャリアおよび第２の物理キャリアはまた、第２の物理キャリアのためのダウンリンク制御送信について監視され得る。いくつかの場合、ブロック２１１０における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明されたキャリア監視モジュール１３１５を使用して実行され得る。
【０２１４】
[0250]ブロック２１１５において、システム情報ブロードキャストは、第１の物理キャリアと第２の物理キャリアの各々の物理ブロードキャストチャネルを通じて、第１の物理キャリアのために受信され得る。いくつかの場合、ブロック２１１５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明されたシステム情報処理モジュール１３３０を使用して実行され得る。
【０２１５】
[0251]方法２１００は、第２の無線周波数スペクトラムバンドにおいて、補助ダウンリンクモード、キャリアアグリゲーションモード、またはスタンドアロン動作モードなどの様々な状況で実行され得る。
【０２１６】
[0252]したがって、方法２１００はワイヤレス通信を提供し得る。方法２１００は一実装形態にすぎず、方法２１００の動作は、他の実装形態が可能であるように再構成され、または別の方法で修正され得ることに留意されたい。
【０２１７】
[0253]図２２は、本開示の様々な態様による、ワイヤレス通信のための方法２２００の例を示すフローチャートである。明快にするために、方法２２００は、図１２Ａおよび／もしくは図１２Ｂを参照して説明された装置１２１５および／もしくは１２５５の１つまたは複数、ならびに／または、図１、図２Ａ、図２Ｂ、図１４、および／もしくは図１６を参照して説明されたＵＥ１１５、２１５、１４１５、および／もしくは１６１５の１つまたは複数の態様を参照して以下で説明される。いくつかの実施態様では、装置１２１５もしくは１２５５の１つ、またはＵＥ１１５、２１５、１４１５、もしくは１６１５の１つのような、デバイスまたはＵＥは、以下で説明される機能を実行するようにデバイスまたはＵＥの機能要素を制御するために、コードの１つまたは複数のセットを実行することができる。
【０２１８】
[0254]ブロック２２０５において、免許不要スペクトラムまたは共有スペクトラムにおいて事業者によって使用される少なくとも第１の物理キャリアおよび第２の物理キャリアが特定され得る。いくつかの場合、ブロック２２０５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明されたキャリア特定モジュール１３１０を使用して実行され得る。
【０２１９】
[0255]いくつかの場合、第１の物理キャリアまたは第２の物理キャリアの少なくとも１つは一次コンポーネントキャリアを含んでよく、第１の物理キャリアまたは第２の物理キャリアの他方は二次コンポーネントキャリアを含んでよい。
【０２２０】
[0256]ブロック２２１０において、第１の物理キャリアと第２の物理キャリアの両方が、第１の物理キャリアのためのダウンリンク制御送信について監視され得る。監視することは、たとえば図９Ａおよび／または図９Ｂを参照して説明されたように、少なくとも１つのリソースセットを含むＣＳＳを監視することを含み得る。いくつかの場合、ブロック２２１０における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ａを参照して説明されたダウンリンク制御管理モジュール１２７５および／もしくは１３０５、ならびに／または、図１３Ａを参照して説明されたキャリア監視モジュール１３１５を使用して実行され得る。
【０２２１】
[0257]いくつかの実施形態では、ＣＳＳの少なくとも１つのリソースセットは、たとえば図９Ａを参照して説明されたように、ＵＳＳとは別であり得る。他の実施形態では、ＣＳＳの少なくとも１つのリソースセットは、少なくとも部分的にＵＳＳと重複し得る。いくつかの場合、その少なくとも部分的な重複は、たとえば図９Ｂを参照して説明されたように、完全な重複であってよい。
【０２２２】
[0258]いくつかの実施形態では、ＣＳＳおよびＵＳＳのためにＵＥによって監視されるリソースセットの総数が制約され得る。
【０２２３】
[0259]いくつかの実施形態では、少なくとも１つのリソースセットのリソースの１つまたは複数の位置は、少なくとも１つのリソースセットを使用して情報を送信するセルのセルＩＤに基づき得る。
【０２２４】
[0260]方法２２００は、第２の無線周波数スペクトラムバンドにおいて、補助ダウンリンクモード、キャリアアグリゲーションモード、またはスタンドアロン動作モードなどの様々な状況で実行され得る。
【０２２５】
[0261]したがって、方法２２００はワイヤレス通信を提供し得る。方法２２００は一実装形態にすぎず、方法２２００の動作は、他の実装形態が可能であるように再構成され、または別の方法で修正され得ることに留意されたい。
【０２２６】
[0262]図２３は、本開示の様々な態様による、ワイヤレス通信のための方法２３００の例を示すフローチャートである。明快にするために、方法２３００は、図１２Ａおよび／もしくは図１２Ｂを参照して説明された装置１２１５および／もしくは１２５５の１つまたは複数、ならびに／または、図１、図２Ａ、図２Ｂ、図１４、および／もしくは図１６を参照して説明されたＵＥ１１５、２１５、１４１５、および／もしくは１６１５の１つまたは複数の態様を参照して以下で説明される。いくつかの実施態様では、装置１２１５もしくは１２５５の１つ、またはＵＥ１１５、２１５、１４１５、もしくは１６１５の１つのような、デバイスまたはＵＥは、以下で説明される機能を実行するようにデバイスまたはＵＥの機能要素を制御するために、コードの１つまたは複数のセットを実行することができる。
【０２２７】
[0263]ブロック２３０５において、共有スペクトラムの第２の物理キャリアに対する、基地局によって実行された、ＥＣＣＡ動作の一部としてのＣＣＡのようなＣＣＡが成功したかどうかの指示が、共有スペクトラムの第１の物理キャリアを通じて受信され得る。いくつかの場合、ブロック２３０５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ｂを参照して説明されＣＣＡ成功指示管理モジュール１２８０および／もしくは１３４０、ならびに／または、図１３Ｂを参照して説明されたＣＣＡ成功指示受信モジュール１３４５を使用して実行され得る。
【０２２８】
[0264]いくつかの実施形態では、第２の物理キャリアのためのアップリンクグラントは第１の物理キャリアを通じて受信されてよく、基地局によって実行されたＣＣＡが成功したかどうかの指示は、アップリンクグラントの一部として受信され得る。他の実施形態では、基地局によって実行されたＣＣＡが成功したかどうかの指示を含む信号は、第１の物理キャリアを通じて受信され得る。いくつかの場合、この信号は、ブロードキャスト信号とＵＥ固有信号の少なくとも１つを含み得る。さらに他の実施形態では、ダウンリンク割当てインデックスが、第１の物理キャリアを通じて受信されてよく、第２の物理キャリアのためのＣＣＡが成功したかどうかの指示は、ダウンリンク割当てインデックスにおいて暗黙的であってよい。
【０２２９】
[0265]いくつかの場合、第１の物理キャリアまたは第２の物理キャリアの少なくとも１つは一次コンポーネントキャリアを含んでよく、第１の物理キャリアまたは第２の物理キャリアの他方は二次コンポーネントキャリアを含んでよい。
【０２３０】
[0266]方法２３００は、第２の無線周波数スペクトラムバンドにおいて、補助ダウンリンクモード、キャリアアグリゲーションモード、またはスタンドアロン動作モードなどの様々な状況で実行され得る。
【０２３１】
[0267]したがって、方法２３００はワイヤレス通信を提供し得る。方法２３００は一実装形態にすぎず、方法２３００の動作は、他の実装形態が可能であるように再構成され、または別の方法で修正され得ることに留意されたい。
【０２３２】
[0268]図２４は、本開示の様々な態様による、ワイヤレス通信のための方法２４００の例を示すフローチャートである。明快にするために、方法２４００は、図１２Ａおよび／もしくは図１２Ｂを参照して説明された装置１２１５および／もしくは１２５５の１つまたは複数、ならびに／または、図１、図２Ａ、図２Ｂ、図１４、および／もしくは図１６を参照して説明されたＵＥ１１５、２１５、１４１５、および／もしくは１６１５の１つまたは複数の態様を参照して以下で説明される。いくつかの実施態様では、装置１２１５もしくは１２５５の１つ、またはＵＥ１１５、２１５、１４１５、もしくは１６１５の１つのような、デバイスまたはＵＥは、以下で説明される機能を実行するようにデバイスまたはＵＥの機能要素を制御するために、コードの１つまたは複数のセットを実行することができる。
【０２３３】
[0269]ブロック２４０５において、共有スペクトラムの第２の物理キャリアに対する、基地局によって実行された、ＥＣＣＡ動作の一部としてのＣＣＡのようなＣＣＡが成功したかどうかの指示が、共有スペクトラムの第１の物理キャリアを通じて受信され得る。いくつかの場合、ブロック２４０５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ｂを参照して説明されＣＣＡ成功指示管理モジュール１２８０および／もしくは１３４０、ならびに／または、図１３Ｂを参照して説明されたＣＣＡ成功指示受信モジュール１３４５を使用して実行され得る。
【０２３４】
[0270]いくつかの実施形態では、第２の物理キャリアのためのアップリンクグラントは第１の物理キャリアを通じて受信されてよく、基地局によって実行されたＣＣＡが成功したかどうかの指示は、アップリンクグラントの一部として受信され得る。他の実施形態では、基地局によって実行されたＣＣＡが成功したかどうかの指示を含む信号は、第１の物理キャリアを通じて受信され得る。いくつかの場合、この信号は、ブロードキャスト信号とＵＥ固有信号の少なくとも１つを含み得る。さらに他の実施形態では、ダウンリンク割当てインデックスが、第１の物理キャリアを通じて受信されてよく、第２の物理キャリアのためのＣＣＡが成功したかどうかの指示は、ダウンリンク割当てインデックスにおいて暗黙的であってよい。いくつかの場合、アップリンクサブフレームにおける第２の物理キャリアのためのＣＳＩフィードバックが、第２の物理キャリアのためのＣＣＡが成功したかどうかの指示に基づいて決定され得る。チャネルが利用可能であることをＣＣＡが示す場合、ＣＣＡを含むフレーム中の参照信号などに基づいて、ＣＳＩが測定および／または報告され得る。いくつかの例では、チャネルまたはキャリアが利用可能ではないことをＣＣＡが示す場合、そのチャネルまたはキャリアに対しては、前のフレームなどに基づいてＣＳＩが測定および／または報告されてよく、またはそのフレームに対してはＣＳＩが省略されてよい。
【０２３５】
[0271]ブロック２４１０において、アップリンクサブフレームにおける全体のＡＣＫ／ＮＡＣＫペイロードサイズが、第２の物理キャリアのためのＣＣＡが成功したかどうかの指示に基づいて決定され得る。いくつかの場合、ブロック２４１０における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ｂを参照して説明されＣＣＡ成功指示管理モジュール１２８０および／もしくは１３４０、ならびに／または、図１３Ｂを参照して説明されたＡＣＫ／ＮＡＣＫペイロードサイズ決定モジュール１３５０を使用して実行され得る。
【０２３６】
[0272]いくつかの場合、第１の物理キャリアまたは第２の物理キャリアの少なくとも１つは一次コンポーネントキャリアを含んでよく、第１の物理キャリアまたは第２の物理キャリアの他方は二次コンポーネントキャリアを含んでよい。
【０２３７】
[0273]方法２４００は、第２の無線周波数スペクトラムバンドにおいて、補助ダウンリンクモード、キャリアアグリゲーションモード、またはスタンドアロン動作モードなどの様々な状況で実行され得る。
【０２３８】
[0274]したがって、方法２４００はワイヤレス通信を提供し得る。方法２４００は一実装形態にすぎず、方法２４００の動作は、他の実装形態が可能であるように再構成され、または別の方法で修正され得ることに留意されたい。
【０２３９】
[0275]図２５は、本開示の様々な態様による、ワイヤレス通信のための方法２５００の例を示すフローチャートである。明快にするために、方法２５００は、図１２Ａおよび／もしくは図１２Ｂを参照して説明された装置１２１５および／もしくは１２５５の１つまたは複数、図１、図２Ａ、図２Ｂ、図１５、および／もしくは図１６を参照して説明されたｅＮＢ１０５、２０５、１５０５、および／もしくは１６０５の１つ、ならびに／または、図１、図２Ａ、図２Ｂ、図１４、および／もしくは図１６を参照して説明されたＵＥ１１５、２１５、１４１５、および／もしくは１６１５の１つまたは複数の態様を参照して以下で説明される。いくつかの実施態様では、装置１２１５もしくは１２５５の１つ、ｅＮＢ１０５、２０５、１５０５、もしくは１６０５の１つ、またはＵＥ１１５、２１５、１４１５、もしくは１６１５の１つのような、装置、ｅＮＢ、またはＵＥは、以下で説明される機能を実行するように装置、ｅＮＢ、またはＵＥの機能要素を制御するために、コードの１つまたは複数のセットを実行することができる。
【０２４０】
[0276]ブロック２５０５において、ＵＥまたはｅＮＢのような送信デバイスにおいて、あるフレームのためにスケジューリングされた送信の全体のセットがそのフレームのための占有帯域幅の閾値を満たすかどうかが決定され得る。いくつかの場合、ブロック２５０５における（１つまたは複数の）動作は、図１２Ａ、図１２Ｂ、図１４、および／もしくは図１６を参照して説明された通信管理モジュール１２２０、１２６５、１４６０、１５９０、１６４１および／もしくは１６８１、図１２Ｂおよび／もしくは図１３Ｃを参照して説明された占有帯域幅管理モジュール１２８５および／もしくは１３６０、ならびに／または、図１３Ｃを参照して説明された占有帯域幅決定モジュール１３６５を使用して実行され得る。
【０２４１】
[0277]ブロック２５１０において、ブロック２５０５で行われた決定に基づいて（たとえば、占有帯域幅がフレームの占有帯域幅の閾値を満たさないという決定に基づいて）、フレーム中の少なくとも１つのスケジューリングされていないリソースを通じて、フィラー信号が送信され得る。いくつかの場合、ブロック２５１０における（１つまたは複数の）動作は、図１２Ａ、図１２Ｂ、図１４、および／もしくは図１６を参照して説明された通信管理モジュール１２２０、１２６５、１４６０、１５９０、１６４１および／もしくは１６８１、図１２Ｂおよび／もしくは図１３Ｃを参照して説明された占有帯域幅管理モジュール１２８５および／もしくは１３６０、ならびに／または、図１３Ｃを参照して説明されたフィラー信号送信モジュール１３７０を使用して実行され得る。
【０２４２】
[0278]いくつかの場合、フィラー信号は、ＣＵＢＳのような所定のシーケンスを含み得る。
【０２４３】
[0279]方法２５００は、第２の無線周波数スペクトラムバンドにおいて、補助ダウンリンクモード、キャリアアグリゲーションモード、またはスタンドアロン動作モードなどの様々な状況で実行され得る。
【０２４４】
[0280]したがって、方法２５００はワイヤレス通信を提供し得る。方法２５００は一実装形態にすぎず、方法２５００の動作は、他の実装形態が可能であるように再構成され、または別の方法で修正され得ることに留意されたい。
【０２４５】
[0281]図２６は、本開示の様々な態様による、ワイヤレス通信のための方法２６００の例を示すフローチャートである。明快にするために、方法２６００は、図１２Ａおよび／もしくは図１２Ｂを参照して説明された装置１２１５および／もしくは１２５５の１つまたは複数、図１、図２Ａ、図２Ｂ、図１５、および／もしくは図１６を参照して説明されたｅＮＢ１０５、２０５、１５０５、および／もしくは１６０５の１つ、ならびに／または、図１、図２Ａ、図２Ｂ、図１４、および／もしくは図１６を参照して説明されたＵＥ１１５、２１５、１４１５、および／もしくは１６１５の１つまたは複数の態様を参照して以下で説明される。いくつかの実施態様では、装置１２１５もしくは１２５５の１つ、ｅＮＢ１０５、２０５、１５０５、もしくは１６０５の１つ、またはＵＥ１１５、２１５、１４１５、もしくは１６１５の１つのような、装置、ｅＮＢ、またはＵＥは、以下で説明される機能を実行するように装置、ｅＮＢ、またはＵＥの機能要素を制御するために、コードの１つまたは複数のセットを実行することができる。
【０２４６】
[0282]ブロック２６０５において、ＵＥまたはｅＮＢのような送信デバイスにおいて、あるフレームのためにスケジューリングされた送信の全体のセットがそのフレームのための占有帯域幅の閾値を満たすかどうかが決定され得る。いくつかの場合、ブロック２６０５における（１つまたは複数の）動作は、図１２Ａ、図１２Ｂ、図１４、および／もしくは図１６を参照して説明された通信管理モジュール１２２０、１２６５、１４６０、１５９０、１６４１および／もしくは１６８１、図１２Ｂおよび／もしくは図１３Ｃを参照して説明された占有帯域幅管理モジュール１２８５および／もしくは１３６０、ならびに／または、図１３Ｃを参照して説明された占有帯域幅決定モジュール１３６５を使用して実行され得る。
【０２４７】
[0283]ブロック２６１０において、フレームを通じて送信される少なくとも１つのチャネルの帯域幅は、そのフレームのための占有帯域幅の閾値を満たすために、ブロック２６０５において行われた決定に基づいて増やされ得る。いくつかの場合、フレームを通じて送信される少なくとも１つのチャネルの帯域幅を増やすことは、フレームを通じて送信される少なくとも１つのチャネルの変調次数（modulation order）またはコードレートを下げることを含み得る。いくつかの場合、ブロック２６１０における（１つまたは複数の）動作は、図１２Ａ、図１２Ｂ、図１４、および／もしくは図１６を参照して説明された通信管理モジュール１２２０、１２６５、１４６０、１５９０、１６４１および／もしくは１６８１、図１２Ｂおよび／もしくは図１３Ｃを参照して説明された占有帯域幅管理モジュール１２８５および／もしくは１３６０、ならびに／または、図１３Ｃを参照して説明された占有帯域幅拡張モジュール１３７５を使用して実行され得る。
【０２４８】
[0284]方法２６００は、第２の無線周波数スペクトラムバンドにおいて、補助ダウンリンクモード、キャリアアグリゲーションモード、またはスタンドアロン動作モードなどの様々な状況で実行され得る。
【０２４９】
[0285]したがって、方法２６００はワイヤレス通信を提供し得る。方法２６００は一実装形態にすぎず、方法２６００の動作は、他の実装形態が可能であるように再構成され、または別の方法で修正され得ることに留意されたい。
【０２５０】
[0286]図２７は、本開示の様々な態様による、ワイヤレス通信のための方法２７００の例を示すフローチャートである。明快にするために、方法２７００は、図１２Ａおよび／もしくは図１２Ｂを参照して説明された装置１２１５および／もしくは１２５５の１つまたは複数、図１、図２Ａ、図２Ｂ、図１５、および／もしくは図１６を参照して説明されたｅＮＢ１０５、２０５、１５０５、および／もしくは１６０５の１つ、ならびに／または、図１、図２Ａ、図２Ｂ、図１４、および／もしくは図１６を参照して説明されたＵＥ１１５、２１５、１４１５、および／もしくは１６１５の１つまたは複数の態様を参照して以下で説明される。いくつかの実施態様では、装置１２１５もしくは１２５５の１つ、ｅＮＢ１０５、２０５、１５０５、もしくは１６０５の１つ、またはＵＥ１１５、２１５、１４１５、もしくは１６１５の１つのような、装置、ｅＮＢ、またはＵＥは、以下で説明される機能を実行するように装置、ｅＮＢ、またはＵＥの機能要素を制御するために、コードの１つまたは複数のセットを実行することができる。
【０２５１】
[0287]ブロック２７０５において、ＵＥまたはｅＮＢのような送信デバイスにおいて、あるフレームのためにスケジューリングされた送信の全体のセットがそのフレームのための占有帯域幅の閾値を満たすかどうかが決定され得る。いくつかの場合、ブロック２７０５における（１つまたは複数の）動作は、図１２Ａ、図１２Ｂ、図１４、および／もしくは図１６を参照して説明された通信管理モジュール１２２０、１２６５、１４６０、１５９０、１６４１および／もしくは１６８１、図１２Ｂおよび／もしくは図１３Ｃを参照して説明された占有帯域幅管理モジュール１２８５および／もしくは１３６０、ならびに／または、図１３Ｃを参照して説明された占有帯域幅決定モジュール１３６５を使用して実行され得る。
【０２５２】
[0288]ブロック２７１０において、ブロック２７０５で行われた決定に基づいて、探索空間リソースが少なくとも１つのＵＥに割り振られ得る。いくつかの場合、ブロック２７１０における（１つまたは複数の）動作は、図１２Ａ、図１２Ｂ、図１４、および／もしくは図１６を参照して説明された通信管理モジュール１２２０、１２６５、１４６０、１５９０、１６４１および／もしくは１６８１、図１２Ｂおよび／もしくは図１３Ｃを参照して説明された占有帯域幅管理モジュール１２８５および／もしくは１３６０、ならびに／または、図１３Ｃを参照して説明されたリソース割振りモジュール１３８０を使用して実行され得る。
【０２５３】
[0289]方法２７００は、第２の無線周波数スペクトラムバンドにおいて、補助ダウンリンクモード、キャリアアグリゲーションモード、またはスタンドアロン動作モードなどの様々な状況で実行され得る。
【０２５４】
[0290]したがって、方法２７００はワイヤレス通信を提供し得る。方法２７００は一実装形態にすぎず、方法２７００の動作は、他の実装形態が可能であるように再構成され、または別の方法で修正され得ることに留意されたい。
【０２５５】
[0291]図２８は、本開示の様々な態様による、ワイヤレス通信のための方法２８００の例を示すフローチャートである。明快にするために、方法２８００は、図１２Ａおよび／もしくは図１２Ｂを参照して説明された装置１２１５および／もしくは１２５５の１つまたは複数、ならびに／または、図１、図２Ａ、図２Ｂ、図１４、および／もしくは図１６を参照して説明されたＵＥ１１５、２１５、１４１５、および／もしくは１６１５の１つまたは複数の態様を参照して以下で説明される。いくつかの実施態様では、装置１２１５もしくは１２５５の１つ、またはＵＥ１１５、２１５、１４１５、もしくは１６１５の１つのような、デバイスまたはＵＥは、以下で説明される機能を実行するようにデバイスまたはＵＥの機能要素を制御するために、コードの１つまたは複数のセットを実行することができる。
【０２５６】
[0292]ブロック２８０５において、フレームのための制御フォーマットインジケータ値は、共有スペクトラム中の物理キャリアを通じて受信され得る。いくつかの場合、ブロック２８０５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ｃを参照して説明され制御フォーマットインジケータ値管理モジュール１２９０および／もしくは１３９０、ならびに／または、図１３Ｄを参照して説明された制御フォーマットインジケータ値受信モジュール１３９２を使用して実行され得る。
【０２５７】
[0293]いくつかの実施形態では、制御フォーマットインジケータ値は、フレームの最初のサブフレームの間に受信されてよく、いくつかの場合、最初のサブフレームの最初のシンボルの間に受信されてよい。他の実施形態では、制御フォーマットインジケータ値は、フレームの最後のサブフレームの最後のシンボルの間に受信されてよい。制御フォーマットインジケータ値のビット幅は、フレームの構造に基づき得る。
【０２５８】
[0294]ブロック２８１０において、物理キャリアを通じたダウンリンク送信のために基地局によって使用されるべきフレームのサブフレームの数が、ブロック２８０５において受信された制御フォーマットインジケータ値に基づいて決定され得る。いくつかの場合、ブロック２８１０における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ｄを参照して説明され制御フォーマットインジケータ値管理モジュール１２９０および／もしくは１３９０、ならびに／または、図１３Ｄを参照して説明されたサブフレーム使用決定モジュール１３９４を使用して実行され得る。
【０２５９】
[0295]方法２８００は、第２の無線周波数スペクトラムバンドにおいて、補助ダウンリンクモード、キャリアアグリゲーションモード、またはスタンドアロン動作モードなどの様々な状況で実行され得る。
【０２６０】
[0296]したがって、方法２８００はワイヤレス通信を提供し得る。方法２８００は一実装形態にすぎず、方法２８００の動作は、他の実装形態が可能であるように再構成され、または別の方法で修正され得ることに留意されたい。
【０２６１】
[0297]図２９は、本開示の様々な態様による、ワイヤレス通信のための方法２９００の例を示すフローチャートである。明快にするために、方法２９００は、図１２Ａおよび／もしくは図１２Ｂを参照して説明された装置１２１５および／もしくは１２５５の１つまたは複数、ならびに／または、図１、図２Ａ、図２Ｂ、図１４、および／もしくは図１６を参照して説明されたＵＥ１１５、２１５、１４１５、および／もしくは１６１５の１つまたは複数の態様を参照して以下で説明される。いくつかの実施態様では、装置１２１５もしくは１２５５の１つ、またはＵＥ１１５、２１５、１４１５、もしくは１６１５の１つのような、デバイスまたはＵＥは、以下で説明される機能を実行するようにデバイスまたはＵＥの機能要素を制御するために、コードの１つまたは複数のセットを実行することができる。
【０２６２】
[0298]ブロック２９０５において、フレームのための制御フォーマットインジケータ値は、共有スペクトラム中の物理キャリアを通じて受信され得る。いくつかの場合、ブロック２９０５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ｃを参照して説明され制御フォーマットインジケータ値管理モジュール１２９０および／もしくは１３９０、ならびに／または、図１３Ｄを参照して説明された制御フォーマットインジケータ値受信モジュール１３９２を使用して実行され得る。
【０２６３】
[0299]いくつかの実施形態では、制御フォーマットインジケータ値は、フレームの最初のサブフレームの間に受信されてよく、いくつかの場合、最初のサブフレームの最初のシンボルの間に受信されてよい。他の実施形態では、制御フォーマットインジケータ値は、フレームの最後のサブフレームの最後のシンボルの間に受信されてよい。制御フォーマットインジケータ値のビット幅は、フレームの構造に基づき得る。
【０２６４】
[0300]ブロック２９１０において、物理キャリアを通じたダウンリンク送信のために基地局によって使用されるべきフレームのサブフレームの数が、ブロック２９０５において受信された制御フォーマットインジケータ値に基づいて決定され得る。いくつかの場合、ブロック２９１０における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ｄを参照して説明され制御フォーマットインジケータ値管理モジュール１２９０および／もしくは１３９０、ならびに／または、図１３Ｄを参照して説明されたサブフレーム使用決定モジュール１３９４を使用して実行され得る。
【０２６５】
[0301]ブロック２９１５において、ブロック２９０５で受信された制御フォーマットインジケータ値に基づいて、フレームのためのＵＥのスリープスケジュールが決定され得る。いくつかの場合、ブロック２９１５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ｄを参照して説明され制御フォーマットインジケータ値管理モジュール１２９０および／もしくは１３９０、ならびに／または、図１３Ｄを参照して説明されたスリープスケジュール決定モジュール１３９６を使用して実行され得る。
【０２６６】
[0302]方法２９００は、第２の無線周波数スペクトラムバンドにおいて、補助ダウンリンクモード、キャリアアグリゲーションモード、またはスタンドアロン動作モードなどの様々な状況で実行され得る。
【０２６７】
[0303]したがって、方法２９００はワイヤレス通信を提供し得る。方法２９００は一実装形態にすぎず、方法２９００の動作は、他の実装形態が可能であるように再構成され、または別の方法で修正され得ることに留意されたい。
【０２６８】
[0304]図３０は、本開示の様々な態様による、ワイヤレス通信のための方法３０００の例を示すフローチャートである。明快にするために、方法３０００は、図１２Ａおよび／もしくは図１２Ｂを参照して説明された装置１２１５および／もしくは１２５５の１つまたは複数、ならびに／または、図１、図２Ａ、図２Ｂ、図１４、および／もしくは図１６を参照して説明されたＵＥ１１５、２１５、１４１５、および／もしくは１６１５の１つまたは複数の態様を参照して以下で説明される。いくつかの実施態様では、装置１２１５もしくは１２５５の１つ、またはＵＥ１１５、２１５、１４１５、もしくは１６１５の１つのような、デバイスまたはＵＥは、以下で説明される機能を実行するようにデバイスまたはＵＥの機能要素を制御するために、コードの１つまたは複数のセットを実行することができる。
【０２６９】
[0305]ブロック３００５において、フレームのための制御フォーマットインジケータ値は、共有スペクトラム中の物理キャリアを通じて受信され得る。いくつかの場合、ブロック３００５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ｃを参照して説明され制御フォーマットインジケータ値管理モジュール１２９０および／もしくは１３９０、ならびに／または、図１３Ｄを参照して説明された制御フォーマットインジケータ値受信モジュール１３９２を使用して実行され得る。
【０２７０】
[0306]いくつかの実施形態では、制御フォーマットインジケータ値は、フレームの最初のサブフレームの間に受信されてよく、いくつかの場合、最初のサブフレームの最初のシンボルの間に受信されてよい。他の実施形態では、制御フォーマットインジケータ値は、フレームの最後のサブフレームの最後のシンボルの間に受信されてよい。制御フォーマットインジケータ値のビット幅は、フレームの構造に基づき得る。
【０２７１】
[0307]ブロック３０１０において、物理キャリアを通じたダウンリンク送信のために基地局によって使用されるべきフレームのサブフレームの数が、ブロック３００５において受信された制御フォーマットインジケータ値に基づいて決定され得る。いくつかの場合、ブロック３０１０における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ｄを参照して説明され制御フォーマットインジケータ値管理モジュール１２９０および／もしくは１３９０、ならびに／または、図１３Ｄを参照して説明されたサブフレーム使用決定モジュール１３９４を使用して実行され得る。
【０２７２】
[0308]ブロック３０１５において、ブロック３００５で受信された制御フォーマットインジケータ値に基づいて、ＡＣＫ／ＮＡＣＫ送信がＵＥによってスケジューリングされ得る。いくつかの場合、ブロック３０１５における（１つまたは複数の）動作は、図１２Ａ、図１２Ｂ、図１４、および／もしくは図１６を参照して説明された通信管理モジュール１２２０、１２６５、１４６０、および／もしくは１６８１、図１２Ｂおよび／もしくは図１３Ｄを参照して説明され制御フォーマットインジケータ値管理モジュール１２９０および／もしくは１３９０、ならびに／または、図１３Ｄを参照して説明されたＡＣＫ／ＮＡＣＫスケジューリングモジュール１３９８を使用して実行され得る。
【０２７３】
[0309]方法３０００は、第２の無線周波数スペクトラムバンドにおいて、補助ダウンリンクモード、キャリアアグリゲーションモード、またはスタンドアロン動作モードなどの様々な状況で実行され得る。
【０２７４】
[0310]したがって、方法３０００はワイヤレス通信を提供し得る。方法３０００は一実装形態にすぎず、方法３０００の動作は、他の実装形態が可能であるように再構成され、または別の方法で修正され得ることに留意されたい。
【０２７５】
[0311]いくつかの場合、図１９、図２０、図２１、図２２、図２３、図２４、図２５、図２６、図２７、図２８、図２９、および／または図３０を参照して説明された、方法１７００、１８００、１９００、２０００、２１００、２２００、２３００、２４００、２５００、２６００、２７００、２８００、２９００、および／または３０００の２つ以上が組み合わされることがある。
【０２７６】
[0312]添付の図面に関して上に記載された発明を実施するための形態は、例示的な実施形態について説明しており、実装され得るまたは特許請求の範囲内に入る実施形態のみを表すものではない。「例」および「例示的」という語は、この説明で使用されるとき、「一例、実例、または例示としての役割を果たす」ことを意味し、「好ましい」または「他の実施形態より有利である」ことを意味しない。発明を実施するための形態は、説明された技法の理解をもたらすための具体的な詳細を含む。しかしながら、これらの技法は、これらの特定の詳細を伴わずに実践され得る。いくつか事例では、説明される実施形態の概念を不明瞭にしないために、よく知られている構造およびデバイスがブロック図の形態で示される。
【０２７７】
[0313]情報および信号は、種々の異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２７８】
[0314]本明細書の開示に関連して説明された様々な例示的な論理ブロックおよびモジュールは、汎用プロセッサ、デジタル信号プロセッサ（ＤＳＰ）、ＡＳＩＣ、ＦＰＧＡまたは他のプログラマブル論理デバイス、個別ゲートもしくはトランジスタロジック、個別ハードウェアコンポーネント、もしくは本明細書で説明された機能を実行するように設計されたそれらの任意の組合せによって実装または実行され得る。汎用プロセッサはマイクロプロセッサであり得るが、代替的には、プロセッサは任意の従来のプロセッサ、コントローラ、マイクロコントローラ、またはステートマシンであり得る。プロセッサは、コンピューティングデバイスの組合せ、たとえば、ＤＳＰおよびマイクロプロセッサの組合せ、複数のマイクロプロセッサ、ＤＳＰコアと連携する１つもしくは複数のマイクロプロセッサ、または任意の他のそのような構成としても実装され得る。
【０２７９】
[0315]本明細書において説明された機能は、ハードウェア、プロセッサによって実行されるソフトウェア、ファームウェア、またはそれらの任意の組合せで実装され得る。プロセッサによって実行されるソフトウェアで実現される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲の範囲および趣旨内にある。たとえば、ソフトウェアの性質により、上で説明された機能は、プロセッサ、ハードウェア、ファームウェア、配線、またはこれらのいずれかの組合せによって実行されるソフトウェアを使用して実装され得る。機能を実装する特徴はまた、機能の一部が異なる物理的場所において実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２８０】
[0316]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコード手段を搬送または記憶するために使用され、汎用もしくは専用コンピュータまたは汎用もしくは専用プロセッサによってアクセスされ得る、任意の他の媒体を備え得る。また、任意の接続がコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ここで、ディスク（disk）は、通常、データを磁気的に再生し、ディスク（disc）は、データをレーザーで光学的に再生する。上記の組合せも、コンピュータ可読媒体の範囲内に含まれる。
【０２８１】
[0317]本開示の前述の説明は、当業者が本開示を作製または使用することを可能にするために与えられる。本開示に対する様々な修正が当業者には容易に明らかとなり、本明細書において規定された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または要求しない。したがって、本開示は、本明細書で説明される例および設計に限定されるべきでなく、本明細書で開示される原理および新規の特徴に一致する最も広い範囲を与えられるべきである。
以下に、本願の出願当初の特許請求の範囲に記載された発明を付記する。
［Ｃ１］
ワイヤレス通信のための方法であって、
共有スペクトラム中の物理キャリアを通じて、フレームのための制御フォーマットインジケータ値を受信することと、
前記制御フォーマットインジケータ値に基づいて、前記物理キャリアを通じたダウンリンク送信のためにノードによって使用されるべきフレームのサブフレームの数を決定することと、
を備える方法。
［Ｃ２］
前記制御フォーマットインジケータ値に基づいて、前記フレームのためのユーザ機器（ＵＥ）のスリープスケジュールを決定することをさらに備える、Ｃ１に記載の方法。
［Ｃ３］
前記制御フォーマットインジケータ値に基づいて、ユーザ機器（ＵＥ）による確認応答（ＡＣＫ）／否定確認応答（ＮＡＣＫ）送信をスケジューリングすることをさらに備える、Ｃ１に記載の方法。
［Ｃ４］
前記制御フォーマットインジケータ値は、前記フレームの最初のサブフレームの間に受信される、Ｃ１に記載の方法。
［Ｃ５］
前記制御フォーマットインジケータ値は、前記フレームの前記最初のサブフレームの最初のシンボルの間に受信される、Ｃ４に記載の方法。
［Ｃ６］
前記制御フォーマットインジケータ値は、前のフレームの最後のサブフレームの間に受信される、Ｃ１に記載の方法。
［Ｃ７］
前記制御フォーマットインジケータ値は、前記フレームのサブフレームの最初のシンボルの間に受信される、Ｃ１に記載の方法。
［Ｃ８］
前記制御フォーマットインジケータ値のビット幅は、前記フレームの構造に基づく、Ｃ１に記載の方法。
［Ｃ９］
前記制御フォーマットインジケータ値は、送信の終わり、データが前記フレームの間に送信されるべきかどうか、送信のために使用されるべき前記フレームのサブフレームの数、および送信のための最後のサブフレーム、のうちの少なくとも１つを示す、Ｃ１に記載の方法。
［Ｃ１０］
前記制御フォーマットインジケータ値は、チャネル使用パイロット信号（ＣＵＰＳ）、チャネル使用ビーコン信号（ＣＵＢＳ）、セル固有参照信号（ＣＲＳ）、増強ＣＲＳ（ｅＣＲＳ）、送信フォーマットインジケータチャネル（ＴＦＩＣＨ）、増強ＴＦＩＣＨ（ｅＴＦＩＣＨ）、物理制御フォーマットインジケータチャネル（ＰＣＦＩＣＨ）、および増強ＰＣＦＩＣＨ（ＥＰＣＦＩＣＨ）の少なくとも１つの一部として受信される、Ｃ１に記載の方法。
［Ｃ１１］
ワイヤレス通信のための装置であって、
プロセッサと、
前記プロセッサに結合されたメモリと、を備え、前記プロセッサは、
共有スペクトラム中の物理キャリアを通じて、フレームのための制御フォーマットインジケータ値を受信し、
前記制御フォーマットインジケータ値に基づいて、前記物理キャリアを通じたダウンリンク送信のためにノードによって使用されるべきフレームのサブフレームの数を決定する
ように構成される、装置。
［Ｃ１２］
前記プロセッサは、さらに、
前記制御フォーマットインジケータ値に基づいて、前記フレームのためのユーザ機器（ＵＥ）のスリープスケジュールを決定するように構成される、Ｃ１１に記載の装置。
［Ｃ１３］
前記プロセッサは、さらに、
前記制御フォーマットインジケータ値に基づいて、ユーザ機器（ＵＥ）による確認応答（ＡＣＫ）／否定確認応答（ＮＡＣＫ）送信をスケジューリングするように構成される、Ｃ１１に記載の装置。
［Ｃ１４］
前記制御フォーマットインジケータ値は、前記フレームの最初のサブフレームの間に受信される、Ｃ１１に記載の装置。
［Ｃ１５］
前記制御フォーマットインジケータ値は、前のフレームの最後のサブフレームの間に受信される、Ｃ１１に記載の装置。
［Ｃ１６］
前記制御フォーマットインジケータ値は、前記フレームのサブフレームの最初のシンボルの間に受信される、Ｃ１１に記載の装置。
［Ｃ１７］
ワイヤレス通信のための方法であって、
共有スペクトラム中の物理キャリアを通じたダウンリンク送信のためにノードによって使用されるべきフレームのサブフレームの数を決定することと、
前記物理キャリアを通じて、前記フレームのサブフレームの前記決定された数に基づいて、前記フレームのための制御フォーマットインジケータ値を送信することと、
を備える方法。
［Ｃ１８］
前記制御フォーマットインジケータ値に基づいて、ユーザ機器（ＵＥ）による確認応答（ＡＣＫ）／否定確認応答（ＮＡＣＫ）送信を受信することをさらに備える、Ｃ１７に記載の方法。
［Ｃ１９］
前記制御フォーマットインジケータ値は、前記フレームの最初のサブフレームの間に送信される、Ｃ１７に記載の方法。
［Ｃ２０］
前記制御フォーマットインジケータ値は、前記フレームの前記最初のサブフレームの最初のシンボルの間に送信される、Ｃ１９に記載の方法。
［Ｃ２１］
前記制御フォーマットインジケータ値は、前のフレームの最後のサブフレームの間に送信される、Ｃ１７に記載の方法。
［Ｃ２２］
前記制御フォーマットインジケータ値は、前記フレームのサブフレームの最初のシンボルの間に送信される、Ｃ１７に記載の方法。
［Ｃ２３］
前記制御フォーマットインジケータ値のビット幅は、前記フレームの構造に基づく、Ｃ１７に記載の方法。
［Ｃ２４］
前記制御フォーマットインジケータ値は、送信の終わり、データが前記フレームの間に送信されるべきかどうか、送信のために使用されるべき前記フレームのサブフレームの数、および送信のための最後のサブフレーム、のうちの少なくとも１つを示す、Ｃ１７に記載の方法。
［Ｃ２５］
前記制御フォーマットインジケータ値は、チャネル使用パイロット信号（ＣＵＰＳ）、チャネル使用ビーコン信号（ＣＵＢＳ）、セル固有参照信号（ＣＲＳ）、増強ＣＲＳ（ｅＣＲＳ）、送信フォーマットインジケータチャネル（ＴＦＩＣＨ）、増強ＴＦＩＣＨ（ｅＴＦＩＣＨ）、物理制御フォーマットインジケータチャネル（ＰＣＦＩＣＨ）、および増強ＰＣＦＩＣＨ（ＥＰＣＦＩＣＨ）の少なくとも１つの一部として送信される、Ｃ１７に記載の方法。
［Ｃ２６］
ワイヤレス通信のための装置であって、
プロセッサと、
前記プロセッサに結合されたメモリと、を備え、前記プロセッサは、
共有スペクトラム中の物理キャリアを通じたダウンリンク送信のためにノードによって使用されるべきフレームのサブフレームの数を決定し、
前記物理キャリアを通じて、前記フレームのサブフレームの前記決定された数に基づいて、前記フレームのための制御フォーマットインジケータ値を送信する、
ように構成される、装置。
［Ｃ２７］
前記プロセッサは、さらに、
前記制御フォーマットインジケータ値に基づいて、ユーザ機器（ＵＥ）による確認応答（ＡＣＫ）／否定確認応答（ＮＡＣＫ）送信を受信するように構成される、Ｃ２６に記載の装置。
［Ｃ２８］
前記制御フォーマットインジケータ値は、前記フレームの最初のサブフレームの間に送信される、Ｃ２６に記載の装置。
［Ｃ２９］
前記制御フォーマットインジケータ値は、前のフレームの最後のサブフレームの間に送信される、Ｃ２６に記載の装置。
［Ｃ３０］
前記制御フォーマットインジケータ値は、前記フレームのサブフレームの最初のシンボルの間に送信される、Ｃ２６に記載の装置。
【図１】
0006486951.tif 000002
【図２Ａ】
0006486951.tif 000003
【図２Ｂ】
0006486951.tif 000004
【図３】
0006486951.tif 000005
【図４Ａ】
0006486951.tif 000006
【図４Ｂ】
0006486951.tif 000007
【図５】
0006486951.tif 000008
【図６Ａ】
0006486951.tif 000009
【図６Ｂ】
0006486951.tif 000010
【図７】
0006486951.tif 000011
【図８】
0006486951.tif 000012
【図９Ａ】
0006486951.tif 000013
【図９Ｂ】
0006486951.tif 000014
【図１０】
0006486951.tif 000015
【図１１】
0006486951.tif 000016
【図１２Ａ】
0006486951.tif 000017
【図１２Ｂ】
0006486951.tif 000018
【図１３Ａ】
0006486951.tif 000019
【図１３Ｂ】
0006486951.tif 000020
【図１３Ｃ】
0006486951.tif 000021
【図１３Ｄ】
0006486951.tif 000022
【図１４】
0006486951.tif 000023
【図１５】
0006486951.tif 000024
【図１６】
0006486951.tif 000025
【図１７】
0006486951.tif 000026
【図１８】
0006486951.tif 000027
【図１９】
0006486951.tif 000028
【図２０】
0006486951.tif 000029
【図２１】
0006486951.tif 000030
【図２２】
0006486951.tif 000031
【図２３】
0006486951.tif 000032
【図２４】
0006486951.tif 000033
【図２５】
0006486951.tif 000034
【図２６】
0006486951.tif 000035
【図２７】
0006486951.tif 000036
【図２８】
0006486951.tif 000037
【図２９】
0006486951.tif 000038
【図３０】
0006486951.tif 000039